(57)【特許請求の範囲】
【請求項１】
第１の電子文書とその関連文書リストを表示し、関連文書リストから選択された第２の電子文書を表示することで、前記第１の電子文書から前記第２の文書を導く文書検索手段と、
前記文書検索手段から、前記第１の電子文書の特定情報、及び前記第２の電子文書の特定情報を得て、これらを構成要素としたコンテクストを作成するコンテクスト作成手段と、
前記第１の電子文書の特定情報、及び前記第２の電子文書の特定情報を記憶するコンテクスト記憶手段を備え、
前記文書検索手段は、前記第１の電子文書から前記第２の電子文書への参照関係が強いとき、前記第２の電子文書を「推奨」とする入力受付を行い、
前記コンテクスト作成手段は、前記文書検索手段から、さらに「推奨」であることを特定する情報を得て、これらを構成要素としたコンテクストを作成し、
前記コンテクスト記憶手段は、「推奨」であることを特定する情報を記憶することを特徴とする情報処理装置。
【請求項２】
前記文書検索手段は、ユーザを特定する情報の取得を行い、
前記コンテクスト作成手段は、前記文書検索手段から、さらにユーザを特定する情報を得て、これらを構成要素としたコンテクストを作成し、
前記コンテクスト記憶手段は、ユーザを特定する情報を記憶することを特徴とする請求項１記載の情報処理装置。
【請求項３】
請求項１又は２に記載のコンテクスト作成手段によって作成されたコンテクストを取得して、コンテクストの構成要素のうち、前記第１の電子文書の特定情報を参照元文書とし、前記第２の電子文書の特定情報を前記参照元文書に対応する参照先文書としたコンテクストをメタデータ記録部に記録するメタデータ管理手段を備えたことを特徴とする情報処理装置。
【請求項４】
さらに、コンテクスト作成手段によって作成されたコンテクストを取得して、コンテクストの構成要素のうち、選択された特定の情報、選択されたキーワードボタン、等を参照元文書に関連する参照元文言としたコンテクストをメタデータ記録部に記録するメタデータ管理手段を備えたことを特徴とする請求項３に記載の情報処理装置。
【請求項５】
さらに、コンテクスト作成手段によって作成されたコンテクストを取得して、コンテクストの構成要素のうち、「推奨」であることを特定する情報を付加したコンテクストをメタデータ記録部に記録するメタデータ管理手段を備えたことを特徴とする請求項３又は４に記載の情報処理装置。
【請求項６】
さらに、コンテクスト作成手段によって作成されたコンテクストを取得して、コンテクストの構成要素のうち、ユーザを特定する情報を付加したコンテクストをメタデータ記録部に記録するメタデータ管理手段を備えたことを特徴とする請求項３乃至５のいずれかに記載の情報処理装置。
【請求項７】
メタデータ記録部を電子文書ごとに構成し、コンテクスト作成手段によって作成されたコンテクストを取得して、参照元電子文書のメタデータ記録部に記録すること、また必要に応じて参照先電子文書のメタデータ記録部に記録することを特徴とするメタデータ管理手段を備えた請求項３乃至６のいずれかに記載の情報処理装置。
【請求項８】
電子文書は分類されて電子文書フォルダに管理されており、メタデータ記録部を電子文書フォルダごとに構成し、コンテクスト作成手段によって作成されたコンテクストを取得して、参照元電子文書フォルダのメタデータ記録部に記録すること、また必要に応じて参照先電子文書フォルダのメタデータ記録部に記録することを特徴とするメタデータ管理手段を備えた請求項３乃至７のいずれかに記載の情報処理装置。
【請求項９】
コンテクストを統合的に記録する統合メタデータ記録部を構成し、コンテクスト作成手段によって作成されたコンテクストを取得して、統合メタデータ記録部に記録することを特徴とするメタデータ管理手段を備えた請求項３乃至８のいずれかに記載の情報処理装置。
【請求項１０】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、閲覧文書の関連文書リストを前記メタデータ管理手段から取得して該閲覧文書に付加して表示し、該関連文書リストから所望の文書を選択して表示させ、
前記メタデータ管理手段は、前記文書ＵＩ装置から閲覧文書の関連文書リストの転送要求があると、「閲覧文書のメタデータ」または「統合コンテクストメタデータ」から、「閲覧文書から方向性のある推奨関係にある文書」、「閲覧文書と推奨関係にある文書」、「閲覧文書から方向性のある参照関係にある文書」、あるいは、「閲覧文書と参照関係にある文書」の任意のまたは全ての文書概要情報または文書ＩＤを取得し、取得した文書の情報から閲覧文書の関連文書リストを生成または更新するとともに、該閲覧文書の関連文書リストを前記文書ＵＩ装置に転送することを特徴とする情報処理装置。
【請求項１１】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、閲覧文書のユーザによる関連文書リストを前記メタデータ管理手段から取得して該閲覧文書に付加して表示し、該関連文書リストから所望の文書を選択して表示させ、
前記メタデータ管理手段は、前記文書ＵＩ装置から閲覧文書のユーザによる関連文書リストの転送要求があると、「閲覧文書のメタデータ」または「統合コンテクストメタデータ」から、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、あるいは、「前記ユーザによる閲覧文書と参照関係にある文書」の任意のまたは全ての文書概要情報または文書ＩＤを取得し、取得した文書の情報から閲覧文書の関連文書リストを生成または更新するとともに、該閲覧文書の関連文書リストを前記文書ＵＩ装置に転送することを特徴とする情報処理装置。
【請求項１２】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、閲覧文書の関連文書リストを前記メタデータ管理手段から取得して該閲覧文書に付加して表示し、該関連文書リストから所望の文書を選択して表示させ、
前記メタデータ管理手段は、前記文書ＵＩ装置から閲覧文書の関連文書リストの転送要求があると、「閲覧文書の文書フォルダのメタデータ」または「統合コンテクストメタデータ」から、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書概要情報または文書ＩＤを取得し、取得した文書の情報から閲覧文書の関連文書リストを生成または更新するとともに、該文書の関連文書リストを前記文書ＵＩ装置に転送することを特徴とする情報処理装置。
【請求項１３】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、閲覧文書のユーザによる関連文書リストを前記メタデータ管理手段から取得して該閲覧文書に付加して表示し、該関連文書リストから所望の文書を選択して表示させ、
前記メタデータ管理手段は、前記文書ＵＩ装置から閲覧文書のユーザによる関連文書リストの転送要求があると、「閲覧文書の文書フォルダのメタデータ」または「統合コンテクストメタデータ」から、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書概要情報または文書ＩＤを取得し、取得した文書の情報から閲覧文書の関連文書リストを生成または更新するとともに、該閲覧文書の関連文書リストを前記文書ＵＩ装置に転送することを特徴とする情報処理装置。
【請求項１４】
請求項１０乃至１３のいずれかに記載の情報処理装置において、
前記文書ＵＩ装置は、閲覧文書に付加したリファレンスボタンが選択されると、該閲覧文書の関連文書リストを表示して所望の文書を選択させて表示することを特徴とする情報処理装置。
【請求項１５】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、前記メタデータ管理手段から閲覧文書のリファレンスボタンと関連文書リストを取得し、「共有リファレンスボタン」と「自己リファレンスボタン」のいずれかのリファレンスボタンが選択されると、「共有リファレンスボタン」が選択された場合には共有関連文書リストを、あるいは、「自己リファレンスボタン」が選択された場合には自己関連文書リストを表示し、表示された共有関連文書リストまたは自己関連文書リストから所望の文書を選択させ、
前記メタデータ管理手段は、前記文書ＵＩ装置から閲覧文書のリファレンスボタンと関連文書リストの転送要求があると、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書概要情報または文書ＩＤを取得し、取得した文書の情報から閲覧文書の共有関連文書リストを生成または更新し、
さらに、
「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、「前記ユーザによる閲覧文書と参照関係にある文書」、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書概要情報または文書ＩＤを取得し、取得した文書の情報から閲覧文書の自己関連文書リストを生成または更新し、「共有関連文書リスト」と「自己関連文書リスト」を前記文書ＵＩ装置に転送することを特徴とする情報処理装置。
【請求項１６】
請求項１乃至９のいずれかに記載の情報処理装置において、
少なくとも文書の閲覧に関する操作を受け付け、閲覧文書を表示する文書ＵＩ装置を備え、
単語等と前記メタデータ管理手段から転送された文書ＩＤにより検索を行って、検索結果を前記文書ＵＩ装置へ返信する複合検索手段を備え、
前記文書ＵＩ装置は、閲覧文書の単語等が選択されて、「共有リファレンス検索」が選択されると、閲覧文書ＩＤと「共有リファレンス検索ＩＤ」と単語等を前記メタデータ管理手段に転送し、
前記メタデータ管理手段は、前記文書ＵＩ装置から閲覧文書ＩＤと「共有リファレンス検索ＩＤ」と単語等が転送されると、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書ＩＤを取得し、取得した文書ＩＤと単語等を前記複合検索手段に転送することを特徴とする情報処理装置。
【請求項１７】
請求項１乃至９のいずれかに記載の情報処理装置において、
少なくとも文書の閲覧に関する操作を受け付け、閲覧文書を表示する文書ＵＩ装置を備え、
単語等と前記メタデータ管理手段から転送された文書ＩＤにより検索を行って、検索結果を前記文書ＵＩ装置へ返信する複合検索手段を備え、
前記文書ＵＩ装置は、閲覧文書の単語等が選択され、「自己リファレンス検索」が選択されると、ユーザＩＤと閲覧文書ＩＤと「自己リファレンス検索ＩＤ」と単語等を前記メタデータ管理手段に転送し、
前記メタデータ管理手段は、前記文書ＵＩ装置からユーザＩＤと閲覧文書ＩＤと「自己リファレンス検索ＩＤ」と単語等が転送されると、「閲覧文書のメタデータ」、「閲覧文書の文書フォルダのメタデータ」または「統合コンテクストメタデータ」から、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、「閲覧文書と参照関係にある文書」、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書ＩＤを取得し、取得した文書ＩＤと単語等を前記複合検索手段に転送することを特徴とする情報処理装置。
【請求項１８】
請求項１乃至９のいずれかに記載の情報処理装置において、
少なくとも文書の閲覧に関する操作を受け付け、閲覧文書を表示する文書ＵＩ装置を備え、
単語等と前記メタデータ管理手段から転送された文書ＩＤにより検索を行って、検索結果を前記文書ＵＩ装置へ返信する複合検索手段を備え、
前記文書ＵＩ装置は、閲覧文書の単語等が選択され、「単語等からの共有リファレンス検索」が選択されると、「単語等からの共有リファレンス検索ＩＤ」と単語等を前記メタデータ管理手段に転送し、
前記メタデータ管理手段は、前記文書ＵＩ装置から「単語等からの共有リファレンス検索ＩＤ」と単語等が転送されると、「閲覧文書の単語等またはキーワードボタンに表示されている単語等のメタデータ」、「文書に共通な単語等のメタデータ」または「統合コンテクストメタデータ」から、「閲覧文書の単語等または閲覧文書のキーワードボタンに表示されている単語等から推奨関係にある文書」、「単語等（文書に共通）から推奨関係にある文書」、「閲覧文書の単語等または閲覧文書のキーワードボタンに表示されている単語等から参照関係にある文書」、あるいは、「単語等（文書に共通）から参照関係にある文書」の任意のまたは全ての文書ＩＤを取得し、取得した文書ＩＤと単語等を前記複合検索手段に転送することを特徴とする情報処理装置。
【請求項１９】
請求項１乃至９のいずれかに記載の情報処理装置において、
少なくとも文書の閲覧に関する操作を受け付け、閲覧文書を表示する文書ＵＩ装置を備え、
単語等と前記メタデータ管理手段から転送された文書ＩＤにより検索を行って、検索結果を前記文書ＵＩ装置へ返信する複合検索手段を備え、
前記文書ＵＩ装置は、閲覧文書の単語等が選択され、「単語等からの自己リファレンス検索」が選択されると、ユーザＩＤと閲覧文書ＩＤと「単語等からの自己リファレンス検索ＩＤ」と単語等を前記メタデータ管理手段に転送し、
前記メタデータ管理手段は、前記文書ＵＩ装置からユーザＩＤと「単語等からの自己リファレンス検索ＩＤ」と単語等が転送されると、「閲覧文書の単語等またはキーワードボタンに表示されている単語等のメタデータ」、「文書に共通な単語等のメタデータ」または「統合コンテクストメタデータ」から、「前記ユーザによる閲覧文書の単語等または閲覧文書のキーワードボタンに表示されている単語等から推奨関係にある文書」、「前記ユーザによる単語等から推奨関係にある文書、「前記ユーザによる閲覧文書の単語等または閲覧文書のキーワードボタンに表示されている単語等から参照関係にある文書」、あるいは、「前記ユーザによる単語等から参照関係にある文書」の任意のまたは全ての文書ＩＤを取得し、取得した文書ＩＤと単語等を前記複合検索手段に転送することを特徴とする情報処理装置。
【請求項２０】
請求項１乃至９のいずれかに記載の情報処理装置において、
少なくとも文書の閲覧に関する操作を受け付け、閲覧文書を表示する文書ＵＩ装置を備え、
単語等と前記メタデータ管理手段から転送された文書ＩＤにより検索を行って、検索結果を前記文書ＵＩ装置へ返信する複合検索手段を備え、
前記文書ＵＩ装置は、閲覧文書の単語等が選択され、「共有リファレンス検索」、「単語等からの共有リファレンス検索」、「自己リファレンス検索」、あるいは、「単語等からの自己リファレンス検索」の任意の組み合わせのサービスメニューからサービスが選択されると、選択されたサービスに応じて、サービスの区別と、ユーザＩＤ、閲覧文書ＩＤ、単語等から必要な情報を前記メタデータ管理手段に転送し、
前記メタデータ管理手段は、前記文書ＵＩ装置からサービスの区別と、ユーザＩＤ、閲覧文書ＩＤ、単語等のうち該区分に応じた必要な情報が転送されると、「閲覧文書の単語等またはキーワードボタンに表示されている単語等のメタデータ」、「文書に共通な単語等のメタデータ」、または「統合コンテクストメタデータ」から、「閲覧文書の単語等または閲覧文書のキーワードボタンに表示されている単語等から推奨関係にある文書」、「単語等（文書に共通）から推奨関係にある文書」、「閲覧文書の単語等または閲覧文書のキーワードボタンに表示されている単語等から参照関係にある文書」、「単語等（文書に共通）から参照関係にある文書」、「前記ユーザによる閲覧文書の単語等または閲覧文書のキーワードボタンに表示されている単語等から推奨関係にある文書」、「前記ユーザによる単語等から推奨関係にある文書」、「前記ユーザによる閲覧文書の単語等または閲覧文書のキーワードボタンに表示されている単語等から参照関係にある文書」、「前記ユーザによる単語等から参照関係にある文書」の任意のまたは全ての文書ＩＤを取得し、
さらに、
「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、「閲覧文書の文書フォルダの文書と参照関係にある文書」、「ユーザによる閲覧文書から方向性のある推奨関係にある文書」、「ユーザによる閲覧文書と推奨関係にある文書」、「ユーザによる閲覧文書から方向性のある参照関係にある文書」、「ユーザによる閲覧文書と参照関係にある文書」、「ユーザによる閲覧文書の単語等または閲覧文書のキーワードボタンに表示されている単語等から推奨関係にある文書」、「ユーザによる単語等から推奨関係にある文書」、「ユーザによる閲覧文書の単語等または閲覧文書のキーワードボタンに表示されている単語等から参照関係にある文書」、「ユーザによる単語等から参照関係にある文書」の任意のまたは全ての文書ＩＤを取得し、
取得した文書ＩＤと単語等を前記複合検索手段に転送することを特徴とする情報処理装置。
【請求項２１】
請求項１乃至９のいずれかに記載の情報処理装置において、
少なくとも文書の閲覧に関する操作を受け付け、閲覧文書を表示する文書ＵＩ装置を備え、
閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、
前記文書ＵＩ装置は、閲覧文書の単語等が選択され、「共有リファレンス検索」が選択されると、選択された単語等をサーチエンジン手段に転送するとともに、閲覧文書ＩＤと「共有リファレンス検索ＩＤ」を前記メタデータ管理手段に転送し、前記フィルタリング手段から絞り込まれた検索結果が転送されると、該検索結果を表示し、
前記メタデータ管理手段は、前記文書ＵＩ装置から閲覧文書ＩＤと「共有リファレンス検索ＩＤ」が転送されると、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書ＩＤを取得し、取得した文書ＩＤを前記フィルタリング手段に転送し、
前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置。
【請求項２２】
請求項１乃至９のいずれかに記載の情報処理装置において、
少なくとも文書の閲覧に関する操作を受け付け、閲覧文書を表示する文書ＵＩ装置を備え、
閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、
前記文書ＵＩ装置は、閲覧文書の単語等が選択され、「自己リファレンス検索」が選択されると、選択された単語等を前記サーチエンジン手段に転送するとともに、ユーザＩＤと閲覧文書ＩＤと「自己リファレンス検索ＩＤ」と単語等を前記メタデータ管理手段に転送し、前記フィルタリング手段から検索結果が転送されると、該検索結果を表示し、
前記メタデータ管理手段は、前記文書ＵＩ装置からユーザＩＤと閲覧文書ＩＤと「自己リファレンス検索ＩＤ」と単語等が転送されると、「閲覧文書のメタデータ」、「閲覧文書の文書フォルダのメタデータ」または「統合コンテクストメタデータ」から、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、「前記ユーザによる閲覧文書と参照関係にある文書」、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書ＩＤを取得し、取得した文書ＩＤを前記フィルタリング手段に転送し、
前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置。
【請求項２３】
請求項１乃至９のいずれかに記載の情報処理装置において、
少なくとも文書の閲覧に関する操作を受け付け、閲覧文書を表示する文書ＵＩ装置を備え、
閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、
前記文書ＵＩ装置は、閲覧文書の単語等が選択され、「単語等からの共有リファレンス検索」が選択されると、選択された単語等を前記サーチエンジン手段に転送するとともに、選択された単語等と「単語等からの共有リファレンス検索ＩＤ」を前記メタデータ管理手段に転送し、前記フィルタリング手段から検索結果が転送されると、該検索結果を表示し、
前記メタデータ管理手段は、前記文書ＵＩ装置から「単語等からの共有リファレンス検索ＩＤ」と単語等が転送されると、「文書の単語等またはキーワードボタンに表示されている単語等のメタデータ」、「文書に共通な単語等のメタデータ」または「統合コンテクストメタデータ」から、「閲覧文書の単語等または閲覧文書のキーワードボタンに表示されている単語等から推奨関係にある文書」、「単語等（文書に共通）から推奨関係にある文書」、「閲覧文書の単語等または閲覧文書のキーワードボタンに表示されている単語等から参照関係にある文書」、あるいは、「単語等（文書に共通）から参照関係にある文書」の任意のまたは全ての文書ＩＤを取得し、取得した文書ＩＤを前記フィルタリング手段に転送し、
前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置。
【請求項２４】
請求項１乃至９のいずれかに記載の情報処理装置において、
少なくとも文書の閲覧に関する操作を受け付け、閲覧文書を表示する文書ＵＩ装置を備え、
閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、
前記文書ＵＩ装置は、閲覧文書の単語等が選択され、「単語等からの自己リファレンス検索」が選択されると、選択された単語等を前記サーチエンジン手段に転送するとともに、ユーザＩＤと閲覧文書ＩＤと「単語等からの自己リファレンス検索ＩＤ」と単語等を前記メタデータ管理手段に転送し、前記フィルタリング手段から検索結果が転送されると、該検索結果を表示し、
前記メタデータ管理手段は、前記文書ＵＩ装置からユーザＩＤと閲覧文書ＩＤと「単語等からの自己リファレンス検索ＩＤ」と単語等が転送されると、「文書の単語等またはキーワードボタンに表示されている単語等のメタデータ」、「文書に共通な単語等のメタデータ」または「統合コンテクストメタデータ」から、「前記ユーザによる閲覧文書の単語等または閲覧文書のキーワードボタンに表示されている単語等から推奨関係にある文書」、「前記ユーザによる単語等から推奨関係にある文書」、「前記ユーザによる閲覧文書の単語等または閲覧文書のキーワードボタンに表示されている単語等から参照関係にある文書」、あるいは、「前記ユーザによる単語等から参照関係にある文書」の任意のまたは全ての文書ＩＤを取得し、取得した文書ＩＤを前記フィルタリング手段に転送し、
前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置。
【請求項２５】
請求項１乃至９のいずれかに記載の情報処理装置において、
少なくとも文書の閲覧に関する操作を受け付け、閲覧文書を表示する文書ＵＩ装置を備え、
閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、
前記文書ＵＩ装置は、閲覧文書の単語等が選択され、「共有リファレンス検索」、「単語等からの共有リファレンス検索」、「自己リファレンス検索」、あるいは、「単語等からの自己リファレンス検索」の任意の組み合わせのサービスメニューからサービスが選択されると、選択されたサービスに応じて、サービスの区別、ユーザＩＤ、閲覧文書ＩＤ、単語等から必要な情報を前記メタデータ管理手段に転送するとともに、単語等を前記サーチエンジン手段に転送し、
前記メタデータ管理手段は、前記文書ＵＩ装置からサービスの区別と、ユーザＩＤ、閲覧文書ＩＤ、単語等のうち該区分に応じた必要な情報が転送されると、「閲覧文書の単語等またはキーワードボタンに表示されている単語等のメタデータ」、「文書に共通な単語等のメタデータ」、または「統合コンテクストメタデータ」から、「閲覧文書の単語等または閲覧文書のキーワードボタンに表示されている単語等から推奨関係にある文書」、「単語等（文書に共通）から推奨関係にある文書」、「閲覧文書の単語等または閲覧文書のキーワードボタンに表示されている単語等から参照関係にある文書」、「単語等（文書に共通）から参照関係にある文書」、「前記ユーザによる閲覧文書の単語等または閲覧文書のキーワードボタンに表示されている単語等から推奨関係にある文書」、「前記ユーザによる単語等から推奨関係にある文書」、「前記ユーザによる閲覧文書の単語等または閲覧文書のキーワードボタンに表示されている単語等から参照関係にある文書」、「前記ユーザによる単語等から参照関係にある文書」の任意のまたは全ての文書ＩＤを取得し、
さらに、
「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、「閲覧文書の文書フォルダの文書と参照関係にある文書」、「ユーザによる閲覧文書から方向性のある推奨関係にある文書」、「ユーザによる閲覧文書と推奨関係にある文書」、「ユーザによる閲覧文書から方向性のある参照関係にある文書」、「ユーザによる閲覧文書と参照関係にある文書」、「ユーザによる閲覧文書の単語等または閲覧文書のキーワードボタンに表示されている単語等から推奨関係にある文書」、「ユーザによる単語等から推奨関係にある文書」、「ユーザによる閲覧文書の単語等または閲覧文書のキーワードボタンに表示されている単語等から参照関係にある文書」、「ユーザによる単語等から参照関係にある文書」の任意のまたは全ての文書ＩＤを取得し、取得した文書ＩＤを前記フィルタリング手段へ転送し、
前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置。
【請求項２６】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、指定された閲覧文書を表示するときに、前記メタデータ管理手段に該閲覧文書のキーワードボタンを要求して、返信されたキーワードボタンを前記閲覧文書の近傍に表示し、該キーワードボタンから選択されたボタンに表示されている単語等と該キーワードボタンにより特定される文書ＩＤとを前記複合検索手段または前記サーチエンジン手段に転送して検索させ、
前記メタデータ管理手段は、「閲覧文書の単語等または閲覧文書のキーワードボタンに表示されている単語等から推奨関係にある文書」あるいは「閲覧文書の単語等または閲覧文書のキーワードボタンに表示されている単語等から参照関係にある文書」のメタデータから任意のまたは全てのキーワードボタンのために単語等とそれによって特定される文書の文書ＩＤを取得し、表示するための単語等と該単語等のメタデータからキーワードボタンを、キーワードボタンが指定されたときに、「単語等を検索キーワードとして前記複合検索手段または前記サーチエンジン手段に転送する」または「単語等のメタデータから特定される文書の文書ＩＤを検索対象として前記複合検索手段または前記サーチエンジン手段に転送する」のいずれかの動作を行うように設定し、該キーワードボタンを前記文書ＵＩ装置に転送することを特徴とする情報処理装置。
【請求項２７】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、指定した閲覧文書を表示するときに、前記メタデータ管理手段にユーザＩＤと該閲覧文書のキーワードボタンの要求とを転送し、返信されたキーワードボタンを閲覧文書の近傍に表示し、該キーワードボタンから選択されたボタンに表示された単語等と該キーワードボタンにより特定される文書ＩＤとを前記複合検索手段または前記サーチエンジン手段に転送して検索させ、
前記メタデータ管理手段は、「指定されたユーザによる閲覧文書の単語等または閲覧文書のキーワードボタンに表示されている単語等から推奨関係にある文書」あるいは「指定されたユーザによる閲覧文書の単語等または閲覧文書のキーワードボタンに表示されている単語等から参照関係にある文書」のメタデータから任意のまたは全てのキーワードボタンのための単語等と特定される文書の文書ＩＤを取得し、
表示するための単語等と該単語等のメタデータからキーワードボタンを、該キーワードボタンが指定されたときに、「単語等を検索キーワードとして前記サーチエンジン手段に転送する」あるいは「単語等のメタデータから特定される文書の文書ＩＤを検索対象として前記複合検索手段または前記サーチエンジン手段に転送する」のいずれかの動作を行うように設定し、該キーワードボタンを前記文書ＵＩ装置に転送することを特徴とする情報処理装置。
【請求項２８】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、指定された閲覧文書を表示するときに、予め作成されているキーワードボタンの中から該閲覧文書のキーワードボタンを前記メタデータ管理手段に要求し、返信されたキーワードボタンを前記閲覧文書の近傍に表示し、選択されたキーワードボタンに表示されている単語等と該キーワードボタンにより特定される文書ＩＤとを前記複合検索手段または前記サーチエンジン手段に転送して検索させ、
前記メタデータ管理手段は、文書の単語等またはキーワードボタンに表示されている単語等のメタデータから、「閲覧文書の単語等または閲覧文書のキーワードボタンに表示されている単語等から推奨関係にある文書」あるいは「閲覧文書の単語等または閲覧文書のキーワードボタンに表示されている単語等から参照関係にある文書」の任意のまたは全ての文書を取得し、取得した文書のＩＤと単語等をキーワードボタンのメタデータに記録し、該キーワードボタンが指定されたときに、「単語等を検索キーワードとして前記複合検索手段または前記サーチエンジン手段に転送する」または「単語等のメタデータから特定される文書の文書ＩＤを検索対象として複合検索手段または前記サーチエンジン手段に転送する」のいずれかの動作を行うように設定することを特徴とする情報処理装置。
【請求項２９】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、指定された閲覧文書を表示するときに、予め作成されているユーザ毎のキーワードボタンの中から該閲覧文書のキーワードボタンを前記メタデータ管理手段に要求し、返信されたキーワードボタンを前記閲覧文書の近傍に表示し、該キーワードボタンから選択されたボタンに表示されている単語等と該キーワードボタンにより特定される文書ＩＤとを複合検索手段またはサーチエンジン手段に転送して検索させ、
前記メタデータ管理手段は、文書のメタデータから単語等を取得し、キーワードボタンのメタデータに記録し、文書の単語等またはキーワードボタンに表示されている単語等のメタデータから、「指定されたユーザによる閲覧文書の単語等または閲覧文書のキーワードボタンに表示されている単語等から推奨関係にある文書」あるいは「指定されたユーザによる閲覧文書の単語等または閲覧文書のキーワードボタンに表示されている単語等から参照関係にある文書」の任意のまたは全ての文書を取得し、取得した文書の文書ＩＤをキーワードボタンのメタデータに記録し、該キーワードボタンは、該キーワードボタンが指定されたときに、「キーワードボタンのメタデータに記録されている単語等を検索キーワードとして複合検索手段または前記サーチエンジン手段に転送する」または「キーワードボタンのメタデータに記録されている文書を検索対象として複合検索手段または前記サーチエンジン手段に転送する」のいずれかの動作を行うように設定することを特徴とする情報処理装置。
【請求項３０】
請求項１乃至９のいずれかに記載の情報処理装置において、
少なくとも文書の閲覧に関する操作を受け付け、閲覧文書を表示する文書ＵＩ装置を備え、
前記文書ＵＩ装置は、指定された閲覧文書に関連文書リストまたはリファレンスボタンまたはキーワードボタンを付加して表示し、ユーザの選択状況により、下記のいずれかの動作を行うことを特徴とする情報処理装置。
（Ａ）閲覧文書の単語等が選択されると、選択された単語等を前記サーチエンジン手段に転送し、返信された検索結果からユーザに所望の文書を選択させる。
（Ｂ）閲覧文書に付加された関連文書リストから所望の文書を選択させる。
（Ｃ）閲覧文書に付加されたリファレンスボタンが選択されると、選択されたリファレンスボタンに対応する関連文書リストを表示し、表示された関連文書リストからユーザに所望の文書を選択させる。
（Ｄ）閲覧文書に付加されたキーワードボタンが選択されると、該キーワードボタンに表示されている単語等を前記複合検索手段または前記サーチエンジン手段に転送し、返信された検索結果リストからユーザに所望の文書を選択させる。
【請求項３１】
請求項１０乃至１５のいずれかに記載の情報処理装置において、
前記メタデータ管理手段から転送された関連文書リストに対応した広告コンテンツを選択、付加して前記文書ＵＩ装置へ転送する広告コンテンツ管理手段を備え、
前記メタデータ管理手段は、閲覧文書の共有関連文書リストまたは自己関連文書リストを生成または更新するとともに、該共有関連文書リストまたは該自己関連文書リストを前記広告コンテンツ管理手段に転送し、
前記広告コンテンツ管理手段は、前記メタデータ管理手段から転送された共有関連文書リストまたは自己関連文書リストに対応した広告コンテンツを選択し、共有関連文書リストまたは自己関連文書リストに付加して前記文書ＵＩ装置に転送し、
前記文書ＵＩ装置は、前記広告コンテンツ管理手段から転送された該閲覧文書に関する共有関連文書リストまたは自己関連文書リストと広告コンテンツを表示することを特徴とする情報処理装置。
【請求項３２】
請求項２６乃至３０のいずれかに記載の情報処理装置において、
前記メタデータ管理手段から転送されたキーワードボタンに対応した広告コンテンツを選択、付加して前記文書ＵＩ装置へ転送する広告コンテンツ管理手段を備え、
前記メタデータ管理手段は、閲覧文書のキーワードボタンを生成または更新するとともに、該キーワードボタンを前記広告コンテンツ管理手段に転送し、
前記広告コンテンツ管理手段は、前記メタデータ管理手段から転送されたキーワードボタンに対応した広告コンテンツを選択し、該キーワードボタンに付加して、前記文書ＵＩ装置に転送し、
前記文書ＵＩ装置は、前記広告コンテンツ管理手段から転送された該閲覧文書に関するキーワードボタンと広告コンテンツを表示することを特徴とする情報処理装置。
【発明の詳細な説明】
【技術分野】
【０００１】
本発明は、情報処理装置に関し、文書間の参照関係情報を取得・管理して、ユーザの閲覧中の文書に関する適切な参考文書を提供する情報検索技術に関す。
【背景技術】
【０００２】
従来のシステムとして、協調フィルタリングによるＷｅｂ検索におれるリコメンデーションサービスにより、ユーザのアクセス履歴に基づいてＷｅｂ上のコンテンツをクラスタリングし、コンテンツ群の特徴を俯瞰的に提供しようとするものがある（例えば、特許文献１参照）。
【発明の概要】
【発明が解決しようとする課題】
【０００３】
しかしながら、上述した特許文献１のものは、単によく似た文書がリコメンデーションされるだけであり、その時にユーザが求めている情報ではないノイズが多く混入してしまう虞があった。
すなわち、ユーザが文書にアクセスしたアクセス履歴に基づいてコンテンツ分類を行っているため、不特定多数のユーザやユーザ自身が過去に参照した文書の閲覧ログを分析することについてまで考慮されたものではなかった。このため、参照文書と閲覧文書の関係を的確に把握しうるものではなかった。
【０００４】
本発明は、上述の実情を考慮してなされたものであって、情報検索システムを利用する不特定多数のユーザやユーザ自身が過去に参照した文書の閲覧ログを分析することによって、参照文書と閲覧文書の関係を的確に把握して、現在閲覧中の文書に対する適切な参照文書を提供できる情報処理装置を提供することを目的とする。
【課題を解決するための手段】
【０００５】
上記課題を解決するために、本発明は、第１の電子文書とその関連文書リストを表示し、関連文書リストから選択された第２の電子文書を表示することで、前記第１の電子文書から前記第２の文書を導く文書検索手段と、前記文書検索手段から、前記第１の電子文書の特定情報、及び前記第２の電子文書の特定情報を得て、これらを構成要素としたコンテクストを作成するコンテクスト作成手段と、前記第１の電子文書の特定情報、及び前記第２の電子文書の特定情報を記憶するコンテクスト記憶手段を備え、文書検索手段は、第１の電子文書から第２の電子文書への参照関係が強いとき、第２の電子文書を「推奨」とする入力受付を行い、コンテクスト作成手段は、文書検索手段から、さらに「推奨」であることを特定する情報を得て、これらを構成要素としたコンテクストを作成し、コンテクスト記憶手段は、「推奨」であることを特定する情報を記憶することを特徴とする情報処理装置である。
【０００７】
本発明は、文書検索手段がユーザを特定する情報の取得を行い、コンテクスト作成手段が、文書検索手段から、さらにユーザを特定する情報を得て、これらを構成要素としたコンテクストを作成し、さらに、コンテクスト記憶手段が、ユーザを特定する情報を記憶することを特徴とする情報処理装置である。
【０００８】
本発明は、上述に記載のコンテクスト作成手段によって作成されたコンテクストを取得して、コンテクストの構成要素のうち、前記第１の電子文書の特定情報を参照元文書とし、前記第２の電子文書の特定情報を前記参照元文書に対応する参照先文書としたコンテクストをメタデータ記録部に記録するメタデータ管理手段を備えたことを特徴とする情報処理装置である。
【０００９】
本発明は、さらに、コンテクスト作成手段によって作成されたコンテクストを取得して、コンテクストの構成要素のうち、選択された特定の情報、選択されたキーワードボタン、等を参照元文書に関連する参照元文言としたコンテクストをメタデータ記録部に記録するメタデータ管理手段を備えたことを特徴とする情報処理装置である。
【００１０】
本発明は、さらに、コンテクスト作成手段によって作成されたコンテクストを取得して、コンテクストの構成要素のうち、「推奨」であることを特定する情報を付加したコンテクストをメタデータ記録部に記録するメタデータ管理手段を備えたことを特徴とする情報処理装置である。
【００１１】
本発明は、さらに、コンテクスト作成手段によって作成されたコンテクストを取得して、コンテクストの構成要素のうち、ユーザを特定する情報を付加したコンテクストをメタデータ記録部に記録するメタデータ管理手段を備えたことを特徴とする情報処理装置である。
【００１２】
本発明は、メタデータ記録部を電子文書ごとに構成し、コンテクスト作成手段によって作成されたコンテクストを取得して、参照元電子文書のメタデータ記録部に記録すること、また必要に応じて参照先電子文書のメタデータ記録部に記録することを特徴とするメタデータ管理手段を備えた情報処理装置である。
【００１３】
本発明は、電子文書は分類されて電子文書フォルダに管理されている。メタデータ記録部を電子文書フォルダごとに構成し、コンテクスト作成手段によって作成されたコンテクストを取得して、参照元電子文書フォルダのメタデータ記録部に記録すること、また必要に応じて参照先電子文書フォルダのメタデータ記録部に記録することを特徴とするメタデータ管理手段を備えた情報処理装置である。
【００１４】
本発明は、コンテクストを統合的に記録する統合メタデータ記録部を構成し、コンテクスト作成手段によって作成されたコンテクストを取得して、統合メタデータ記録部に記録することを特徴とするメタデータ管理手段を備えた情報処理装置である。
【００１５】
本発明は、上述に記載の情報処理装置において、少なくとも文書の閲覧に関する操作を受け付け、閲覧文書を表示する文書ＵＩ装置を備え、前記文書ＵＩ装置は、閲覧文書の関連文書リストを前記メタデータ管理手段から取得して該閲覧文書に付加して表示し、該関連文書リストから所望の文書を選択して表示させ、前記メタデータ管理手段は、前記文書ＵＩ装置から閲覧文書の関連文書リストの転送要求があると、「閲覧文書のメタデータ」または「統合コンテクストメタデータ」から、「閲覧文書から方向性のある推奨関係にある文書」、「閲覧文書と推奨関係にある文書」、「閲覧文書から方向性のある参照関係にある文書」、あるいは、「閲覧文書と参照関係にある文書」の任意のまたは全ての文書概要情報または文書ＩＤを取得し、取得した文書の情報から閲覧文書の関連文書リストを生成または更新するとともに、該閲覧文書の関連文書リストを前記文書ＵＩ装置に転送することを特徴とする情報処理装置である。
【００１６】
本発明は、上述に記載の情報処理装置において、少なくとも文書の閲覧に関する操作を受け付け、閲覧文書を表示する文書ＵＩ装置を備え、前記文書ＵＩ装置は、閲覧文書のユーザによる関連文書リストを前記メタデータ管理手段から取得して該閲覧文書に付加して表示し、該関連文書リストから所望の文書を選択して表示させ、前記メタデータ管理手段は、前記文書ＵＩ装置から閲覧文書のユーザによる関連文書リストの転送要求があると、「閲覧文書のメタデータ」または「統合コンテクストメタデータ」から、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、あるいは、「前記ユーザによる閲覧文書と参照関係にある文書」の任意のまたは全ての文書概要情報または文書ＩＤを取得し、取得した文書の情報から閲覧文書の関連文書リストを生成または更新するとともに、該閲覧文書の関連文書リストを前記文書ＵＩ装置に転送することを特徴とする情報処理装置である。
【００１７】
本発明は、上述に記載の情報処理装置において、少なくとも文書の閲覧に関する操作を受け付け、閲覧文書を表示する文書ＵＩ装置を備え、前記文書ＵＩ装置は、閲覧文書の関連文書リストを前記メタデータ管理手段から取得して該閲覧文書に付加して表示し、該関連文書リストから所望の文書を選択して表示させ、前記メタデータ管理手段は、前記文書ＵＩ装置から閲覧文書の関連文書リストの転送要求があると、「閲覧文書の文書フォルダのメタデータ」または「統合コンテクストメタデータ」から、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書概要情報または文書ＩＤを取得し、取得した文書の情報から閲覧文書の関連文書リストを生成または更新するとともに、該文書の関連文書リストを前記文書ＵＩ装置に転送することを特徴とする情報処理装置である。
【００１８】
本発明は、上述に記載の情報処理装置において、少なくとも文書の閲覧に関する操作を受け付け、閲覧文書を表示する文書ＵＩ装置を備え、前記文書ＵＩ装置は、閲覧文書のユーザによる関連文書リストを前記メタデータ管理手段から取得して該閲覧文書に付加して表示し、該関連文書リストから所望の文書を選択して表示させ、前記メタデータ管理手段は、前記文書ＵＩ装置から閲覧文書のユーザによる関連文書リストの転送要求があると、「閲覧文書の文書フォルダのメタデータ」または「統合コンテクストメタデータ」から、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書概要情報または文書ＩＤを取得し、取得した文書の情報から閲覧文書の関連文書リストを生成または更新するとともに、該閲覧文書の関連文書リストを前記文書ＵＩ装置に転送することを特徴とする情報処理装置である。
【００１９】
本発明は、上述に記載の情報処理装置において、前記文書ＵＩ装置は、閲覧文書に付加したリファレンスボタンが選択されると、該閲覧文書の関連文書リストを表示して所望の文書を選択させて表示することを特徴とする情報処理装置である。
【００２０】
本発明は、上述に記載の情報処理装置において、少なくとも文書の閲覧に関する操作を受け付け、閲覧文書を表示する文書ＵＩ装置を備え、前記文書ＵＩ装置は、前記メタデータ管理手段から閲覧文書のリファレンスボタンと関連文書リストを取得し、「共有リファレンスボタン」と「自己リファレンスボタン」のいずれかのリファレンスボタンが選択されると、「共有リファレンスボタン」が選択された場合には共有関連文書リストを、あるいは、「自己リファレンスボタン」が選択された場合には自己関連文書リストを表示し、表示された共有関連文書リストまたは自己関連文書リストから所望の文書を選択させ、前記メタデータ管理手段は、前記文書ＵＩ装置から閲覧文書のリファレンスボタンと関連文書リストの転送要求があると、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書概要情報または文書ＩＤを取得し、取得した文書の情報から閲覧文書の共有関連文書リストを生成または更新し、さらに、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、「前記ユーザによる閲覧文書と参照関係にある文書」、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書概要情報または文書ＩＤを取得し、取得した文書の情報から閲覧文書の自己関連文書リストを生成または更新し、「共有関連文書リスト」と「自己関連文書リスト」を前記文書ＵＩ装置に転送することを特徴とする情報処理装置である。
【００２１】
本発明は、上述に記載の情報処理装置において、少なくとも文書の閲覧に関する操作を受け付け、閲覧文書を表示する文書ＵＩ装置を備え、単語等と前記メタデータ管理手段から転送された文書ＩＤにより検索を行って、検索結果を前記文書ＵＩ装置へ返信する複合検索手段を備え、前記文書ＵＩ装置は、閲覧文書の単語等が選択されて、「共有リファレンス検索」が選択されると、閲覧文書ＩＤと「共有リファレンス検索ＩＤ」と単語等を前記メタデータ管理手段に転送し、前記メタデータ管理手段は、前記文書ＵＩ装置から閲覧文書ＩＤと「共有リファレンス検索ＩＤ」と単語等が転送されると、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書ＩＤを取得し、取得した文書ＩＤと単語等を前記複合検索手段に転送することを特徴とする情報処理装置である。
【００２２】
本発明は、上述に記載の情報処理装置において、少なくとも文書の閲覧に関する操作を受け付け、閲覧文書を表示する文書ＵＩ装置を備え、単語等と前記メタデータ管理手段から転送された文書ＩＤにより検索を行って、検索結果を前記文書ＵＩ装置へ返信する複合検索手段を備え、前記文書ＵＩ装置は、閲覧文書の単語等が選択され、「自己リファレンス検索」が選択されると、ユーザＩＤと閲覧文書ＩＤと「自己リファレンス検索ＩＤ」と単語等を前記メタデータ管理手段に転送し、前記メタデータ管理手段は、前記文書ＵＩ装置からユーザＩＤと閲覧文書ＩＤと「自己リファレンス検索ＩＤ」と単語等が転送されると、「閲覧文書のメタデータ」、「閲覧文書の文書フォルダのメタデータ」または「統合コンテクストメタデータ」から、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、「閲覧文書と参照関係にある文書」、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書ＩＤを取得し、取得した文書ＩＤと単語等を前記複合検索手段に転送することを特徴とする情報処理装置である。
【００２３】
本発明は、上述に記載の情報処理装置において、少なくとも文書の閲覧に関する操作を受け付け、閲覧文書を表示する文書ＵＩ装置を備え、単語等と前記メタデータ管理手段から転送された文書ＩＤにより検索を行って、検索結果を前記文書ＵＩ装置へ返信する複合検索手段を備え、前記文書ＵＩ装置は、閲覧文書の単語等が選択され、「単語等からの共有リファレンス検索」が選択されると、「単語等からの共有リファレンス検索ＩＤ」と単語等を前記メタデータ管理手段に転送し、前記メタデータ管理手段は、前記文書ＵＩ装置から「単語等からの共有リファレンス検索ＩＤ」と単語等が転送されると、「閲覧文書の単語等またはキーワードボタンに表示されている単語等のメタデータ」、「文書に共通な単語等のメタデータ」または「統合コンテクストメタデータ」から、「閲覧文書の単語等または閲覧文書のキーワードボタンに表示されている単語等から推奨関係にある文書」、「単語等（文書に共通）から推奨関係にある文書」、「閲覧文書の単語等または閲覧文書のキーワードボタンに表示されている単語等から参照関係にある文書」、あるいは、「単語等（文書に共通）から参照関係にある文書」の任意のまたは全ての文書ＩＤを取得し、取得した文書ＩＤと単語等を前記複合検索手段に転送することを特徴とする情報処理装置である。
【００２４】
本発明は、上述に記載の情報処理装置において、少なくとも文書の閲覧に関する操作を受け付け、閲覧文書を表示する文書ＵＩ装置を備え、単語等と前記メタデータ管理手段から転送された文書ＩＤにより検索を行って、検索結果を前記文書ＵＩ装置へ返信する複合検索手段を備え、前記文書ＵＩ装置は、閲覧文書の単語等が選択され、「単語等からの自己リファレンス検索」が選択されると、ユーザＩＤと閲覧文書ＩＤと「単語等からの自己リファレンス検索ＩＤ」と単語等を前記メタデータ管理手段に転送し、前記メタデータ管理手段は、前記文書ＵＩ装置からユーザＩＤと「単語等からの自己リファレンス検索ＩＤ」と単語等が転送されると、「閲覧文書の単語等またはキーワードボタンに表示されている単語等のメタデータ」、「文書に共通な単語等のメタデータ」または「統合コンテクストメタデータ」から、「前記ユーザによる閲覧文書の単語等または閲覧文書のキーワードボタンに表示されている単語等から推奨関係にある文書」、「前記ユーザによる単語等から推奨関係にある文書、「前記ユーザによる閲覧文書の単語等または閲覧文書のキーワードボタンに表示されている単語等から参照関係にある文書」、あるいは、「前記ユーザによる単語等から参照関係にある文書」の任意のまたは全ての文書ＩＤを取得し、取得した文書ＩＤと単語等を前記複合検索手段に転送することを特徴とする情報処理装置である。
【００２５】
本発明は、上述に記載の情報処理装置において、少なくとも文書の閲覧に関する操作を受け付け、閲覧文書を表示する文書ＵＩ装置を備え、単語等と前記メタデータ管理手段から転送された文書ＩＤにより検索を行って、検索結果を前記文書ＵＩ装置へ返信する複合検索手段を備え、前記文書ＵＩ装置は、閲覧文書の単語等が選択され、「共有リファレンス検索」、「単語等からの共有リファレンス検索」、「自己リファレンス検索」、あるいは、「単語等からの自己リファレンス検索」の任意の組み合わせのサービスメニューからサービスが選択されると、選択されたサービスに応じて、サービスの区別と、ユーザＩＤ、閲覧文書ＩＤ、単語等から必要な情報を前記メタデータ管理手段に転送し、前記メタデータ管理手段は、前記文書ＵＩ装置からサービスの区別と、ユーザＩＤ、閲覧文書ＩＤ、単語等のうち該区分に応じた必要な情報が転送されると、「閲覧文書の単語等またはキーワードボタンに表示されている単語等のメタデータ」、「文書に共通な単語等のメタデータ」、または「統合コンテクストメタデータ」から、「閲覧文書の単語等または閲覧文書のキーワードボタンに表示されている単語等から推奨関係にある文書」、「単語等（文書に共通）から推奨関係にある文書」、「閲覧文書の単語等または閲覧文書のキーワードボタンに表示されている単語等から参照関係にある文書」、「単語等（文書に共通）から参照関係にある文書」、「前記ユーザによる閲覧文書の単語等または閲覧文書のキーワードボタンに表示されている単語等から推奨関係にある文書」、「前記ユーザによる単語等から推奨関係にある文書」、「前記ユーザによる閲覧文書の単語等または閲覧文書のキーワードボタンに表示されている単語等から参照関係にある文書」、「前記ユーザによる単語等から参照関係にある文書」の任意のまたは全ての文書ＩＤを取得し、さらに、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、「閲覧文書の文書フォルダの文書と参照関係にある文書」、「ユーザによる閲覧文書から方向性のある推奨関係にある文書」、「ユーザによる閲覧文書と推奨関係にある文書」、「ユーザによる閲覧文書から方向性のある参照関係にある文書」、「ユーザによる閲覧文書と参照関係にある文書」、「ユーザによる閲覧文書の単語等または閲覧文書のキーワードボタンに表示されている単語等から推奨関係にある文書」、「ユーザによる単語等から推奨関係にある文書」、「ユーザによる閲覧文書の単語等または閲覧文書のキーワードボタンに表示されている単語等から参照関係にある文書」、「ユーザによる単語等から参照関係にある文書」の任意のまたは全ての文書ＩＤを取得し、取得した文書ＩＤと単語等を前記複合検索手段に転送することを特徴とする情報処理装置である。
【００２６】
本発明は、上述に記載の情報処理装置において、少なくとも文書の閲覧に関する操作を受け付け、閲覧文書を表示する文書ＵＩ装置を備え、閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、前記文書ＵＩ装置は、閲覧文書の単語等が選択され、「共有リファレンス検索」が選択されると、選択された単語等をサーチエンジン手段に転送するとともに、閲覧文書ＩＤと「共有リファレンス検索ＩＤ」を前記メタデータ管理手段に転送し、前記フィルタリング手段から絞り込まれた検索結果が転送されると、該検索結果を表示し、前記メタデータ管理手段は、前記文書ＵＩ装置から閲覧文書ＩＤと「共有リファレンス検索ＩＤ」が転送されると、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書ＩＤを取得し、取得した文書ＩＤを前記フィルタリング手段に転送し、前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置である。
【００２７】
本発明は、上述に記載の情報処理装置において、少なくとも文書の閲覧に関する操作を受け付け、閲覧文書を表示する文書ＵＩ装置を備え、閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、前記文書ＵＩ装置は、閲覧文書の単語等が選択され、「自己リファレンス検索」が選択されると、選択された単語等を前記サーチエンジン手段に転送するとともに、ユーザＩＤと閲覧文書ＩＤと「自己リファレンス検索ＩＤ」と単語等を前記メタデータ管理手段に転送し、前記フィルタリング手段から検索結果が転送されると、該検索結果を表示し、前記メタデータ管理手段は、前記文書ＵＩ装置からユーザＩＤと閲覧文書ＩＤと「自己リファレンス検索ＩＤ」と単語等が転送されると、「閲覧文書のメタデータ」、「閲覧文書の文書フォルダのメタデータ」または「統合コンテクストメタデータ」から、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、「前記ユーザによる閲覧文書と参照関係にある文書」、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書ＩＤを取得し、取得した文書ＩＤを前記フィルタリング手段に転送し、前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置である。
【００２８】
本発明は、上述に記載の情報処理装置において、少なくとも文書の閲覧に関する操作を受け付け、閲覧文書を表示する文書ＵＩ装置を備え、閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、前記文書ＵＩ装置は、閲覧文書の単語等が選択され、「単語等からの共有リファレンス検索」が選択されると、選択された単語等を前記サーチエンジン手段に転送するとともに、選択された単語等と「単語等からの共有リファレンス検索ＩＤ」を前記メタデータ管理手段に転送し、前記フィルタリング手段から検索結果が転送されると、該検索結果を表示し、前記メタデータ管理手段は、前記文書ＵＩ装置から「単語等からの共有リファレンス検索ＩＤ」と単語等が転送されると、「文書の単語等またはキーワードボタンに表示されている単語等のメタデータ」、「文書に共通な単語等のメタデータ」または「統合コンテクストメタデータ」から、「閲覧文書の単語等または閲覧文書のキーワードボタンに表示されている単語等から推奨関係にある文書」、「単語等（文書に共通）から推奨関係にある文書」、「閲覧文書の単語等または閲覧文書のキーワードボタンに表示されている単語等から参照関係にある文書」、あるいは、「単語等（文書に共通）から参照関係にある文書」の任意のまたは全ての文書ＩＤを取得し、取得した文書ＩＤを前記フィルタリング手段に転送し、前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置である。
【００２９】
本発明は、上述に記載の情報処理装置において、少なくとも文書の閲覧に関する操作を受け付け、閲覧文書を表示する文書ＵＩ装置を備え、閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、前記文書ＵＩ装置は、閲覧文書の単語等が選択され、「単語等からの自己リファレンス検索」が選択されると、選択された単語等を前記サーチエンジン手段に転送するとともに、ユーザＩＤと閲覧文書ＩＤと「単語等からの自己リファレンス検索ＩＤ」と単語等を前記メタデータ管理手段に転送し、前記フィルタリング手段から検索結果が転送されると、該検索結果を表示し、前記メタデータ管理手段は、前記文書ＵＩ装置からユーザＩＤと閲覧文書ＩＤと「単語等からの自己リファレンス検索ＩＤ」と単語等が転送されると、「文書の単語等またはキーワードボタンに表示されている単語等のメタデータ」、「文書に共通な単語等のメタデータ」または「統合コンテクストメタデータ」から、「前記ユーザによる閲覧文書の単語等または閲覧文書のキーワードボタンに表示されている単語等から推奨関係にある文書」、「前記ユーザによる単語等から推奨関係にある文書」、「前記ユーザによる閲覧文書の単語等または閲覧文書のキーワードボタンに表示されている単語等から参照関係にある文書」、あるいは、「前記ユーザによる単語等から参照関係にある文書」の任意のまたは全ての文書ＩＤを取得し、取得した文書ＩＤを前記フィルタリング手段に転送し、前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置である。
【００３０】
本発明は、上述に記載の情報処理装置において、少なくとも文書の閲覧に関する操作を受け付け、閲覧文書を表示する文書ＵＩ装置を備え、閲覧文書中の単語等をキーワードとして、Ｗｅｂコンテンツや文書管理装置で管理された文書を検索した検索結果をサーチエンジン手段から転送を受け、該検索結果を前記メタデータ管理手段から転送された文書ＩＤにより絞り込みを行って、該絞込み結果を前記文書ＵＩ装置へ返信するフィルタリング手段を備え、前記文書ＵＩ装置は、閲覧文書の単語等が選択され、「共有リファレンス検索」、「単語等からの共有リファレンス検索」、「自己リファレンス検索」、あるいは、「単語等からの自己リファレンス検索」の任意の組み合わせのサービスメニューからサービスが選択されると、選択されたサービスに応じて、サービスの区別、ユーザＩＤ、閲覧文書ＩＤ、単語等から必要な情報を前記メタデータ管理手段に転送するとともに、単語等を前記サーチエンジン手段に転送し、前記メタデータ管理手段は、前記文書ＵＩ装置からサービスの区別と、ユーザＩＤ、閲覧文書ＩＤ、単語等のうち該区分に応じた必要な情報が転送されると、「閲覧文書の単語等またはキーワードボタンに表示されている単語等のメタデータ」、「文書に共通な単語等のメタデータ」、または「統合コンテクストメタデータ」から、「閲覧文書の単語等または閲覧文書のキーワードボタンに表示されている単語等から推奨関係にある文書」、「単語等（文書に共通）から推奨関係にある文書」、「閲覧文書の単語等または閲覧文書のキーワードボタンに表示されている単語等から参照関係にある文書」、「単語等（文書に共通）から参照関係にある文書」、「前記ユーザによる閲覧文書の単語等または閲覧文書のキーワードボタンに表示されている単語等から推奨関係にある文書」、「前記ユーザによる単語等から推奨関係にある文書」、「前記ユーザによる閲覧文書の単語等または閲覧文書のキーワードボタンに表示されている単語等から参照関係にある文書」、「前記ユーザによる単語等から参照関係にある文書」の任意のまたは全ての文書ＩＤを取得し、さらに、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、「閲覧文書の文書フォルダの文書と参照関係にある文書」、「ユーザによる閲覧文書から方向性のある推奨関係にある文書」、「ユーザによる閲覧文書と推奨関係にある文書」、「ユーザによる閲覧文書から方向性のある参照関係にある文書」、「ユーザによる閲覧文書と参照関係にある文書」、「ユーザによる閲覧文書の単語等または閲覧文書のキーワードボタンに表示されている単語等から推奨関係にある文書」、「ユーザによる単語等から推奨関係にある文書」、「ユーザによる閲覧文書の単語等または閲覧文書のキーワードボタンに表示されている単語等から参照関係にある文書」、「ユーザによる単語等から参照関係にある文書」の任意のまたは全ての文書ＩＤを取得し、取得した文書ＩＤを前記フィルタリング手段へ転送し、前記フィルタリング手段は、前記サーチエンジン手段から転送された検索結果の文書ＩＤと前記メタデータ管理手段から転送された文書ＩＤを比較し、一致した文書ＩＤのみの検索結果を前記文書ＵＩ装置に転送することを特徴とする情報処理装置である。
【００３１】
本発明は、上述に記載の情報処理装置において、少なくとも文書の閲覧に関する操作を受け付け、閲覧文書を表示する文書ＵＩ装置を備え、前記文書ＵＩ装置は、指定された閲覧文書を表示するときに、前記メタデータ管理手段に該閲覧文書のキーワードボタンを要求して、返信されたキーワードボタンを前記閲覧文書の近傍に表示し、該キーワードボタンから選択されたボタンに表示されている単語等と該キーワードボタンにより特定される文書ＩＤとを前記複合検索手段または前記サーチエンジン手段に転送して検索させ、前記メタデータ管理手段は、「閲覧文書の単語等または閲覧文書のキーワードボタンに表示されている単語等から推奨関係にある文書」あるいは「閲覧文書の単語等または閲覧文書のキーワードボタンに表示されている単語等から参照関係にある文書」のメタデータから任意のまたは全てのキーワードボタンのために単語等とそれによって特定される文書の文書ＩＤを取得し、表示するための単語等と該単語等のメタデータからキーワードボタンを、キーワードボタンが指定されたときに、「単語等を検索キーワードとして前記複合検索手段または前記サーチエンジン手段に転送する」または「単語等のメタデータから特定される文書の文書ＩＤを検索対象として前記複合検索手段または前記サーチエンジン手段に転送する」のいずれかの動作を行うように設定し、該キーワードボタンを前記文書ＵＩ装置に転送することを特徴とする情報処理装置である。
【００３２】
本発明は、上述に記載の情報処理装置において、少なくとも文書の閲覧に関する操作を受け付け、閲覧文書を表示する文書ＵＩ装置を備え、前記文書ＵＩ装置は、指定した閲覧文書を表示するときに、前記メタデータ管理手段にユーザＩＤと該閲覧文書のキーワードボタンの要求とを転送し、返信されたキーワードボタンを閲覧文書の近傍に表示し、該キーワードボタンから選択されたボタンに表示された単語等と該キーワードボタンにより特定される文書ＩＤとを前記複合検索手段または前記サーチエンジン手段に転送して検索させ、前記メタデータ管理手段は、「指定されたユーザによる閲覧文書の単語等または閲覧文書のキーワードボタンに表示されている単語等から推奨関係にある文書」あるいは「指定されたユーザによる閲覧文書の単語等または閲覧文書のキーワードボタンに表示されている単語等から参照関係にある文書」のメタデータから任意のまたは全てのキーワードボタンのための単語等と特定される文書の文書ＩＤを取得し、表示するための単語等と該単語等のメタデータからキーワードボタンを、該キーワードボタンが指定されたときに、「単語等を検索キーワードとして前記サーチエンジン手段に転送する」あるいは「単語等のメタデータから特定される文書の文書ＩＤを検索対象として前記複合検索手段または前記サーチエンジン手段に転送する」のいずれかの動作を行うように設定し、該キーワードボタンを前記文書ＵＩ装置に転送することを特徴とする情報処理装置である。
【００３３】
本発明は、上述に記載の情報処理装置において、少なくとも文書の閲覧に関する操作を受け付け、閲覧文書を表示する文書ＵＩ装置を備え、前記文書ＵＩ装置は、指定された閲覧文書を表示するときに、予め作成されているキーワードボタンの中から該閲覧文書のキーワードボタンを前記メタデータ管理手段に要求し、返信されたキーワードボタンを前記閲覧文書の近傍に表示し、選択されたキーワードボタンに表示されている単語等と該キーワードボタンにより特定される文書ＩＤとを前記複合検索手段または前記サーチエンジン手段に転送して検索させ、前記メタデータ管理手段は、文書の単語等またはキーワードボタンに表示されている単語等のメタデータから、「閲覧文書の単語等または閲覧文書のキーワードボタンに表示されている単語等から推奨関係にある文書」あるいは「閲覧文書の単語等または閲覧文書のキーワードボタンに表示されている単語等から参照関係にある文書」の任意のまたは全ての文書を取得し、取得した文書のＩＤと単語等をキーワードボタンのメタデータに記録し、該キーワードボタンが指定されたときに、「単語等を検索キーワードとして前記複合検索手段または前記サーチエンジン手段に転送する」または「単語等のメタデータから特定される文書の文書ＩＤを検索対象として複合検索手段または前記サーチエンジン手段に転送する」のいずれかの動作を行うように設定することを特徴とする情報処理装置である。
【００３４】
本発明は、上述に記載の情報処理装置において、少なくとも文書の閲覧に関する操作を受け付け、閲覧文書を表示する文書ＵＩ装置を備え、前記文書ＵＩ装置は、指定された閲覧文書を表示するときに、予め作成されているユーザ毎のキーワードボタンの中から該閲覧文書のキーワードボタンを前記メタデータ管理手段に要求し、返信されたキーワードボタンを前記閲覧文書の近傍に表示し、該キーワードボタンから選択されたボタンに表示されている単語等と該キーワードボタンにより特定される文書ＩＤとを複合検索手段またはサーチエンジン手段に転送して検索させ、前記メタデータ管理手段は、文書のメタデータから単語等を取得し、キーワードボタンのメタデータに記録し、文書の単語等またはキーワードボタンに表示されている単語等のメタデータから、「指定されたユーザによる閲覧文書の単語等または閲覧文書のキーワードボタンに表示されている単語等から推奨関係にある文書」あるいは「指定されたユーザによる閲覧文書の単語等または閲覧文書のキーワードボタンに表示されている単語等から参照関係にある文書」の任意のまたは全ての文書を取得し、取得した文書の文書ＩＤをキーワードボタンのメタデータに記録し、該キーワードボタンは、該キーワードボタンが指定されたときに、「キーワードボタンのメタデータに記録されている単語等を検索キーワードとして複合検索手段または前記サーチエンジン手段に転送する」または「キーワードボタンのメタデータに記録されている文書を検索対象として複合検索手段または前記サーチエンジン手段に転送する」のいずれかの動作を行うように設定することを特徴とする情報処理装置である。
【００３５】
本発明は、上述に記載の情報処理装置において、少なくとも文書の閲覧に関する操作を受け付け、閲覧文書を表示する文書ＵＩ装置を備え、前記文書ＵＩ装置は、指定された閲覧文書に関連文書リストまたはリファレンスボタンまたはキーワードボタンを付加して表示し、ユーザの選択状況により、下記のいずれかの動作を行うことを特徴とする情報処理装置である。
（Ａ）閲覧文書の単語等が選択されると、選択された単語等を前記サーチエンジン手段に転送し、返信された検索結果からユーザに所望の文書を選択させる。
（Ｂ）閲覧文書に付加された関連文書リストから所望の文書を選択させる。
（Ｃ）閲覧文書に付加されたリファレンスボタンが選択されると、選択されたリファレンスボタンに対応する関連文書リストを表示し、表示された関連文書リストからユーザに所望の文書を選択させる。
（Ｄ）閲覧文書に付加されたキーワードボタンが選択されると、該キーワードボタンに表示されている単語等を前記複合検索手段または前記サーチエンジン手段に転送し、返信された検索結果リストからユーザに所望の文書を選択させる。
【００３６】
本発明は、上述に記載の情報処理装置において、前記メタデータ管理手段から転送された関連文書リストに対応した広告コンテンツを選択、付加して前記文書ＵＩ装置へ転送する広告コンテンツ管理手段を備え、前記メタデータ管理手段は、閲覧文書の共有関連文書リストまたは自己関連文書リストを生成または更新するとともに、該共有関連文書リストまたは該自己関連文書リストを前記広告コンテンツ管理手段に転送し、前記広告コンテンツ管理手段は、前記メタデータ管理手段から転送された共有関連文書リストまたは自己関連文書リストに対応した広告コンテンツを選択し、共有関連文書リストまたは自己関連文書リストに付加して前記文書ＵＩ装置に転送し、前記文書ＵＩ装置は、前記広告コンテンツ管理手段から転送された該閲覧文書に関する共有関連文書リストまたは自己関連文書リストと広告コンテンツを表示することを特徴とする情報処理装置である。
【００３７】
本発明は、上述に記載の情報処理装置において、前記メタデータ管理手段から転送されたキーワードボタンに対応した広告コンテンツを選択、付加して前記文書ＵＩ装置へ転送する広告コンテンツ管理手段を備え、前記メタデータ管理手段は、閲覧文書のキーワードボタンを生成または更新するとともに、該キーワードボタンを前記広告コンテンツ管理手段に転送し、前記広告コンテンツ管理手段は、前記メタデータ管理手段から転送されたキーワードボタンに対応した広告コンテンツを選択し、該キーワードボタンに付加して、前記文書ＵＩ装置に転送し、前記文書ＵＩ装置は、前記広告コンテンツ管理手段から転送された該閲覧文書に関するキーワードボタンと広告コンテンツを表示することを特徴とする情報処理装置である。
【発明の効果】
【００３８】
本発明によれば、情報検索システムを利用する不特定多数のユーザやユーザ自身が過去に参照した文書の閲覧ログを分析することによって、参照文書と閲覧文書の関係を的確に把握して、現在閲覧中の文書に対する適切な参照文書を提供することができる。
【図面の簡単な説明】
【００３９】
【図１】本発明の実施形態に係る情報提供システムの構成を示すブロック図である。
【図２】サービスメニューの表示例である。
【図３】本発明の実施形態に係る情報提供装置をクライアントサイトのユーザＰＣ上に構成したブロック図である。
【図４】本発明の実施形態に係る情報提供システムをＡＳＰサービスを利用して構成したブロック図である。
【図５】本発明の実施形態に係る情報提供システムをＷｅｂ検索サイトを利用して構成したブロック図である。
【図６】ユーザが文書を閲覧中に、その文書中の単語等から関連する文書を参照したときのメタデータを記録するときの処理動作を示すフローチャートである。
【図７】閲覧元文書と参照された文書の推奨関係にある文書として、メタデータを記録するときの処理動作を示すフローチャートである。
【図８】推奨ボタンの表示例である。
【図９】ユーザが文書を閲覧中に、その文書に関連する文書リストの中から文書を参照したときのメタデータを記録するときの処理動作を示すフローチャートである。
【図１０】閲覧文書に関連する文書リスト（関連文書リスト）の表示例である。
【図１１】閲覧元文書と文書リストの中から参照された文書を推奨関係にある文書として、メタデータを記録するときの処理動作を示すフローチャートである。
【図１２】キーワードボタンの表示例である。
【図１３】キーワードボタンを押すことによって得られた検索結果中から参照された文書として、メタデータを記録するときの処理動作を示すフローチャートである。
【図１４】キーワードボタンを押したときに閲覧していた文書と検索結果のうちの参照文書の推奨関係をメタデータとして記録するときの処理動作を示すフローチャートである。
【図１５】メタデータＤＢに記録されるコンテクストのデータ構造例である。
【図１６】文書Ｄ１、Ｄ２のメタデータの例である。
【図１７】参照関係が発生したときの発生回数で表したメタデータの例である。
【図１８】１つの参照関係のコンテクストから、閲覧文書の単語等のメタデータ、文書に共通な単語等のメタデータ、参照文書のメタデータを生成したときの例である。
【図１９】文書がカテゴリ分けされた文書フォルダに記録されている場合、メタデータＤＢに記録されるコンテクストのデータ構造例である。
【図２０】メタデータＤＢに記録された、文書フォルダＦ１のメタデータと文書Ｄ２のメタデータの例である。
【図２１】メタデータＤＢに記録された、閲覧文書の文書フォルダＦ１のメタデータと参照文書の文書フォルダＦ２のメタデータの例である。
【図２２】関連文書リストを表示する処理を説明するフローチャートである。
【図２３】リファレンスボタン表示要求によってリファレンスボタンと関連文書リストを取得する処理を説明するフローチャートである。
【図２４】押されたリファレンスボタンに応じた関連文書リストを取得する処理を説明するためのフローチャートである。
【図２５】共有リファレンスボタンと自己リファレンスボタンを取得して表示する処理を説明するためのフローチャートである。
【図２６】コンテクストのタイプごとに設定されたポイントテーブルの例である。
【図２７】総合ポイントテーブルの例である。
【図２８】複合検索手段をクライアントサイトに備えた本実施形態に係る情報提供システムの構成を示すブロック図である。
【図２９】複合検索手段をユーザＰＣ上に備えた本実施形態に係る情報提供装置の構成を示すブロック図である。
【図３０】複合検索手段をＡＳＰサイトに備えた本実施形態に係る情報提供システムの構成を示すブロック図である。
【図３１】複合検索手段をＷｅｂ検索サイトに備えた本実施形態に係る情報提供システムの構成を示すブロック図である。
【図３２】共有／自己リファレンス検索によって関連文書リストを取得する処理を説明するためのフローチャートである。
【図３３】フィルタリング手段をクライアントサイトに備えた本実施形態に係る情報提供システムの構成を示すブロック図である。
【図３４】フィルタリング手段をクライアントサイトのユーザＰＣ上に備えた本実施形態に係る情報提供装置の構成を示すブロック図である。
【図３５】フィルタリング手段をＡＳＰサイトに備えた本実施形態に係る情報提供システムの構成を示すブロック図である。
【図３６】フィルタリング手段をＷｅｂ検索サイトに備えた本実施形態に係る情報提供システムの構成を示すブロック図である。
【図３７】クライアントサイトでフィルタリングして関連文書リストを取得する処理を説明するためのフローチャートである。
【図３８】オンデマンドに共用プッシュキーワードを生成・表示する処理手順を説明するためのフローチャートである。
【図３９】表示されたキーワードボタンに対して、複合検索手段を用いて検索した参照文書を表示する処理を説明するためのフローチャートである。
【図４０】表示されたキーワードボタンに対して、フィルタリング手段を用いてフィルタリングした参照文書を表示する処理を説明するためのフローチャートである。
【図４１】共用プッシュキーワードを予めすべて生成する処理を説明するためのフローチャートである。
【図４２】予め作成しておいたキーワードボタンを取得し、その中から選択されたキーワードボタンに対して、複合検索手段を用いて検索した参照文書を表示する処理を説明するためのフローチャートである。
【図４３】予め作成しておいたキーワードボタンを取得し、その中から選択されたキーワードボタンに対して、フィルタリング手段を用いてフィルタリングした参照文書を表示する処理を説明するためのフローチャートである。
【図４４】サービスメニュー、関連文書リストおよびキーワードボタンの表示例である。
【図４５】広告管理サーバをＡＳＰサイトに備えた本実施形態に係る情報提供システムの構成を示すブロック図である。
【図４６】広告管理サーバをＷｅｂ検索サイトに備えた本実施形態に係る情報提供システムの他の構成を示すブロック図である。
【図４７】関連文書リストに対応した広告コンテンツを閲覧文書に付加する処理について説明するためのフローチャートである。
【図４８】コンテクスト文書管理サーバと広告管理サーバをＡＳＰサイトに備えた本実施形態に係る情報提供システムの構成を示すブロック図である。
【図４９】コンテクスト文書管理サーバと広告管理サーバをＷｅｂ検索サイトに備えた本実施形態に係る情報提供システムの構成を示すブロック図である。
【図５０】キーワードボタンに対応した広告コンテンツを閲覧文書に付加する処理について説明するためのフローチャートである。
【図５１】本発明の実施形態と従来技術とのコンテクスト概念の差異を説明する図である。
【図５２】本発明の実施形態における文書間の参照および推奨動作を説明する図である。
【図５３】本発明の実施形態と従来技術とのコンテクスト活用方法の差異を説明する図である。
【発明を実施するための形態】
【００４０】
以下、図面を参照して本発明に係る情報処理装置を用いた情報提供システム、情報提供装置、文書ユーザインタフェース装置およびメタデータ管理装置の好適な実施形態について詳細に説明する。まず、本明細書で使用する用語について説明する。
【００４１】
（１）単語等
単語等とは、単語(単純語、複合語、派生語)、文節、文等を含み、検索のキーワードとして使用できる単位の概念である。
（２）コンテクスト
コンテクストとは、例えばユーザＰ１が閲覧文書Ｄ１を閲覧中に検索等の作業を行う際に、必要とする参照文書Ｄ２を参照するなど、文書の閲覧や参照として行われた動作の一連の経緯（履歴）のことである。
【００４２】
（３）参照
閲覧文書（第１の電子文書）Ｄ１の単語等ｄ１をキーワードとして検索し、検索結果リストから参照文書（第２の電子文書）Ｄ２を選択表示した時に、閲覧文書Ｄ１または閲覧文書Ｄ１の単語等ｄ１から参照文書Ｄ２を「参照した」とする。本発明では、すべてのユーザに共通の参照関係と、特定のユーザにおける参照関係を次のように分類する。
【００４３】
ユーザ共通の参照関係
Ａ.閲覧文書Ｄｉ→参照文書Ｄｊの推奨関係：
文書Ｄｉを閲覧中に文書Ｄｊを参照し、この文書Ｄｊが推奨されるべきものと指定されたことを示している。
Ｂ.単語等ｄｉ→参照文書Ｄｊの推奨関係：
単語等ｄｉで検索された結果の中で文書Ｄｊが推奨されるべきものと指定されたことを示している。
Ｃ.閲覧文書Ｄｉ→参照文書Ｄｊの参照関係：
文書Ｄｉを閲覧中に文書Ｄｊが参照されたことを示している。
Ｄ.単語等ｄｉ→参照文書Ｄｊの参照関係：
単語等ｄｉで検索された結果の中で文書Ｄｊが参照されたことを示している。
【００４４】
特定のユーザにおける参照関係
この場合にもユーザＰｉにとって、上記と同様な参照関係を有するものとする。
ａ.ユーザＰｉによる閲覧文書Ｄｉ→参照文書Ｄｊの推奨関係、
ｂ.ユーザＰｉによる単語等ｄｉ→参照文書Ｄｊの推奨関係、
ｃ.ユーザＰｉによる閲覧文書Ｄｉ→参照文書Ｄｊの参照関係、
ｄ.ユーザＰｉによる単語等ｄｉ→参照文書Ｄｊの参照関係。
【００４５】
（４）推奨
推奨とは、参照の一種で強い参照関係のことである。例えば、ユーザＰ１が、閲覧文書Ｄ１の単語等ｄ１をキーワードとして検索し、検索結果リストから参照文書Ｄ２を選択表示し、閲覧文書Ｄ１または閲覧文書Ｄ１の単語等ｄ１から参照文書Ｄ２への参照関係が強いと評価した時に、「推奨ボタン」を操作してその参照関係を「強い」として記録する。
このように評価された閲覧文書Ｄ１と参照文書Ｄ２との参照関係、あるいは、閲覧文書
Ｄ１の単語等ｄ１から参照文書Ｄ２への参照関係を「推奨関係」と呼ぶ。
【００４６】
（５）メタデータ
メタデータとは、一般に、対象を説明する属性情報であって、対象が文書の場合には、著者名や分類、作成年月日等の作成時点の情報等のことであるが、本発明のメタデータは、累積したコンテクストを整理加工して、文書が作成された後、どのように活用されたかを示す再利用可能な情報（コンテクストメタデータ）のことである。
上記の８種類の参照関係Ａ〜Ｄ，ａ〜ｄに対して、下記のような５種類のメタデータＡ〜Ｅを記録する（詳細は後述する）。
【００４７】
Ａ．文書Ｄｉのメタデータ、
Ｂ．文書Ｄｉの単語等ｄｉまたはキーワードボタンに表示されている単語等ｄｉのメタデータ、
Ｃ．文書に共通な単語等ｄｉに関連したメタデータ、
Ｄ．文書フォルダＦｉのメタデータ、
Ｅ．統合コンテクストメタデータ。
【００４８】
（６）メタデータから特定される文書
上述の参照関係（Ａ〜Ｄ，ａ〜ｄ）を上述のメタデータ（Ａ〜Ｅ）として記録し、閲覧文書Ｄｉに対して、これらの記録から下記のような文書Ａ〜Ｌ、ａ〜ｌを特定し、提示する。また、文書Ｄ１を閲覧しているときに文書Ｄ２を常に参照している場合を「文書Ｄ１と文書Ｄ２は方向性のある参照関係にある」といい、文書Ｄ１を閲覧しているときに文書Ｄ２を参照していたり、また逆に文書Ｄ２を閲覧しているときに文書Ｄ１を参照していたり、また、文書Ｄ１と文書Ｄ２とが直接参照関係にない場合には「文書Ｄ１と文書Ｄ２とは方向性がない」という。
【００４９】
ユーザ共通の文書：
Ａ．閲覧文書Ｄｉから方向性のある推奨関係にある文書、
Ｂ．閲覧文書Ｄｉと推奨関係にある文書、
Ｃ．閲覧文書Ｄｉから方向性のある参照関係にある文書、
Ｄ．閲覧文書Ｄｉと参照関係にある文書、
Ｅ．閲覧文書Ｄｉの単語等ｄｉまたは閲覧文書ＤｉのキーワードボタンＫｉに表示されている単語等ｄｉから推奨関係にある文書、
Ｆ．単語等ｄｉ(文書に共通)から推奨関係にある文書、
Ｇ．閲覧文書Ｄｉの単語等ｄｉまたは閲覧文書ＤｉのキーワードボタンＫｉに表示されている単語等ｄｉから参照関係にある文書、
Ｈ．単語等ｄｉ(文書に共通)から参照関係にある文書、
Ｉ．文書フォルダＦｉの文書から方向性のある推奨関係にある文書、
Ｊ．文書フォルダＦｉの文書と推奨関係にある文書、
Ｋ．文書フォルダＦｉの文書から方向性のある参照関係にある文書、
Ｌ．文書フォルダＦｉの文書と参照関係にある文書。
個人ユーザＰｉの文書：
ａ．ユーザＰｉによる閲覧文書Ｄｉから方向性のある推奨関係にある文書、
ｂ．ユーザＰｉによる閲覧文書Ｄｉと推奨関係にある文書、
ｃ．ユーザＰｉによる閲覧文書Ｄｉから方向性のある参照関係にある文書、
ｄ．ユーザＰｉによる閲覧文書Ｄｉと参照関係にある文書、
ｅ．ユーザＰｉによる閲覧文書Ｄｉの単語等ｄｉまたは閲覧文書ＤｉのキーワードボタンＫｉに表示されている単語等ｄｉから推奨関係にある文書、
ｆ．ユーザＰｉによる単語等ｄｉから推奨関係にある文書、
ｇ．ユーザＰｉによる閲覧文書Ｄｉの単語等ｄｉまたは閲覧文書ＤｉのキーワードボタンＫｉに表示されている単語等ｄｉから参照関係にある文書、
ｈ．ユーザＰｉによる単語等ｄｉから参照関係にある文書、
ｉ．ユーザＰｉによる文書フォルダＦｉの文書から方向性のある推奨関係にある文書、
ｊ．ユーザＰｉによる文書フォルダＦｉの文書と推奨関係にある文書、
ｋ．ユーザＰｉによる文書フォルダＦｉの文書から方向性のある参照関係にある文書、
ｌ．ユーザＰｉによる文書フォルダＦｉの文書と参照関係にある文書。
【００５０】
次に、本発明の実施形態におけるコンテクストと従来のコンテクストとの差異について、図５１を参照して説明する。
上述した特許文献１のものなど、図５１（ａ）に示す従来のコンテクストでは、ユーザＰｉ（ｉ＝１，２・・ｎ）が文書Ｄ（ｉ＝１，２・・ｎ）を見たという履歴情報がコンテクストとして認識される。
【００５１】
これに対し、本実施形態におけるコンテクストは、図５１（ｂ）に示すように、文書Ｄｊ（ｊ＝１，２・・ｎ）から文書Ｄｋ（ｋ＝１，２・・ｎ） を参照したという履歴情報となっている。さらに「ユーザＰｉ（ｉ＝１，２・・ｎ）が」を付加してもよい。
【００５２】
こうした特徴を有する本実施形態におけるコンテクストキャプチャリング、すなわち検索結果に基づく文書間の参照・推奨のキャプチャリング動作について、図５２を参照して説明する。
【００５３】
まず参照動作について、文書Ｄ１から文書Ｄ４を参照する場合を例として説明する。
ユーザＰ１が文書Ｄ１閲覧中（ステップＳ１０１）に、文書Ｄ１中の選択した単語ｄ１をキーワードとして検索を行う（ステップＳ１０２）。
検索結果の中から所望の文書タイトルを選択すると（ステップＳ１０３）、リンク先の文書Ｄ４が表示される（ステップＳ１０４）。これにより、文書Ｄ１から文書Ｄ４への「参照」が行われたことになる（ステップＳ１０５）。
【００５４】
次に推奨動作について、文書Ｄ１から文書Ｄ４への参照を推奨する場合を例として説明する。
例えば上述したステップＳ１０１からＳ１０５などの動作により、文書Ｄ１から文書Ｄ４を閲覧しているユーザが、文書Ｄ４が有用であると考え、文書Ｄ４閲覧中にその文書Ｄ４の推奨ボタンをクリックしたとする（ステップＳ１１１）。この推奨ボタンの選択により、文書Ｄ１から文書Ｄ４への「推奨」が行われたことになる（ステップＳ１１２）。
【００５５】
上述した参照・推奨のキャプチャリング動作をふまえて、本実施形態におけるコンテクスト活用方法と従来のコンテクスト活用方法との差異について、図５３を参照して説明する。
【００５６】
上述した特許文献１のものなど、図５３（ａ）に示す従来のコンテクスト活用では、文書Ｄ１を閲覧するユーザ（Ｐ１，Ｐ２，Ｐ３）が別の時に文書Ｄ３もよく閲覧しているとすると、ユーザＰ４も、文書Ｄ１を閲覧していたので文書Ｄ３を閲覧したいに違いない、と推測することとなる。
しかし、ユーザ（Ｐ１等）がＤ３を閲覧したことが、常にＤ１を閲覧したことに基づいたとは限らない。つまり、ユーザ（Ｐ１等）は、ある日Ｄ１を閲覧したが、別の日にＤ１とは関係なくＤ３を閲覧していることも考えられる。
【００５７】
以上のように、図５３（ａ）に示す従来のコンテクスト活用方法は、ユーザ嗜好の類似性に基づく方法であって、文書Ｄ１を閲覧するのとＤ３を閲覧するのに時間的相関はない。すなわち、単によく似た文書がリコメンデーションされるだけであり、その時にユーザが求めている情報ではないノイズが多く混入してしまう虞があった。
【００５８】
これに対し、本実施形態におけるコンテクスト活用では、図５３（ｂ）に示すように、過去にユーザ（Ｐ１，Ｐ２，Ｐ３）がそれぞれ文書Ｄ１から文書Ｄ２を参照（図５２におけるステップＳ１０５）していたという履歴に基づいて、ユーザＰ４が文書Ｄ１を閲覧すると、ユーザＰ４もまた文書Ｄ２を見たいに違いないと推測できる。
このように、本実施形態におけるコンテクスト活用方法は、文書Ｄ１と文書Ｄ２の相関に基づく方法であって、文書Ｄ１を閲覧している時間範囲内に関するものである。
【００５９】
次に、本発明の実施形態に係る情報提供システムについて説明する。
図１は、本発明の実施形態に係る情報提供システムを、クライアント型コンテクスト管理システム１を備えて構成した場合のシステム構成を示すブロック図である。
図１において、情報検索システムは、クライアントサイト１００と、Ｗｅｂ検索サイト３００およびＷｅｂサイト４００とをインターネット２００によって接続している。
これらのクライアントサイト１００、Ｗｅｂ検索サイト３００、Ｗｅｂサイト４００とはそれぞれ必要に応じて任意の数のサイトを設けることができる。
【００６０】
クライアントサイト１００は、ユーザが所有する文書やＷｅｂページ等から所望の情報を得るため情報検索の要求や結果の表示を行うためのサイトであり、ユーザＰＣ１１０、メタデータ管理サーバ１２０および文書管理サーバ１３０とを含んで構成されている。
【００６１】
ユーザＰＣ（パーソナルコンピュータ）１１０は、当該ＰＣで管理される文書や多様なアプリケーションの文書を閲覧文書として扱うことができる文書ＵＩ（ユーザインタフェース）手段１１１を備えている。
【００６２】
この文書ＵＩ手段１１１は、文書検索手段１１２と、検索履歴記憶手段１１３と、コンテクスト作成手段１１４とを備える。
文書検索手段１１２は、閲覧文書中の選択された選択情報をキーワードとしてサーチエンジン手段１３１に検索させ、その検索結果を表示させ、その表示された検索結果の中から選択された文書を表示することで、閲覧文書から参照文書を導く。
ここで、サーチエンジン手段１３１による検索のキーワードとして用いられる「選択された選択情報」とは、電子文書中の任意の単語、語句、文章等の文字のほかに、記号や画像などであってもよい。
【００６３】
コンテクスト作成手段１１４は、文書検索手段１１２から、閲覧されている文書を特定する閲覧文書特定情報と、検索キーワードとして選択された選択情報と、検索結果から選択された参照文書を特定する参照文書特定情報とを取得し、少なくともこれらを構成要素として含むコンテクストを作成する。
文書を特定するための特定情報としては、電子文章を特定するための識別子（ＩＤ）等、各種のものを用いてよい。
【００６４】
検索履歴記憶手段（コンテクスト記憶手段）１１３は、閲覧文書特定情報、検索キーワードとして選択された選択情報、及び参照文書特定情報を履歴として記憶する。
【００６５】
また、文書検索手段１１２により閲覧文書から参照文書を導く方法は、閲覧文書とその関連文書リストを表示し、関連文書リストから選択された参照文書を表示することであってもよい。
この場合、コンテクスト作成手段１１４は、文書検索手段１１２から、閲覧されている文書を特定する閲覧文書特定情報と、検索結果から選択された参照文書を特定する参照文書特定情報とを取得し、少なくともこれらを構成要素として含むコンテクストを作成する。
検索履歴記憶手段（コンテクスト記憶手段）１１３は、閲覧文書特定情報、及び参照文書特定情報を履歴として記憶する。
【００６６】
また、文書検索手段１１２により閲覧文書から参照文書を導く方法は、閲覧文書とそのキーワードボタンを表示し、選択されたキーワードボタンに表示されている文言をキーワードとしてサーチエンジン手段１３１に検索させ、その検索結果を表示させ、その表示された検索結果の中から選択された文書を表示することで、閲覧文書から参照文書を導くことであってもよい。
この場合、コンテクスト作成手段１１４は、文書検索手段１１２から、閲覧されている文書を特定する閲覧文書特定情報と、選択されたキーワードボタンの特定情報と、検索結果から選択された参照文書を特定する参照文書特定情報とを取得し、少なくともこれらを構成要素として含むコンテクストを作成する。
検索履歴記憶手段（コンテクスト記憶手段）１１３は、閲覧文書特定情報、選択されたキーワードボタンの特定情報、及び参照文書特定情報を履歴として記憶する。
【００６７】
また、上述した文書検索手段１１２は、参照文書を「推奨」とする入力受付を行う。
この場合、コンテクスト作成手段１１４は、文書検索手段１１２から、さらに「推奨」であることを特定する情報を取得し、上述した構成要素に「推奨」とされた参照文書の特定情報を少なくとも含めた構成要素のコンテクストを作成する。
検索履歴記憶手段１１３は、上述した履歴に、「推奨」とされた参照文書の特定情報を少なくとも含めた履歴情報を記憶する。
【００６８】
また、上述した文書検索手段１１２は、ユーザを特定する情報（ユーザＩＤなど）の取得を行う。
この場合、コンテクスト作成手段１１４は、文書検索手段１１２から、ユーザを特定する情報をさらに取得し、上述した構成要素にユーザを特定する特定情報を少なくとも含めた構成要素のコンテクストを作成する。
検索履歴記憶手段１１３は、上述した履歴に、ユーザを特定する特定情報を少なくとも含めた履歴情報を記憶する。
【００６９】
また、文書ＵＩ手段１１１は、図２に例示したように、単語等を選択した時に表示されるサービスメニューを有しており、このサービスメニューには、管理文書検索(企業の文書管理サーバ)、Ｗｅｂ検索(複数のＷｅｂ検索サービスから選択できるようにしてもよい)、翻訳、辞書等がある。
また、文書ＵＩ手段１１１をユーザＰＣ１１０に置くものとしたが、リモートＰＣのように画面表示を行うシステムにおいては、ユーザＰＣ１１０以外の装置にインストールされることもある。
【００７０】
メタデータ管理サーバ１２０は、メタデータ管理手段１２１およびメタデータＤＢ（データベース）１２２を備え、これにより複数ユーザでのコンテクストの共有が可能になる。
メタデータ管理手段１２１は、コンテクスト作成手段１１４から受信したコンテクスト情報を記憶するコンテクスト情報記憶部１２１ａを備え、コンテクスト情報記憶部１２１ａに記憶されたコンテクストの構成要素の内、閲覧文書特定情報を参照元文書とし、参照文書特定情報をその参照元文書に対応する参照先文書として少なくとも関連付けたコンテクストをメタデータとしてメタデータＤＢ１２２に記録する。
【００７１】
さらに、メタデータ管理手段１２１は、コンテクスト作成手段１１４によって作成されたコンテクストを取得して、コンテクストの構成要素のうち、検索キーワードとして選択された選択情報、選択されたキーワードボタン、等を参照元文書に関連する参照元文言としたコンテクストをメタデータＤＢ１２２に記録する。
【００７２】
さらに、メタデータ管理手段１２１は、コンテクスト作成手段１１４によって作成されたコンテクストを取得して、コンテクストの構成要素のうち、「推奨」であることを特定する情報や、ユーザを特定する情報を付加したコンテクストをメタデータＤＢ１２２に記録する。
【００７３】
メタデータＤＢ１２２は、電子文書ごとに構成される。
メタデータ管理手段１２１は、コンテクスト作成手段１１４によって作成されたコンテクストを上述のように取得して、参照元電子文書のメタデータＤＢ１２２に記録し、また必要に応じて、参照先電子文書のメタデータＤＢ１２２に記録する。
【００７４】
メタデータＤＢ１２２では、電子文書が分類されて電子文書フォルダーに管理されている。メタデータ管理手段１２１は、メタデータＤＢ１２２を電子文書フォルダーごとに構成し、コンテクスト作成手段１１４によって作成されたコンテクストを取得して、参照元電子文書フォルダーのメタデータＤＢ１２２に記録し、また必要に応じて参照先電子文書フォルダーのメタデータＤＢ１２２に記録することを特徴とする。
【００７５】
このように、メタデータ管理手段１２１は、コンテクストを統合的に記録する統合メタデータＤＢ１２２を構成し、コンテクスト作成手段１１４によって作成されたコンテクストを取得して、統合メタデータＤＢに記録する。
【００７６】
文書管理サーバ１３０は、企業内の文書を管理する文書管理手段１３２と、この文書管理手段１３２が管理している文書を検索するサーチエンジン手段１３１を備え、これにより企業内で管理している文書を閲覧文書、参照文書としたコンテクストを取得することができる。
【００７７】
また、メタデータ管理サーバ１２０の機能は、ユーザの自己のコンテクストを使うのであればユーザＰＣ１１０に、グループ(企業内等)でコンテクストを共有するのであれば、イントラネット内のサーバに、閲覧文書がＷｅｂコンテンツであつて閲覧する全てのユーザのコンテクストを共有するのであればインターネット上のサーバに置くのがよい。
【００７８】
また、Ｗｅｂ検索サイト３００は、Ｗｅｂサイト４００で管理されているＷｅｂコンテンツ４１０を対象として検索するサーチエンジン手段３１０を備えている。
【００７９】
このように、文書管理サーバ１３０に管理されるようなクライアントサイト１００の文書、あるいは、Ｗｅｂサイト４００に管理されるインターネット上の文書を閲覧文書、参照文書として自在に扱い、それらのコンテクストを取得することができる。
【００８０】
図３は、図１で説明した文書ＵＩ手段１１１、メタデータ管理サーバ１２０および文書管理サーバ１３０の各機能をユーザＰＣ１１０上に構成した情報提供装置を示す。この図３に示すシステム構成では、情報提供システムが、ユーザＰＣ型コンテクスト管理システム２を備えて構成されることとなる。図１と同じ機能については、同じ符号を付して説明を省略する。
【００８１】
また、企業内の文書を対象とするのであれば、サーチエンジン手段１３１や文書管理手段１３２を文書管理サーバ１３０としてクライアントサイト１００内に設けるようにしてもよい。
これにより、ユーザ自己の管理している文書を閲覧文書、参照文書としたコンテクストを取得することができるので、個人に見合った情報を提供することができる。
【００８２】
図４は、図１で説明したメタデータ管理サーバをＡＳＰ（アプリケーション・サービス・プロバイダ）サービスとした構成例を示している。この図４に示すシステム構成では、情報提供システムが、ＡＳＰ型コンテクスト管理システム５を備えて構成されることとなる。図１と同じ機能については、同じ符号を付して説明を省略する。
ＡＳＰサイト５００では、メタデータ管理サーバ１２０を備えるようにして、ユーザがインターネット２００上で閲覧したページ、参照したページ、推奨したページ、検索に用いたキーワードを取得管理するサービスを行える。
【００８３】
さらに、ＡＳＰサイト５００で文書管理サーバ１３０を備えるようにしてもよい。この場合、企業内で管理している文書に対してもＷｅｂコンテンツと同様のサービスが可能であるが、このＡＳＰサイト５００が扱うのは文書ＩＤと検索キーワードのみであるから、ユーザの機密情報がインターネット２００上で転送されることはない。
【００８４】
図５は、図１で説明したメタデータ管理サーバをＷｅｂ検索サイトとした構成例を示している。この図５に示すシステム構成では、情報提供システムが、サーチエンジン型コンテクスト管理システム３を備えて構成されることとなる。図１と同じ機能については、同じ符号を付して説明を省略する。
Ｗｅｂ検索サイト３００では、メタデータ管理サーバ１２０を備えるようにして、ユーザがインターネット２００上で閲覧したページ、参照したページ、推奨したページ、検索に用いたキーワードを取得管理するサービスを行える。
【００８５】
さらに、Ｗｅｂ検索サイト３００に文書管理サーバ１３０を備えるようにしてもよい。
この場合、企業内で管理している文書に対してもＷｅｂコンテンツと同様のサービスが可能であるが、このＷｅｂ検索サイト３００が扱うのは文書ＩＤと検索キーワードのみであるから、ユーザの機密情報がインターネット２００上で転送されることはない。
上記した構成により、従来の検索型広告サービスよりも質の高い広告、ＣＴＲ(クリック率：Click Through Rate)の高い広告サービスを提供することができる。
【００８６】
（Ａ）メタデータの生成
次に、本実施形態におけるメタデータの生成について説明する。
【００８７】
（Ａ−１）参照関係のメタデータ生成：
図６は、ユーザが文書を閲覧中に、その文書中の単語等から関連する文書を参照したときのメタデータを記録するときの処理動作を示すフローチャートである。
ユーザＰ１が文書Ｄ１を表示させて閲覧中に、文書Ｄ１中の単語等ｄ１を選択する。
文書ＵＩ手段１１１は、ユーザの選択した閲覧文書Ｄ１のＵＲＬ等からなる文書ＩＤや選択した単語等ｄ１の文字列を取得する。
文書ＵＩ手段１１１は、取得した単語等ｄ１を文書管理サーバ１３０のサーチエンジン手段１３１あるいはＷｅｂ検索サイト３００のサーチエンジン手段３１０へ転送する。
サーチエンジン手段１３１、３１０は、文書ＵＩ手段１１１から転送された単語等ｄ１をキーワードとして、それぞれ文書管理手段１３２で管理される文書やＷｅｂサイト４００のＷｅｂコンテンツ４１０を検索し、検索結果を文書ＵＩ手段１１１に転送する。
【００８８】
文書ＵＩ手段１１１は、サーチエンジン手段１３１、３１０から返信された検索結果リストを表示し、ユーザＰ１が検索結果リストの中の文書Ｄ２を選択して、文書管理手段１３２やＷｅｂコンテンツ４１０から文書Ｄ２の内容を取り寄せて表示する。ここで、ユーザＰ１が文書Ｄ２を選択したときに、この文書Ｄ２のＵＲＬ等の文書ＩＤを取得する。
文書ＵＩ手段１１１は、取得した情報から「Ｃ．閲覧文書Ｄ１→参照文書Ｄ２の参照関係」または「Ｄ．単語等ｄ１→参照文書Ｄ２の参照関係」またはその両方のコンテクストをメタデータ管理手段１２１に転送する。
メタデータ管理手段１２１は、文書ＵＩ手段１１１から転送されたコンテクストを受信してコンテクスト情報記憶部１２１ａに格納し、このコンテクスト情報記憶部１２１ａに記憶されたコンテクスト情報に基づいて再利用可能なメタデータを生成してメタデータＤＢ１２２へ記録する。このメタデータの管理には多様な記録方法が存在し、その詳細については（Ｂ）で後述する。
【００８９】
（Ａ−２）推奨関係のメタデータ生成：
また、上述した参照関係は、単に元の文書に対して検索結果の文書が閲覧されたのみであるのに対し、検索結果の文書が役に立ったことを示すメタデータを記録するようにしてもよい。
図７は、閲覧元文書と参照された文書の推奨関係にある文書として、メタデータを記録するときの処理動作を示すフローチャートである。
参照文書Ｄ２を得るまでの各処理手段は、図６に上述した処理手順と同じであるが、参照文書Ｄ２を閲覧した結果、役立つと判断したときには、図８に例示したように「推奨ボタン」を操作することにより、取得した情報から「Ａ．閲覧文書Ｄ１→参照文書Ｄ２の推奨関係」または「Ｂ．単語等ｄ１→参照文書Ｄ２の推奨関係」またはその両方のコンテクストをメタデータ管理手段１２１に転送する。
メタデータ管理手段１２１は、文書ＵＩ手段１１１から転送されたコンテクストを受信してコンテクスト情報記憶部１２１ａに格納し、このコンテクスト情報記憶部１２１ａに記憶されたコンテクスト情報に基づいて再利用可能なメタデータを生成してメタデータＤＢ１２２へ記録する。このメタデータの管理には多様な記録方法が存在し、その詳細については（Ｂ）で後述する。
【００９０】
（Ａ−３）文書リスト表示による参照関係のメタデータ生成：
また、閲覧中の文書Ｄ１に関連する文書リストがメタデータＤＢ１２２に既に記録されており、この文書リストの中から参照文書Ｄ２が閲覧されたときに、この文書Ｄ１と文書Ｄ２との参照関係をメタデータＤＢ１２２に記録するようにしてもよい。
図９は、ユーザが文書を閲覧中に、その文書に関連する文書リストの中から文書を参照したときのメタデータを記録するときの処理動作を示すフローチャートである。
【００９１】
ユーザＰ１が文書Ｄ１を表示させて閲覧中に、文書ＵＩ手段１１１は、ユーザの選択した閲覧文書Ｄ１のＵＲＬ等からなる文書ＩＤを取得する。
文書ＵＩ手段１１１は、文書Ｄ１の文書ＩＤをメタデータ管理手段１２１へ転送する。
メタデータ管理手段１２１は、文書ＵＩ手段１１１から転送された文書Ｄ１の文書ＩＤに関連する文書リスト（関連文書リスト）をメタデータＤＢ１２２から取得して、文書ＵＩ手段１１１へ返信する。
【００９２】
文書ＵＩ手段１１１は、メタデータ管理手段１２１から返信された関連文書リストを表示し（例えば、図１０参照）、ユーザＰ１が文書リストの中の文書Ｄ２を選択して、文書管理手段１３２やＷｅｂコンテンツ４１０から文書Ｄ２の内容を取り寄せて表示する。ここで、ユーザＰ１が文書Ｄ２を選択したときに、この文書Ｄ２のＵＲＬ等の文書ＩＤを取得する。
文書ＵＩ手段１１１は、取得した情報から「Ｃ．閲覧文書Ｄ１→参照文書Ｄ２の参照関係」のコンテクストをメタデータ管理手段１２１に転送する。
メタデータ管理手段１２１は、文書ＵＩ手段１１１から転送されたコンテクストを受信してコンテクスト情報記憶部１２１ａに格納し、このコンテクスト情報記憶部１２１ａに記憶されたコンテクスト情報に基づいて再利用可能なメタデータを生成してメタデータＤＢ１２２へ記録する。このメタデータの管理には多様な記録方法が存在し、その詳細については（Ｂ）で後述する。
閲覧文書に関連する文書リストは、メタデータとして記録された情報に基づき生成され、それらが参照、推奨されることにより、さらにキャプチャリングされたメタデータとして記録され、メタデータが充実されていく。
【００９３】
（Ａ−４）文書リスト表示による推奨関係のメタデータ生成：
また、閲覧中の文書Ｄ１に関連する文書リストがメタデータＤＢ１２２に既に記録されており、この文書リストの中から参照文書Ｄ２が閲覧されたときに、この文書Ｄ１と文書Ｄ２との推奨関係をメタデータＤＢ１２２に記録するようにしてもよい。
図１１は、閲覧元文書と文書リストの中から参照された文書を推奨関係にある文書として、メタデータを記録するときの処理動作を示すフローチャートである。
【００９４】
参照文書Ｄ２を得るまでの各処理手段は、図９に上述した処理手順と同じであるが、参照文書Ｄ２を閲覧した結果、役立つと判断したときには、図８に例示したような「推奨ボタン」を操作し、取得した情報から「Ａ．閲覧文書Ｄ１→参照文書Ｄ２の推奨関係」のコンテクストをメタデータ管理手段１２１に転送する。
メタデータ管理手段１２１は、文書ＵＩ手段１１１から転送されたコンテクストを受信してコンテクスト情報記憶部１２１ａに格納し、このコンテクスト情報記憶部１２１ａに記憶されたコンテクスト情報に基づいて再利用可能なメタデータを生成してメタデータＤＢ１２２へ記録する。このメタデータの管理には多様な記録方法が存在し、その詳細については（Ｂ）で後述する。
【００９５】
（Ａ−５）キーワードによる参照関係のメタデータ生成：
文書Ｄ１を閲覧中に、過去に検索キーワードとしてよく使われた単語等をキーワードボタンＫ１として付加表示し、このキーワードボタンＫ１をユーザが押すことによって、文書Ｄ２を参照した時、キーワードボタンＫ１に表示されている単語等ｄ１から参照文書Ｄ２への参照関係をメタデータとして記録する。
例えば、図１２に示すように、文書中や別画面にキーワードボタンを表示しておき、これらのいずれかのボタンを押すことによって、このボタンに関連付けられた単語等をサーチエンジン手段１３１、３１０へ転送して、検索結果を得ることができる。
【００９６】
図１３は、キーワードボタンを押すことによって得られた検索結果中から参照された文書として、メタデータを記録するときの処理動作を示すフローチャートである。
文書ＵＩ手段１１１は、ユーザＰ１が文書Ｄ１を表示させて閲覧中に、選択した閲覧文書Ｄ１のＵＲＬ等からなる文書ＩＤを取得して、メタデータ管理手段１２１にこの文書ＩＤに関連したキーワードボタンを転送するように依頼する。
文書ＵＩ手段１１１は、転送されたキーワードボタンＫ１を表示させて、ユーザがいずれかのキーワードボタンＫ１を押すと、押されたキーワードボタンＫ１に対応する単語等ｄ１の文字列を取得する。
文書ＵＩ手段１１１は、取得した単語等ｄ１をサーチエンジン手段１３１、３１０へ転送する。
サーチエンジン手段１３１、３１０は、文書ＵＩ手段１１１から転送された単語等ｄ１をキーワードとして、それぞれ文書管理手段１３２の文書あるいはＷｅｂサイトのＷｅｂコンテンツを検索し、検索結果を文書ＵＩ手段１１１に転送する。
【００９７】
文書ＵＩ手段１１１は、サーチエンジン手段３１０から返信された検索結果リストを表示し、ユーザＰ１が検索結果リストの中の文書Ｄ２を選択して、文書管理手段１３２あるいはＷｅｂコンテンツ４１０から文書Ｄ２の内容を取り寄せて表示する。ここで、ユーザＰ１が文書Ｄ２を選択したときに、この文書Ｄ２のＵＲＬ等の文書ＩＤを取得する。
文書ＵＩ手段１１１は、取得した情報から「Ｃ．閲覧文書Ｄ１→参照文書Ｄ２の参照関係」または「Ｄ．単語等ｄ１→参照文書Ｄ２の参照関係」またはその両方のコンテクストをメタデータ管理手段１２１に転送する。
メタデータ管理手段１２１は、文書ＵＩ手段１１１から転送されたコンテクストを受信してコンテクスト情報記憶部１２１ａに格納し、このコンテクスト情報記憶部１２１ａに記憶されたコンテクスト情報に基づいて再利用可能なメタデータを生成してメタデータＤＢ１２２へ記録する。このメタデータの管理には多様な記録方法が存在し、その詳細については（Ｂ）で後述する。
【００９８】
（Ａ−６）キーワードによる推奨関係のメタデータ生成：
また、上述した参照関係は、キーワード検索された元の文書と参照された文書との関係のみであるのに対し、検索結果の文書が役に立ったことを示すメタデータを記録するようにしてもよい。
図１４は、キーワードボタンを押したときに閲覧していた文書と検索結果のうちの参照文書の推奨関係をメタデータとして記録するときの処理動作を示すフローチャートである。
参照文書Ｄ２を得るまでの各処理手段は、図１３に上述した処理手順と同じであるが、参照文書Ｄ２を閲覧した結果、役立つと判断したときには、図８に例示したような「推奨ボタン」を操作し、取得した情報から「Ａ．閲覧文書Ｄ１→参照文書Ｄ２の推奨関係」または「Ｂ．単語等ｄ１→参照文書Ｄ２の推奨関係」またはその両方のコンテクストをメタデータ管理手段１２１に転送する。
メタデータ管理手段１２１は、文書ＵＩ手段１１１から転送されたコンテクストを受信してコンテクスト情報記憶部１２１ａに格納し、このコンテクスト情報記憶部１２１ａに記憶されたコンテクスト情報に基づいて再利用可能なメタデータを生成してメタデータＤＢ１２２へ記録する。このメタデータの管理には多様な記録方法が存在し、その詳細については（Ｃ）で後述する。
【００９９】
上記の（Ａ−１）から（Ａ−６）で説明したメタデータの生成は、すべてのユーザに共通した参照関係を記録するものであったが、各ユーザごとに上記の参照関係をメタデータとして記録するようにしてよい。
ユーザＰ１がシステムを起動した時に入力するログインネーム等からユーザＩＤを取得し、アカウントの管理参照関係とともにメタデータとしてメタデータＤＢ１２２に記録する。
そして、上述した参照関係に応じたユーザＰ１ごとの参照関係をメタデータＤＢ１２２に記憶する。
【０１００】
（Ｂ）コンテクストのメタデータＤＢへの記録方法：
次に、文書ＵＩ手段１１１でキャプチャリングしたコンテクストをメタデータとしてメタデータＤＢへ記録する方法について説明する。
上述したようにコンテクストには８種類の参照関係Ａ〜Ｄ，ａ〜ｄがある。また、メタデータには５種類のメタデータＡ〜Ｅがある。
これらのメタデータは、文書または文書フォルダに付加する方法（第１の方法）と、メタデータＤＢに記録して集中管理する方法（第２の方法）で記録される。
このメタデータＤＢは、メタデータ管理手段の中にあってもよいし、独立していてもよいが、本実施形態では第２の方法を用い、メタデータＤＢはメタデータ管理手段から独立しているものとして説明する。しかし、本実施形態で説明することは、第１の方法であっても容易に適用可能なものである。
【０１０１】
（Ｂ−１）コンテクストの記録：
メタデータ管理手段１２１が文書ＵＩ手段１１１からユーザＰｉに対する参照関係が転送されてくると、図１５に例示したように、コンテクストをユーザＰｉごとに参照元に関する情報と、参照先に関する情報とに分けてメタデータＤＢ１２２に記録する。
【０１０２】
参照元に関する情報：
・閲覧文書の識別子（ＩＤ）、
・参照文書を引き出すのに使った閲覧文書中の単語等、
・参照文書を引き出すのに使った表示方式（関連文書リストやキーワードボタン等）。
参照先に関する情報：
・参照文書の識別子（ＩＤ）、
・参照文書が推奨されたときの参照文書（推奨文書）の識別子（ＩＤ）。
【０１０３】
図１５を用いて、ユーザごとの４種類の参照関係をどのようにメタデータＤＢ１２２に記録するかを説明する。
「ａ．ユーザＰｉによる閲覧文書Ｄｉ→参照文書Ｄｊの推奨関係」の参照関係の場合には、参照元に関する情報として、閲覧文書ＩＤの「Ｄｉ」が記録される（ここでは単語等ｄｉによってサーチを実行していないので、「ｄｉ」は記録されない）。また、参照先に関する情報として、推奨文書ＩＤの「Ｄｊ」が記録される。これにより、この参照関係はコンテクスト１のように記録される。
また、「ｂ．ユーザＰｉによる単語等ｄｉ→参照文書Ｄｊの推奨関係」の参照関係の場合には、参照元に関する情報として、単語等の「ｄｉ」が記録される（ここで、単語等ｄｉを含んでいる閲覧文書がＤｉであれば、閲覧文書ＩＤの「Ｄｉ」も記録される）。また、参照先に関する情報として、推奨文書ＩＤの「Ｄｊ」が記録される。これにより、この参照関係はコンテクスト１のように記録される。
【０１０４】
次に、「ｃ．ユーザＰｉによる閲覧文書Ｄｉ→参照文書Ｄｊの参照関係」の参照関係の場合には、参照元に関する情報として、閲覧文書ＩＤの「Ｄｉ」が記録される（ここでは単語等ｄｉによってサーチしていないので、ｄｉは記録されない）。また、参照先に関する情報として、参照文書ＩＤの「Ｄｊ」が記録される。これにより、この参照関係はコンテクスト２のように記録される。
また、「ｄ．ユーザＰｉによる単語等ｄｉ→参照文書Ｄｊの参照関係」の参照関係の場合には、参照元に関する情報として、単語等の「ｄｉ」が記録される（ここで、単語等ｄｉを含んでいる閲覧文書がＤｉであれば、閲覧文書ＩＤの「Ｄｉ」も記録される）。また、参照先に関する情報として、参照文書ＩＤの「Ｄｊ」が記録される。これにより、この参照関係はコンテクスト２のように記録される。
【０１０５】
次に、「ａ．ユーザＰｉによる閲覧文書Ｄｉ→参照文書Ｄｊの推奨関係」の参照関係ではあるが、ユーザＰｉが閲覧文書Ｄ１の関連文書リストから選択して参照文書Ｄｊを参照した場合には、参照元に関する情報として、閲覧文書ＩＤの「Ｄｉ」と表示方式の「関連文書リスト」が記録される（ここでは関連文書リストからなのでキーワードボタンと単語等は記録されない）。また、参照先に関する情報として、推奨文書ＩＤの「Ｄｊ」が記録される。これにより、この参照関係はコンテクスト３のように記録される。
【０１０６】
次に、「ｃ．ユーザＰｉによる閲覧文書Ｄｉ→参照文書Ｄｊの参照関係」の参照関係ではあるが、ユーザＰｉが閲覧文書Ｄｉの関連文書リストから選択して参照文書Ｄｊを参照した場合には、参照元に関する情報として、閲覧文書ＩＤの「Ｄｉ」が記録される（ここでは関連文書リストからなのでキーワードボタンと単語等は記録されない）。また、参照先に関する情報として、参照文書ＩＤの「Ｄｊ」が記録される。これにより、この参照関係はコンテクスト４のように記録される。
【０１０７】
次に、「ａ．ユーザＰｉによる閲覧文書Ｄｉ→参照文書Ｄｊの推奨関係」の参照関係ではあるが、ユーザＰｉが閲覧文書ＤｉのキーワードボタンＫ１に表示されている単語等ｄｉをキーワードとして検索して参照文書Ｄｊを推奨した場合には、参照元に関する情報として、閲覧文書ＩＤの「Ｄｉ」、単語等の「ｄｉ」と表示方式の「キーワードボタン」が記録される。また、参照先に関する情報として、推奨文書ＩＤの「Ｄｊ」が記録される。これにより、この参照関係はコンテクスト５のように記録される。
【０１０８】
次に、「ｃ．ユーザＰｉによる閲覧文書Ｄ１→参照文書Ｄ２の参照関係」の参照関係ではあるが、ユーザＰｉが閲覧文書Ｄ１のキーワードボタンＫ１に表示されている単語等ｄｉをキーワードとして検索して参照文書Ｄ２を参照した場合には、参照元に関する情報として、閲覧文書ＩＤの「Ｄｉ」、単語等の「ｄｉ」と表示方式の「キーワードボタン」が記録される。また、参照先に関する情報として、参照文書ＩＤの「Ｄｊ」が記録される。これにより、この参照関係はコンテクスト６のように記録される。
【０１０９】
（Ｂ−２）文書メタデータ：
メタデータ管理手段１２１が文書ＵＩ手段１１１からユーザＰｉに対する参照関係が転送されてくると、図１６に例示したように、閲覧文書に対して、ユーザＰｉごとに参照元に関する情報と、参照先に関する情報とに分けてメタデータＤＢ１２２に記録することもできる。また、必要に応じて参照文書に対して、ユーザＰｉごとに参照元に関する情報と、参照先に関する情報とに分けてメタデータＤＢ１２２に記録する。これらの記録形式は、上記（Ｂ−１）で作成されたコンテクストと同じである。
このような文書のメタデータは、（Ｂ−１）で作成されたコンテクストから文書ごとに抽出しても作成することができる。
【０１１０】
例えば、図１６（Ａ）は、文書Ｄ１のメタデータを示し、図１６（Ｂ）は文書Ｄ２のメタデータを示している。この例では、文書Ｄ１が参照元に関する情報にのみ出現しているが、参照先に出現する場合もある。文書Ｄ２についても同様に参照元に出現する場合もある。
このような文書メタデータは、「単語等ｄ１→参照文書Ｄ２」の参照関係の結びつきよりも「閲覧文書Ｄ１→参照文書Ｄ２」の参照関係の結びつきの方が強いときに有効である。
【０１１１】
また、上記の文書のメタデータを閲覧、参照、推奨の区別を行わずに何らかの参照関係（閲覧、参照、推奨）が発生した場合に、その文書ＩＤを登録し参照関係の発生数を記録するようにしてもよい（図１７参照）。
【０１１２】
（Ｂ−３）単語等メタデータと文書メタデータ：
メタデータ管理手段１２１が文書ＵＩ手段１１１からユーザＰｉに対する参照関係が転送されてくると、図１８に例示したように、閲覧文書Ｄ１の単語等ｄ１のメタデータおよび、文書に共通な単語等ｄ１のメタデータ、必要に応じて参照文書Ｄ２の文書のメタデータとしてメタデータＤＢ１２２に記録することもできる。必要に応じて、参照文書のメタデータ記録形式は、上記（Ｂ−１）で作成されたコンテクストと同じである。
このような文書のメタデータは、（Ｂ−１）で作成されたコンテクストから文書と単語等とを基に抽出しても作成することもできる。
このような文書メタデータは、「閲覧文書Ｄ１→参照文書Ｄ２」の参照関係の結びつきよりも「単語等ｄ１→参照文書Ｄ２」の参照関係の結びつきの方が強いときに有効である。
【０１１３】
例えば、図１８（Ａ）は、閲覧文書に依存した単語等ごとのメタデータである。
ここでは、閲覧文書Ｄ１の「単語等ｄ１」または「キーワードボタンに表示されている単語等ｄ１」は同じものであり統一して管理される。キーワードボタンＫ１の単語等ｄ１はその文書で検索に良く使われる単語等が選択されるので、同じ単語等ｄ１がその文書に存在するので統一して管理するのが好ましい。
図１８（Ｂ）は、文書に共通な単語等ｄ１ごとのメタデータである。
図１８（Ｃ）は、参照先の文書のメタデータである。
【０１１４】
ここで、図１８におけるコンテクスト１，２，５，６，７は以下のような意味である。
コンテクスト１は、「ｂ．ユーザＰｉによる単語等ｄ１→参照文書Ｄ２の推奨関係」の参照関係であり、ユーザＰｉが閲覧文書Ｄ１の単語等ｄ１をキーワードとして検索して参照文書Ｄ２を推奨したことを示している。
コンテクスト２は、「ｄ．ユーザＰｉによる単語等ｄ１→参照文書Ｄ２の参照関係」の参照関係であり、ユーザＰｉが閲覧文書Ｄ１の単語等ｄ１をキーワードとして検索して参照文書Ｄ２を参照したことを示している。
コンテクスト５は、「ｂ．ユーザＰｉによる単語等ｄ１→参照文書Ｄ２の推奨関係」の参照関係であり、ユーザＰｉが閲覧文書Ｄ１のキーワードボタンＫ１に表示されている単語等ｄ１をキーワードとして検索して参照文書Ｄ２を推奨したことを示している。
コンテクスト６は、「ｄ．ユーザＰｉによる単語等ｄ１→参照文書Ｄ２の参照関係」の参照関係であり、ユーザＰｉが閲覧文書Ｄ１のキーワードボタンＫ１に表示されている単語等ｄ１をキーワードとして検索して参照文書Ｄ２を参照したことを示している。
コンテクスト７は、「ｄ．ユーザＰｉによる単語等ｄ１→参照文書Ｄ４の参照関係」の参照関係であり、ユーザＰｉが閲覧文書Ｄ３の単語等ｄ１をキーワードとして検索して参照文書Ｄ４を参照したことを示している。
【０１１５】
（Ｂ−４）文書フォルダ付のコンテクストの記録：
文書がカテゴリ分けされた文書フォルダに記録されている場合、メタデータ管理手段１２１が文書ＵＩ手段１１１からユーザＰｉに対する参照関係が転送されてくると、図１９に例示したように、ユーザＰｉごとに参照元に関する情報と、参照先に関する情報とに分けたコンテクストをメタデータＤＢ１２２に記録する。
【０１１６】
参照元に関する情報：
・閲覧文書が格納されている文書フォルダの識別子（ＩＤ）、
・閲覧文書の識別子（ＩＤ）、
・参照文書を引き出すのに使った閲覧文書中の単語等、
・参照文書を引き出すのに使った表示方式（関連文書リストやキーワードボタン等）。
参照先に関する情報：
・参照文書が格納されている文書フォルダの識別子（ＩＤ）、
・参照文書の識別子（ＩＤ）、
・参照文書が推奨されたときの参照文書（推奨文書）の識別子（ＩＤ）。
【０１１７】
（Ｂ−５）文書フォルダメタデータと文書メタデータ：
また、メタデータ管理手段１２１は、文書ＵＩ手段１１１から転送されたコンテクストを、図２０に例示したように、閲覧文書の文書フォルダメタデータ（図２０（Ａ）参照）と必要に応じて参照文書メタデータ（図２０（Ｂ）参照）としてメタデータＤＢ１２２に記録することもできる。この閲覧文書の文書フォルダメタデータと参照文書メタデータの記録形式は、上記（Ｂ−４）のコンテクストと同じである。
このような文書フォルダメタデータと文書メタデータは、上記コンテクストから文書フォルダと参照文書とを基に抽出しても作成することもできる。
このような文書フォルダメタデータは、閲覧文書と同じカテゴリの文書（文書フォルダに管理されている）が参照文書と参照関係が強い場合に有効である。
【０１１８】
ここで、図２０におけるコンテクスト１乃至６は以下のような意味である。
コンテクスト１は、「ａ．ユーザＰｉによる閲覧文書Ｄ１→参照文書Ｄ２の推奨関係」の参照関係で、ユーザＰｉが文書フォルダＦ１の閲覧文書Ｄ１から参照文書Ｄ２を推奨したことを示している。
また、コンテクスト２は、「ｃ．ユーザＰｉによる閲覧文書Ｄ１→参照文書Ｄ２の参照関係」の参照関係で、ユーザＰｉが文書フォルダＦ１の閲覧文書Ｄ１から参照文書Ｄ２を参照したことを示している。
【０１１９】
また、コンテクスト３は、「ａ．ユーザＰｉによる閲覧文書Ｄ１→参照文書Ｄ２の推奨関係」の参照関係で、ユーザＰｉが文書フォルダＦ１の閲覧文書Ｄ１の関連文書リストから選択して参照文書Ｄ２を参照したことを示している。ここで関連文書リストから選択しているのでキーワードボタンと単語等のコンテクストはない。
また、コンテクスト４は、「ｃ．ユーザＰｉによる閲覧文書Ｄ１→参照文書Ｄ２の参照関係」の参照関係で、ユーザＰｉが文書フォルダＦ１の閲覧文書Ｄ１の関連文書リストから選択して参照文書Ｄ２を参照したことを示している。ここで関連文書リストから選択しているのでキーワードボタンと単語等のコンテクストはない。
【０１２０】
また、コンテクスト５は、「ａ．ユーザＰｉによる閲覧文書Ｄ１→参照文書Ｄ２の推奨関係」の参照関係で、ユーザＰｉが文書フォルダＦ１の閲覧文書Ｄ１のキーワードボタンＫ１に表示されている単語等ｄ１をキーワードとして検索して参照文書Ｄ２を推奨したことを示している。
また、コンテクスト６は、「ｃ．ユーザＰｉによる閲覧文書Ｄ１→参照文書Ｄ２の参照関係」の参照関係で、ユーザＰｉが文書フォルダＦ１の閲覧文書Ｄ１のキーワードボタンＫ１に表示されている単語等ｄ１をキーワードとして検索して参照文書Ｄ２を参照したことを示している。
【０１２１】
（Ｂ−６）閲覧文書の文書フォルダと参照文書の文書フォルダメタデータ：
メタデータ管理手段１２１は、文書ＵＩ手段１１１から転送されたコンテクストを、図２１に例示したように、閲覧文書の文書フォルダメタデータ（図２１（Ａ）参照）と参照文書の文書フォルダメタデータ（図２１（Ｂ）参照）としてメタデータＤＢ１２２に記録することもできる。これらの文書フォルダメタデータの記録形式は、上記の（Ｂ−４）のコンテクストと同じである。
このような文書フォルダメタデータと文書メタデータは、上記コンテクストから閲覧文書の文書フォルダと参照文書の文書フォルダとを基に抽出しても作成することもできる。
このような文書フォルダメタデータは、閲覧文書と同じカテゴリの文書（文書フォルダに管理されている）が参照文書と同じカテゴリの文書（文書フォルダに管理されている）と参照関係が強い場合に有効である。
【０１２２】
ここで、図２１におけるコンテクスト１乃至６は以下のような意味である。
コンテクスト１は、「ａ．ユーザＰｉによる閲覧文書Ｄ１→参照文書Ｄ２の推奨関係」の参照関係で、ユーザＰｉが文書フォルダＦ１の閲覧文書Ｄ１の単語等ｄ１をキーワードとして検索して文書フォルダＦ２の参照文書Ｄ２を推奨したことを示している。
また、コンテクスト２は、「ｃ．ユーザＰｉによる閲覧文書Ｄ１→参照文書Ｄ２の参照関係」の参照関係で、ユーザＰｉが文書フォルダＦ１の閲覧文書Ｄ１の単語等ｄ１をキーワードとして検索して文書フォルダＦ２の参照文書Ｄ２を参照したことを示している。
【０１２３】
また、コンテクスト３は、「ａ．ユーザＰｉによる閲覧文書Ｄ１→参照文書Ｄ２の推奨関係」の参照関係で、ユーザＰｉが文書フォルダＦ１の閲覧文書Ｄ１の関連文書リストから選択して文書フォルダＦ２の参照文書Ｄ２を推奨したことを示している。ここで関連文書リストから選択しているのでキーワードボタンと単語等のコンテクストはない。
また、コンテクスト４は、「ｃ．ユーザＰｉによる閲覧文書Ｄ１→参照文書Ｄ２の参照関係」の参照関係で、ユーザＰｉが文書フォルダＦ１の閲覧文書Ｄ１の関連文書リストから選択して文書フォルダＦ２の参照文書Ｄ２を参照したことを示している。ここで関連文書リストから選択しているのでキーワードボタンと単語等のコンテクストはない。
【０１２４】
また、コンテクスト５は、「ａ．ユーザＰｉによる閲覧文書Ｄ１→参照文書Ｄ２の推奨関係ユーザＰｉが文書フォルダＦ１の閲覧文書Ｄ１のキーワードボタンＫ１に表示されている単語等ｄ１をキーワードとして検索して文書フォルダＦ２の参照文書Ｄ２を推奨したことを示している。
また、コンテクスト６は、「ｃ．ユーザＰｉによる閲覧文書Ｄ１→参照文書Ｄ２の参照関係」の参照関係で、ユーザＰｉが文書フォルダＦ１の閲覧文書Ｄ１のキーワードボタンＫ１に表示されている単語等ｄ１をキーワードとして検索して文書フォルダＦ２の参照文書Ｄ２を参照したことを示している。
【０１２５】
ここで、上述した（Ｂ−２）、（Ｂ−３）、（Ｂ−５）、（Ｂ−６）で説明した各種のメタデータは、１つ以上を適宜組み合わせて使用することができる。特に、すべてのメタデータを使用するときには、参照関係の強さが不確定なまたは未知の場合に有効である。
【０１２６】
また、上述した（Ｂ−１）、（Ｂ−４）で説明したように、文書、単語等、文書フォルダとは独立した「統合コンテクストメタデータ」としてのみ記録することも可能である。
このようにメタデータとして「統合コンテクストメタデータ」のみ記録する場合、メタデータ管理手段１２１は文書ＵＩ手段１１１から要求があれば「統合コンテクストメタデータ」から「閲覧文書の関連文書リスト」、「閲覧文書の検索対象文書リスト」、「閲覧文書の単語等の検索対象文書リスト」や「閲覧文書のキーワードボタン情報」を生成する。
この場合、重複したデータを記録することがなく、また、唯一のメタデータであるから文書や単語等の増加に対して新たにメタデータを生成する必要がないという効果がある。
【０１２７】
（Ｃ）メタデータの活用：
上記（Ｂ）は、文書に対するコンテクストをキャプチャリングしたコンテクストをメタデータとして記録する方法に関するものであった。ここでは、記録されたメタデータの活用および活用のための表示について説明する。
【０１２８】
上述したように、本実施形態では、コンテクストとして８種類（Ａ〜Ｄ，ａ〜ｄ）を例示し、メタデータとして５種類（Ａ〜Ｅ）を例示する。
また、表示する文書については、「メタデータから特定される文書」に記述したように、文書のメタデータとしてＡ〜Ｄ，ａ〜ｄの８種類を例示し、文書フォルダのメタデータとしてＩ〜Ｌ，ｉ〜ｌの８種類を例示する。
【０１２９】
表示文書のランキング：
メタデータに記録される文書が増大すると、表示される文書数が増大するので、ランキングを行って、適切な件数を表示する必要がでてくる。
ランキングのための第一の方法は、参照関係の発生回数による方法であり、発生回数をポイントとして数える。
また、第二の方法は、参照関係の質によるものであり、例えば「推奨」＞「参照」、「方向性のある」＞「方向性のない」、「文書から」＞「文書フォルダの文書から」、「ユーザによる」＞「ユーザに限定されない」として、優先的に表示されるようにする。
また、第三の方法として、第一の方法と第二の方法の組み合わせとして、各参照関係に重み付けを行い、それに発生回数をかけたポイントを求める。
【０１３０】
文書リストの表示タイミング：
文書Ｄ３の関連文書リストＬ３を表示するタイミングには次の２種類がある。
第一のタイミングは、文書Ｄ３の転送要求と同時に関連文書リストＬ３の転送要求を行い、文書Ｄ３に関連文書リストＬ３を付加して表示を行う。
第二のタイミングは、文書Ｄ３にリファレンスボタンＢ３を付加して表示し、リファレンスボタンＢ３が選択されてから文書Ｄ３に関連文書リストＬ３を付加して表示を行うものである。この方法は操作ステップが１ステップ多くなるが、文書リストの文書数が多い場合には適している。
【０１３１】
関連文書リストの管理：
文書Ｄ３の関連文書リストＬ３の管理方法には、次のような二種類がある。
第一の管理方法は、関連文書リストＬ３の転送要求を受けてから、関連文書リストＬ３の生成を行うものである。
第二の管理方法は、予め生成した関連文書リストＬ３を文書Ｄ３のメタデータに記録し、一定のタイミング、例えば文書Ｄ３の参照関係が発生した時、または関連文書リストＬ３の転送要求があったとき等に更新するものである。
これらの二種類の管理方法は、本質的に異なるものではないので、２つまとめて「関連文書リストＬ３を生成または更新する」として説明する。
【０１３２】
（Ｃ−１）閲覧文書に関連する文書リストの表示：
この表示は、閲覧している文書を理解するのに、その文書について他人が参照した文書を活用するときに有効である。
図２２のフローチャートを用いて、関連文書リストの表示処理について説明する。
ユーザＰｉは、文書ＵＩ手段１１１に指示して、クライアントサイト１００の文書管理サーバ１３０のサーチエンジン手段１３１やＷｅｂ検索サイト３００のサーチエンジン手段３１０により所望の文書Ｄ３を特定し、文書管理サーバ１３０やＷｅｂサイト４００に所望の文書の転送を要求する。
文書ＵＩ手段１１１は、所望の文書Ｄ３の要求と同時にメタデータ管理手段１２１に文書Ｄ３に関連する文書リストＬ３の転送を要求する。
【０１３３】
メタデータ管理手段１２１は、文書ＵＩ手段１１１からの転送要求を受け取ると、メタデータＤＢ１２２を参照して、指定された「Ａ．文書Ｄ３のメタデータ」または「Ｅ．統合コンテクストメタデータ」から、下記の任意のまたは全ての文書概要情報または文書ＩＤを取得し、その情報から文書Ｄ３に関連する文書リストＬ３を生成または更新する。
【０１３４】
Ａ．閲覧文書Ｄ３から方向性のある推奨関係にある文書、
Ｂ．閲覧文書Ｄ３と推奨関係にある文書、
Ｃ．閲覧文書Ｄ３から方向性のある参照関係にある文書、
Ｄ．閲覧文書Ｄ３と参照関係にある文書。
【０１３５】
文書Ｄ３に関連する文書リストＬ３は、ハイパーテキスト文書として記述され、文書ＵＩ手段１１１に転送される。このハイパーテキスト文書には、「文書タイトル」、「概要情報」が明示的に記述され、それらの文書の所在を示すＵＲＬ等のＩＤが記述されている。
文書ＵＩ手段１１１では、メタデータ管理手段１２１から転送された文書Ｄ３に関連する文書リストＬ３を文書Ｄ３上または近傍に表示する。
ユーザＰｉは、表示された文書リストＬ３から適宜文書Ｄ４を選択すると、この文書が所在する場所（クライアントサイト１００の文書管理サーバ１３０、または、Ｗｅｂサイト４００）から文書Ｄ４を表示する。
【０１３６】
（Ｃ−２）個人に限定した閲覧文書に関連する文書リストの表示：
上記（Ｃ−１）では、他人が参照した文書リストを基にしていたが、同様に、自分が以前に参照して役立った文書を再度閲覧したい場合に利用することができる。
例えば、「確か文書Ｄ３を閲覧していた時に文書Ｄ４を参照して役立ったが、アレはどこにあったかな？」という状況にとって有効である。
このようにユーザＰｉ個人についての文書リストを表示させるときには、ユーザＰｉに限定して（Ｃ−１）と同様の処理を行う。
【０１３７】
ユーザＰｉは、文書ＵＩ手段１１１に指示して、クライアントサイト１００の文書管理サーバ１３０のサーチエンジン手段１３１やＷｅｂ検索サイト３００のサーチエンジン手段３１０により所望の文書Ｄ３を特定し、文書管理サーバ１３０やＷｅｂサイト４００に所望の文書の転送を要求する。
文書ＵＩ手段１１１は、ユーザＰｉと所望の文書Ｄ３との要求と、同時にメタデータ管理手段１２１に文書Ｄ３に関連する文書リストＬ３の転送を要求する。
メタデータ管理手段１２１は、文書ＵＩ手段１１１からの転送要求を受け取ると、メタデータＤＢ１２２を参照して、指定された文書Ｄ３のユーザＰｉに関するメタデータから、下記の任意のまたは全ての文書概要情報または文書ＩＤを取得し、その情報からユーザＰｉによる文書Ｄ３に関連する文書リストＬ３を生成または更新する。
【０１３８】
ａ．ユーザＰｉによる閲覧文書Ｄ３から方向性のある推奨関係にある文書、
ｂ．ユーザＰｉによる閲覧文書Ｄ３と推奨関係にある文書、
ｃ．ユーザＰｉによる閲覧文書Ｄ３から方向性のある参照関係にある文書、
ｄ．ユーザＰｉによる閲覧文書Ｄ３と参照関係にある文書。
【０１３９】
文書ＵＩ手段１１１は、メタデータ管理手段１２１から転送された文書Ｄ３に関連する文書リストＬ３を同様にして文書Ｄ３上または近傍に表示する。
【０１４０】
（Ｃ−３）閲覧文書Ｄ３から方向性のある閲覧文書Ｄ３に関連する文書リストＬ３の表示：
この表示は、閲覧文書を理解するのにその文書についての他人のコンテクストを活用し、閲覧文書と参照文書が方向性のある参照関係にある場合に有効である。
図２２のフローチャートを用いて、本表示についての処理手順を説明するが、上記の（Ｃ−１）と同じ処理については省略し、この処理特有の部分についてのみ説明する。
【０１４１】
メタデータ管理手段１２１は、文書ＵＩ手段１１１からの転送要求を受け取ると、メタデータＤＢ１２２を参照して、指定された文書Ｄ３が分類記録されている文書フォルダのメタデータから、下記の任意のまたは全ての文書概要情報または文書ＩＤを取得し、その情報から文書Ｄ３に関連する文書リストＬ３を生成または更新し、文書ＵＩ手段１１１へ転送する。
【０１４２】
Ｉ．文書フォルダＦ３の文書から方向性のある推奨関係にある文書、
Ｊ．文書フォルダＦ３の文書と推奨関係にある文書、
Ｋ．文書フォルダＦ３の文書から方向性のある参照関係にある文書、
Ｌ．文書フォルダＦ３の文書と参照関係にある文書。
【０１４３】
これにより、文書Ｄ３が分類されている文書フォルダＦ３の他の文書のコンテクストすなわち参照関係または推奨関係にある文書を選び出すことができ、文書Ｄ３がまだあまり閲覧されていない文書であっても、文書Ｄ３に関連する文書リストＬ３を作成することができる。
【０１４４】
（Ｃ−４）閲覧文書Ｄ３からユーザＰｉによる方向性のある閲覧文書Ｄ３に関連する文書リストＬ３の表示：
上記（Ｃ−３）では、他人が参照した文書リストを基にしていたが、同様に、自分が以前に参照して役立った文書を再度閲覧したい場合に利用することができる。
このようにユーザＰｉ個人についての文書リストを表示させるときには、ユーザＰｉに限定して（Ｃ−３）と同様の処理を行う。
【０１４５】
メタデータ管理手段１２１は、文書ＵＩ手段１１１からの転送要求を受け取ると、メタデータＤＢ１２２を参照して、指定された文書Ｄ３が分類されている文書フォルダのユーザＰｉに関するメタデータから、下記の任意のまたは全ての文書概要情報または文書ＩＤを取得し、その情報からユーザＰｉによる文書Ｄ３に関連する文書リストＬ３を生成または更新し、文書ＵＩ手段１１１へ転送する。
【０１４６】
ｉ．ユーザＰｉによる文書フォルダＦ３の文書から方向性のある推奨関係にある文書、
ｊ．ユーザＰｉによる文書フォルダＦ３の文書と推奨関係にある文書、
ｋ．ユーザＰｉによる文書フォルダＦ３の文書から方向性のある参照関係にある文書、
ｌ．ユーザＰｉによる文書フォルダＦ３の文書と参照関係にある文書。
【０１４７】
（Ｄ）文書リストの表示タイミング：
上述した（Ｃ−１）から（Ｃ−４）の文書リストの表示タイミングは、閲覧文書Ｄ３の転送要求と同時に関連文書リストＬ３の転送要求を行い、文書Ｄ３に関連文書リストＬ３を付加して表示を行っていた（第一のタイミング）。
ここでは、コンテクストが蓄積され、文書Ｄ３に関連する文書リストＬ３が大きくなった場合に有効な第二のタイミングについて説明する。
【０１４８】
（Ｄ−１）リファレンスボタンの利用：
ユーザＰｉが文書ＵＩ手段１１１を操作して、クライアントサイト１００の文書管理サーバ１３０やＷｅｂ検索サイト３００から所望の文書Ｄ３を取得する。この時、文書Ｄ３にリファレンスボタンＢ３を付加して表示する。このリファレンスボタンＢ３は、ハイパーテキスト文書として記述され、メタデータ管理手段１２１に対する文書Ｄ３に関連する文書リストＬ３の転送要求と転送に必要な情報が記述される。
【０１４９】
このリファレンスボタンＢ３の生成には、次の２つの方法がある。
第一の方法は、メタデータ管理手段１２１で生成される方法である（図２３のフローチャート参照）。
この場合、文書ＵＩ手段１１１は、閲覧文書を取得して表示させ、この閲覧文書Ｄ３に付加されたリファレンスボタンＢ３の関連文書リストＬ３要求をメタデータ管理手段１２１に転送する。
メタデータ管理手段１２１は、文書ＵＩ手段１１１からの要求により、閲覧文書Ｄ３のＩＤから閲覧文書Ｄ３のメタデータを取得してリファレンスボタンＢ３と関連文書リストＬ３を生成または更新して文書ＵＩ手段１１１に転送する。
文書ＵＩ手段１１１は、リファレンスボタンＢ３のみを表示し、ユーザがリファレンスボタンＢ３を操作した時のみ関連文書リストＬ３を表示する。
この第一の方法は、ユーザがリファレンスボタンＢ３を操作してから関連文書リストＬ３を転送する方式に比べて通信効率が高い。
【０１５０】
第二の方法は、文書ＵＩ手段１１１やその他文書管理手段等で生成または更新する方法である（図２４のフローチャート参照）。
この場合、文書ＵＩ手段１１１ではユーザから指定された文書Ｄ３を表示する際、リファレンスボタンＢ３を付加した表示を行う。このリファレンスボタンＢ３の付加は、文書ＵＩ手段１１１で行ってもよいし、文書管理手段１３２が文書Ｄ３を転送するときに付加するようにしてもよい。
ユーザがリファレンスボタンＢ３を操作した時、文書ＵＩ手段１１１は、文書Ｄ３に関連する文書リストを送るようにメタデータ管理手段１２１に要求する。
メタデータ管理手段１２１は、文書ＵＩ手段１１１からの要求により、閲覧文書Ｄ３のＩＤから閲覧文書Ｄ３のメタデータを取得して関連文書リストＬ３を生成または更新して文書ＵＩ手段１１１に転送し、文書ＵＩ手段１１１は、転送された関連文書リストＬ３を表示する。
この第二の方法は、通信の効率はさらに高いが、文書Ｄ３に十分なコンテクストがなく関連文書リストＬ３を表示できない状態であってもリファレンスボタンＢ３を表示してしまうという問題がある。
【０１５１】
（Ｄ−２）共有リファレンスボタンＢａ３と自己リファレンスボタンＢｂ３の利用：
メタデータから特定される文書のうち、上述のＡ〜Ｄ,Ｉ〜Ｌ,ａ〜ｄ,ｉ〜ｌの文書から任意の組合せまたは全ての組合せの文書Ｄ３の共有関連文書リストＬａ３と自己関連文書リストＬｂ３を表示するのは、参照関係の強さが不確定なまたは未知の場合に有効である。
しかし、表示する文書リストが大規模になると視認しにくくなるので、（Ｄ−１）で説明したリファレンスボタンＢ３をさらに発展させた共有リファレンスボタンＢａ３と自己リファレンスボタンＢｂ３を利用するようにした。
【０１５２】
この共有リファレンスボタンＢａ３の目的は、閲覧文書を理解するのにその文書についての他人のコンテクストを活用することである。
また、自己リファレンスボタンＢｂ３の目的は、自分が以前に参照した文書を再度閲覧したい場合に有効である。
このように目的が異なるので、表示する関連文書リストを絞り込むのに有効である。
【０１５３】
図２５のフローチャートを用いて、共有リファレンスボタンＢａ３と自己リファレンスボタンＢｂ３を取得して表示するときの処理を説明する。
ユーザＰｉは、文書ＵＩ手段１１１に指示して、クライアントサイト１００の文書管理サーバ１３０のサーチエンジン手段１３１やＷｅｂ検索サイト３００のサーチエンジン手段３１０により所望の文書Ｄ３を特定し、文書管理サーバ１３０やＷｅｂサイト４００に所望の文書の転送を要求する。
文書ＵＩ手段１１１は、転送されてきた文書Ｄ３に共有リファレンスボタンＢａ３と自己リファレンスボタンＢｂ３を付加して表示する。
この共有リファレンスボタンＢａ３と自己リファレンスボタンＢｂ３は、ハイパーテキスト文書として記述され、メタデータ管理手段１２１に対する文書Ｄ３の共有関連文書リストＬａ３と自己関連文書リストＬｂ３の転送要求と転送に必要な情報が記述される。
【０１５４】
ユーザＰｉにより共有リファレンスボタンＢａ３がクリックされると共有関連文書リストＬａ３が、または、自己リファレンスボタンＢｂ３がクリックされると自己関連文書リストＬｂ３の転送要求と転送に必要な情報がメタデータ管理手段１２１に転送される。
【０１５５】
メタデータ管理手段１２１は、文書ＵＩ手段１１１からの要求により文書Ｄ３のメタデータ、文書Ｄ３の文書フォルダＦ３のメタデータや統合コンテクストメタデータから下記の任意のまたは全ての文書概要情報または文書ＩＤを取得して、共有リファレンスボタンＢａ３と共有関連文書リストＬａ３を生成または更新する。
【０１５６】
Ａ．閲覧文書Ｄ３から方向性のある推奨関係にある文書、
Ｂ．閲覧文書Ｄ３と推奨関係にある文書、
Ｃ．閲覧文書Ｄ３から方向性のある参照関係にある文書、
Ｄ．閲覧文書Ｄ３と参照関係にある文書、
Ｉ．文書フォルダＦ３の文書から方向性のある推奨関係にある文書、
Ｊ．文書フォルダＦ３の文書と推奨関係にある文書、
Ｋ．文書フォルダＦ３の文書から方向性のある参照関係にある文書、
Ｌ．文書フォルダＦ３の文書と参照関係にある文書。
【０１５７】
続いて、文書Ｄ３のメタデータ、文書Ｄ３の文書フォルダＦ３のメタデータ、統合コンテクストメタデータから下記の任意のまたは全ての文書概要情報または文書ＩＤを取得して、自己リファレンスボタンＢｂ３と自己関連文書リストＬｂ３を生成または更新する。
【０１５８】
ａ．ユーザＰｉによる閲覧文書Ｄ３から方向性のある推奨関係にある文書、
ｂ．ユーザＰｉによる閲覧文書Ｄ３と推奨関係にある文書、
ｃ．ユーザＰｉによる閲覧文書Ｄ３から方向性のある参照関係にある文書、
ｄ．ユーザＰｉによる閲覧文書Ｄ３と参照関係にある文書、
ｉ．ユーザＰｉによる文書フォルダＦ３の文書から方向性のある推奨関係にある文書、
ｊ．ユーザＰｉによる文書フォルダＦ３の文書と推奨関係にある文書、
ｋ．ユーザＰｉによる文書フォルダＦ３の文書から方向性のある参照関係にある文書、
ｌ．ユーザＰｉによる文書フォルダＦ３の文書と参照関係にある文書。
【０１５９】
メタデータ管理手段１２１は、共有リファレンスボタンＢａ３と共有関連文書リストＬａ３と自己リファレンスボタンＢｂ３と自己関連文書リストＬｂ３を文書ＵＩ手段１１１に転送する。
ユーザＰｉは、表示された共有リファレンスボタンＢａ３を押して共有関連文書リストＬａ３を表示させ、この中から選択された所望の文書Ｄ４が文書管理手段やＷｅｂコンテンツ等から転送されて表示される。文書ＵＩ手段１１１は、文書Ｄ４の選択過程をコンテクストとしてメタデータＤＢ１２２へ記録する。
また、ユーザＰｉが表示された自己リファレンスボタンＢｂ３を押して自己関連文書リストＬｂ３を表示させ、この中から選択された所望の文書Ｄ４がＷｅｂコンテンツ等から転送されて表示される。文書ＵＩ手段１１１は、文書Ｄ４の選択過程をコンテクストとしてメタデータ管理サーバ１２０へ転送して、このコンテクストから再加工可能なメタデータとしてメタデータＤＢ１２２へ記録する。
【０１６０】
（Ｄ−３）ランキングにより個数を限定した共有関連文書リストＬａ３と自己関連文書リストＬｂ３の利用：
この方法は、（Ｄ−１）のように一旦求められた関連文書リストをランキングして、個数を限定して表示する。
まず、各コンテクストを同じタイプのものをまとめて一つのコンテクストとして扱い発生回数の項目を付加する。ここで、コンテクストのタイプとは、図２６に例示したように、共有関連文書についてはタイプＡ〜Ｌの８種類、自己関連文書についてはタイプａ〜ｌの８種類がある。これらの１６種類のタイプは、メタデータから特定される文書のタイプと同じである。
【０１６１】
図２６のポイントテーブルによれば、例えば、文書Ｄ３に関する共有関連文書についての重み付けのポイントは次のようになっている。
【０１６２】
タイプＡ：注目している文書Ｄ３が閲覧文書となっており、推奨文書を持っている場合、ポイントとして２０が与えられる。
タイプＢ：注目している文書Ｄ３が閲覧文書から推奨されている場合には、ポイントとして１６が与えられる。
タイプＣ：文書Ｄ３が閲覧文書となっており、参照文書を持っている場合、ポイントとして１０が与えられる。
タイプＤ：注目する文書Ｄ３が参照文書である場合には、ポイントとして７が与えられる。
タイプＩ：注目する文書Ｄ３が分類されている文書フォルダにある閲覧文書が、推奨文書を持っている場合、ポイントとして４が与えられる。
タイプＪ：ある閲覧文書の推奨文書の分類されている文書フォルダと、注目している文書Ｄ３の分類されている文書フォルダとが同じである場合、ポイントとして３が与えられる。
タイプＫ：注目している文書Ｄ３が分類されている文書フォルダと、ある閲覧文書の分離されている文書フォルダとが同じ場合、ポイントとして２が与えられる。
タイプＬ：ある閲覧文書から参照された参照文書が分類された文書フォルダと、注目している文書の分類されている文書フォルダとが同じ場合、ポイントとして１が与えられる。
また、文書Ｄ３に関する自己関連文書についての重み付けのポイントも同様に与えられている。
【０１６３】
次に、関連文書リストへ取り上げられたすべての文書ごとに、コンテクスト（コンテクストのタイプ）の参照関係を評価して、図２６のポイントテーブルを参照して重み付けを行い、この重み付けと発生回数の積を総合ポイントとする（図２７参照）。
総合ポイントに基づいて文書Ｄ３の共有関連文書リストＬａ３と自己関連文書リストＬｂ３を編集する。例えば、総合ポイントに対応した露出度（確率）で表示する。
【０１６４】
（Ｅ）参照関係にあった文書から関連文書リストを作成：
上記の（Ｃ）および（Ｄ）は、メタデータを活用して関連文書リストを表示する方法について説明した。これ以降では、関連文書リストを直接表示するのではなく検索する方法について説明する。ここで、関連文書を検索する対象をメタデータに記録された、即ち、参照関係のある文書の範囲とするものである。
これにより、メタデータの蓄積が多くなると表示は困難になるが、検索することにより必要な情報のみを表示することができる。
【０１６５】
一般的なＷｅｂ検索サイト等のサーチエンジンでは、検索対象の文書ＩＤにより参照関係のある文書の範囲に限定した検索には適さないので、複合検索手段を用いることにする。
この複合検索手段は、メタデータ管理手段から転送された検索対象文書リストＳＬ３の文書ＩＤ:Ｄｉ（ｉ＝１〜ｎ）と単語等ｄ３をキーワードとして、条件(D1 or D2or・・・Dn) and d3の検索を行う。
【０１６６】
本実施形態における情報提供システムや情報提供装置の一般的構成は、必須要素として文書ＵＩ手段とメタデータ管理手段と複合検索手段、付随する要素として文書管理手段とサーチエンジン手段とＷｅｂコンテンツ等で構成される。図１、図３、図４および図５で説明した情報提供システムや情報提供装置との相違は、複合検索手段を備える点であり、上述した各手段やデータベースについては既述の機能を有するものであり、説明を省略する。
【０１６７】
この複合検索手段は、メタデータ管理手段に管理されているメタデータから、閲覧文書と参照関係にある参照文書の文書ＩＤを得て、これらの文書ＩＤの示す文書内容に対して、文書ＵＩ手段で指定した単語等をキーワードとして検索を行って、その検索結果の文書ＩＤを文書ＵＩ手段へ転送するものである。
このような文書ＩＤによる検索には一般のＷｅｂ検索サイトのサーチエンジンでは適さないので、この複合検索手段により、検索対象の文書を参照関係にある文書に限定して行うことにより、より精度の高い検索が行える。
【０１６８】
このシステム構成は大きく分けて四つの構成方法がある。
第一の構成は、図２８に例示したように、メタデータ管理手段１２１と複合検索手段１４１をクライアントサイト１００に、メタデータ管理サーバ１２０およびコンテクスト文書管理サーバ１４０として独立にしておく。複合検索手段１４１は、コンテクストが発生した時に生成したインデックスと文書ＩＤの記録と検索を行う。
この構成では、他人のコンテクストの活用に適している。
【０１６９】
第二の構成は、図２９に例示したように、図２８の例のメタデータ管理手段１２１、複合検索手段１４１、文書管理手段１３２とサーチエンジン手段１３１とをクライアントサイト１００のユーザＰＣ１１０上におく。また、この文書管理手段１３２とサーチエンジン手段１３１とを文書管理サーバ１３０として、クライアントサイト１００に設置するようにしてもよい。
この構成では、自己のコンテクストの活用に適している。
【０１７０】
第三の構成は、図３０に例示したように、ＡＳＰサイトを利用する構成であり、メタデータ管理手段１２１と複合検索手段１４１をインターネット２００上、例えばＡＳＰサイト５００に、それぞれメタデータ管理サーバ１２０、コンテクスト文書管理サーバ１４０として独立しておく。ここで、文書管理サーバ１３０もＡＳＰサイト５００に設置したり、メタデータ管理サーバ１２０をクライアントサイト１００に設置してもよい。さらに、文書ＵＩ手段１１１をＡＳＰサイト５００におき、画面データをユーザＰＣ１１０に転送するように構成してもよい。
【０１７１】
第四の構成は、図３１に例示したように、Ｗｅｂ検索サイトを用いる構成であり、メタデータ管理手段１２１と複合検索手段１４１をインターネット２００上、例えばＷｅｂ検索サイト３００に、それぞれメタデータ管理サーバ１２０とコンテクスト文書管理サーバ１４０として独立しておく。
この第四の構成では、メタデータをＷｅｂ検索サイト内から取得できるので第三の構成よりも高いＣＴＲ(クリック率：Click Through Rate)が期待できる。
また、文書管理サーバ１３０をＷｅｂ検索サイト３００に設置してもよいし、メタデータ管理サーバ１２０をクライアントサイト１００に設置するようにしてもよい。
【０１７２】
以下では、第一の構成を例にして説明するが、他の構成によっても同様に適用可能である。
【０１７３】
（Ｅ−１）共有リファレンス検索：
この共有リファレンス検索では、閲覧文書を理解するのに、その文書についての他人のコンテクストを活用するものであり、次のメタデータに記録された文書の範囲を検索対象とする。
【０１７４】
Ａ.文書Ｄ３のメタデータ、  Ｄ.文書フォルダＦ３のメタデータ、  Ｅ.統合コンテクストメタデータ。
【０１７５】
図３２のフローチャートを用いて、共有リファレンス検索によって関連文書リストを取得する処理を説明する。
ユーザＰｉは、文書ＵＩ手段１１１により、閲覧文書Ｄ３において単語等ｄ３の選択を行うと、サービスメニューが表示され、そのメニューには「共有リファレンス検索」が含まれている（図２参照）。
ユーザＰｉがメニューから「共有リファレンス検索」を選択すると、文書ＵＩ手段１１１は、メタデータ管理手段１２１に文書Ｄ３のＩＤと「共有リファレンス検索」のＩＤと単語等ｄ３を転送する。
【０１７６】
メタデータ管理手段１２１は、文書ＵＩ手段１１１から文書Ｄ３のＩＤと「共有リファレンス検索」のＩＤと単語等ｄ３を受け取ると、メタデータ「Ａ.文書Ｄ３のメタデータ」、「Ｄ.文書フォルダＦ３のメタデータ」、「Ｅ.統合コンテクストメタデータ」から特定される文書（Ａ〜Ｄ，Ｉ〜Ｌ）の任意のまたは全ての文書概要情報または文書ＩＤを取得して検索対象文書リストＳＬ３を生成する。
この検索対象文書リストＳＬ３は必要に応じて（Ｄ−３）で説明したものと同様のランキングを行うことができる。
メタデータ管理手段１２１は、単語等ｄ３と検索対象文書リストＳＬ３を複合検索手段１４１に転送する。
【０１７７】
複合検索手段１４１は、メタデータ管理手段１２１から転送された検索対象文書リストＳＬ３の文書ＩＤ:Ｄｉ(ｉ＝１〜ｎ)と単語等ｄ３をキーワードとして、条件(D1 or D2 or・・・Dn) and d3の検索を行う。
複合検索手段１４１は、この検索結果を検索対象文書リストＳＬ３のランキングに従って並べ替えて、文書ＵＩ手段１１１に転送する。
これにより、通常の検索に比べて参照関係、推奨関係のある文書に限定して検索を行うので、ノイズが少なくしかも先人のコンテクストに沿って閲覧することになるので、所望の文書を発見できる効率が高くなる。
【０１７８】
（Ｅ−２）自己リファレンス検索：
この自己リファレンス検索では、自分が以前に参照した文書を再度閲覧したい場合に有効であり、例えば、「確か文書Ｄ３を閲覧していた時、文書Ｄ４を参照して役立ったが、アレはどこに?」という状況のときに有効であり、次のメタデータに記録された文書の範囲を検索対象とする。
【０１７９】
Ａ．文書Ｄ３のメタデータ、
Ｄ．文書フォルダＦ３のメタデータ、
Ｅ．統合コンテクストメタデータ。
【０１８０】
図３２のフローチャートを用いて、自己リファレンス検索によって関連文書リストを取得する処理を説明する。
ユーザＰｉは、文書ＵＩ手段１１１により、閲覧文書Ｄ３において単語等ｄ３の選択を行うと、サービスメニューが表示され、そのメニューには「自己リファレンス検索」が含まれている（図２参照）。
ユーザＰｉがメニューから「自己リファレンス検索」を選択すると、文書ＵＩ手段１１１は、メタデータ管理手段１２１に文書Ｄ３のＩＤと「自己リファレンス検索」のＩＤと単語等ｄ３を転送する。
【０１８１】
メタデータ管理手段１２１は、文書ＵＩ手段１１１から文書Ｄ３のＩＤと「共有リファレンス検索」のＩＤと単語等ｄ３を受け取ると、ユーザＰｉ用のメタデータ「Ａ．文書Ｄ３のメタデータ」、「Ｄ.文書フォルダＦ３のメタデータ」、「Ｅ.統合コンテクストメタデータ」から特定される文書（ａ〜ｄ，ｉ〜ｌ）の任意のまたは全ての文書概要情報または文書ＩＤを取得して検索対象文書リストＳＬ３を生成する。
この検索対象文書リストＳＬ３は必要に応じて（Ｄ−３）で説明したものと同様のランキングを行うことができる。
メタデータ管理手段１２１は、単語等ｄ３と検索対象文書リストＳＬ３を複合検索手段１４１に転送する。
【０１８２】
複合検索手段１４１は、メタデータ管理手段１２１から転送された検索対象文書リストＳＬ３の文書ＩＤ:Ｄｉ(ｉ＝１〜ｎ)と単語等ｄ３をキーワードとして、条件(D1 or D2 or・・・Dn) and d3の検索を行う。
複合検索手段１４１は、この検索結果を検索対象文書リストＳＬ３のランキングに従って並べ替えて、文書ＵＩ手段１１１に転送する。
これにより、通常の検索に比べて参照関係、推奨関係のある文書に限定して検索を行うので、ノイズが少なくしかも自己のコンテクストに沿って閲覧することになるので効率が高い。
【０１８３】
（Ｅ−３）単語等からの共有リファレンス検索：
この単語等からの共有リファレンス検索では、単語等を理解するのに、その単語等についての他人のコンテクストを活用するものであり、次のメタデータに記録された文書の範囲を検索対象とする。
【０１８４】
Ｂ．閲覧文書の単語等ｄ３または閲覧文書のキーワードボタンに表示されている単語等ｄ３のメタデータ、
Ｃ．文書に共通な単語等ｄ３のメタデータ、
Ｅ．統合コンテクストメタデータ。
【０１８５】
図３２のフローチャートを用いて、共有リファレンス検索によって関連文書リストを取得する処理を説明する。
ユーザＰｉは、文書ＵＩ手段１１１により、閲覧文書Ｄ３において単語等ｄ３の選択を行うと、サービスメニューが表示され、そのメニューには「単語等からの共有リファレンス検索」が含まれている（図２参照）。
ユーザＰｉがメニューから「単語等からの共有リファレンス検索」を選択すると、文書ＵＩ手段１１１は、メタデータ管理手段１２１に「単語等からの共有リファレンス検索」のＩＤと単語等ｄ３を転送する。
【０１８６】
メタデータ管理手段１２１は、文書ＵＩ手段１１１から「単語等からの共有リファレンス検索」のＩＤと単語等ｄ３を受け取ると、単語等ｄ３のメタデータがメタデータＤＢ１２２にあるか調べる。単語等ｄ３のメタデータが有る場合は、「Ｂ．閲覧文書の単語等ｄ３または閲覧文書のキーワードボタンに表示されている単語等ｄ３のメタデータ」、「Ｃ．文書に共通な単語等ｄ３のメタデータ」、「Ｅ．統合コンテクストメタデータ」から特定される文書（Ｅ〜Ｈ）の任意のまたは全ての文書概要情報または文書ＩＤを取得して検索対象文書リストＳＬ３を生成する。
【０１８７】
この検索対象文書リストＳＬ３は必要に応じて（Ｄ−３）で説明したものと同様のランキングを行うことができる。例えば、「推奨関係＞参照関係」、「閲覧文書Ｄ３の単語等ｄ３＞単語等ｄ３」とし、Ｅ〜Ｈの順とする。
メタデータ管理手段１２１は、単語等ｄ３と検索対象文書リストＳＬ３を複合検索手段に転送する。
【０１８８】
複合検索手段１４１は、メタデータ管理手段１２１から転送された検索対象文書リストＳＬ３の文書ＩＤ:Ｄｉ(ｉ＝１〜ｎ)と単語等ｄ３をキーワードとして、条件(D1 or D2 or・・・Dn) and d3の検索を行う。
複合検索手段１４１は、この検索結果を検索対象文書リストＳＬ３のランキングに従って並べ替えて、文書ＵＩ手段１１１に転送する。
これにより、通常の検索に比べて参照関係、推奨関係のある文書に限定して検索を行うので、ノイズが少なくしかも先人のコンテクストに沿って閲覧することになるので、所望の文書を発見できる効率が高くなる。
【０１８９】
（Ｅ−４）単語等からの自己リファレンス検索：
この単語等からの自己リファレンス検索では、単語等を理解するのに、その単語等について自分が以前に参照した文書を再度閲覧したい場合に有効であり、「確か文書Ｄ３を閲覧していた時、文書Ｄ４を参照して役立ったが、アレはどこに?」という状況に有効であり、次のメタデータに記録された文書の範囲を検索対象とする。
【０１９０】
Ｂ．閲覧文書の単語等ｄ３または閲覧文書のキーワードボタンに表示されている単語等ｄ３のメタデータ、
Ｃ．文書に共通な単語等ｄ３のメタデータ、
Ｅ．統合コンテクストメタデータ。
【０１９１】
図３２のフローチャートを用いて、第一の構成において共有リファレンス検索によって関連文書リストを取得する処理を説明する。
ユーザＰｉは、文書ＵＩ手段１１１により、閲覧文書Ｄ３において単語等ｄ３の選択を行うと、サービスメニューが表示され、そのメニューには「単語等からの自己リファレンス検索」が含まれている（図２参照）。
ユーザＰｉがメニューから「単語等からの自己リファレンス検索」を選択すると、文書ＵＩ手段１１１は、メタデータ管理手段１２１に「単語等からの自己リファレンス検索」のＩＤと単語等ｄ３を転送する。
【０１９２】
メタデータ管理手段１２１は、文書ＵＩ手段１１１から「単語等からの自己リファレンス検索」のＩＤと単語等ｄ３を受け取ると、ユーザＰｉに関する単語等ｄ３のメタデータがメタデータＤＢ１２２にあるか調べる。単語等ｄ３のメタデータが有る場合は、「Ｂ．閲覧文書の単語等ｄ３または閲覧文書のキーワードボタンに表示されている単語等ｄ３のメタデータ」、「Ｃ．文書に共通な単語等ｄ３のメタデータ」、「Ｅ．統合コンテクストメタデータ」から特定される文書（ｅ〜ｈ）の任意のまたは全ての文書概要情報または文書ＩＤを取得して検索対象文書リストＳＬ３を生成する。
この検索対象文書リストＳＬ３は、必要に応じて（Ｄ−３）で説明したものと同様のランキングを行うことができる。例えば、「推奨関係＞参照関係」、「閲覧文書Ｄ３の単語等ｄ３＞単語等ｄ３」とし、ｅ〜ｈの順とする。
メタデータ管理手段１２１は、単語等ｄ３と検索対象文書リストＳＬ３を複合検索手段１４１に転送する。
【０１９３】
複合検索手段１４１は、メタデータ管理手段１２１から転送された検索対象文書リストＳＬ３の文書ＩＤ:Ｄｉ(ｉ＝１〜ｎ)と単語等ｄ３をキーワードとして、条件(D1 or D2 or・・・Dn) and d3の検索を行う。
複合検索手段１４１は、この検索結果を検索対象文書リストＳＬ３のランキングに従って並べ替えて、文書ＵＩ手段１１１に転送する。
これにより、通常の検索に比べて参照関係、推奨関係のある文書に限定して検索を行うので、ノイズが少なくしかも自己のコンテクストに沿って閲覧することになるので、所望の文書を発見できる効率が高くなる。
【０１９４】
（Ｅ−５）任意の組み合わせからなるリファレンス検索：
このリファレンス検索は、メタデータから特定される文書Ａ〜Ｌ，ａ〜ｌの参照関係の強さが不確定なまたは未知の場合に有効であり、これらの文書Ａ〜Ｌ，ａ〜ｌ、または、これらの文書の任意の組合せ、または、全てをリスト表示するものである。
【０１９５】
図３２のフローチャートを用いて、任意の組み合わせからなるリファレンス検索によって関連文書リストを取得する処理を説明する。
ユーザＰｉは、文書ＵＩ手段１１１により、閲覧文書Ｄ３において単語等ｄ３の選択を行うと、サービスメニューが表示される。このサービスメニューは、下記の四分類あるいは二分類等が考えられる。
【０１９６】
(i)「共有リファレンス検索」
(ii)「単語等からの共有リファレンス検索」
(iii)「自己リファレンス検索」
(iv)「単語等からの自己リファレンス検索」
または
(v)「共有リファレンス検索」((i)+(ii))
(vi)「自己リファレンス検索」((iii)+(iv))
【０１９７】
ユーザＰｉがメニューから上記いずれかの「リファレンス検索」を選択すると、文書ＵＩ手段１１１は、メタデータ管理手段１２１に閲覧文書Ｄ３のＩＤと選択されたサービスのＩＤと単語等ｄ３を転送する。
【０１９８】
メタデータ管理手段１２１は、文書ＵＩ手段１１１から「選択されたサービス」のＩＤと閲覧文書Ｄ３のＩＤと単語等ｄ３を受け取ると、メタデータから特定される文書（選択されたサービスに対応した文書）の任意のまたは全ての文書概要情報または文書ＩＤを取得して検索対象文書リストＳＬ３を生成する。
この検索対象文書リストＳＬ３は、必要に応じて（Ｄ−３）で説明したものと同様のランキングを行うことができる。
メタデータ管理手段１２１は、単語等ｄ３と検索対象文書リストＳＬ３を複合検索手段１４１に転送する。
【０１９９】
複合検索手段１４１は、メタデータ管理手段１２１から転送された検索対象文書リストＳＬ３の文書ＩＤ:Ｄｉ(ｉ＝１〜ｎ)と単語等ｄ３をキーワードとして、条件(D1 or D2 or・・・Dn) and d3の検索を行う。
複合検索手段１４１は、この検索結果を検索対象文書リストＳＬ３のランキングに従って並べ替えて、文書ＵＩ手段１１１に転送する。
これにより、通常の検索に比べて参照関係、推奨関係のある文書に限定して検索を行うので、ノイズが少なくしかも先人や自己のコンテクストに沿って閲覧することになるので、所望の文書を発見できる効率が高くなる。
【０２００】
（Ｆ）フィルタリングから関連文書リストを作成：
上記の（Ｅ）では、一般ユーザや自己によって参照された文書に限定して、文書関連リストを作成していた。ここでは、一般的な文書管理サーバやＷｅｂ検索サイトのサーチエンジン手段による検索結果を参照関係のある文書の範囲にフィルタリングすることを考える。例えば、一般的な文書管理サーバやＷｅｂ検索サイトのサーチエンジン手段により、単語等ｄ３をキーワードとして検索した検索結果リストの文書ＩＤを検索対象文書リストＳＬ３と照合し、一致するものを関連文書リストとするものである。
【０２０１】
本実施形態における情報提供システムの一般的構成は、必須要素として文書ＵＩ手段とメタデータ管理手段とフィルタリング手段、付随する要素として文書管理サーバとＷｅｂ検索サイトのサーチエンジン手段とＷｅｂサイトのＷｅｂコンテンツ等で構成される。ここで、フィルタリング手段以外の上述した各手段やデータベースについては既述の機能を有するものであり、説明を省略する。
【０２０２】
このシステム構成は大きく分けて四つの構成方法がある。
第一の構成は、図３３に例示したように、メタデータ管理手段１２１とフィルタリング手段１５１をクライアントサイト１００にそれぞれ独立しておく。
この場合は、他人コンテクストの活用に適している。
【０２０３】
第二の構成は、図３４に例示したように、メタデータ管理手段１２１とフィルタリング手段１５１をクライアントサイト１００のユーザＰＣ１１０においてもよい。この場合は、自己コンテクストの活用に適している。
また、文書管理手段１３２とサーチエンジン手段１３１とを文書管理サーバ１３０としてクライアントサイト１００へ設置するようにしてもよい。
【０２０４】
第三の構成は、図３５に例示したように、ＡＳＰサイトを利用する構成であり、ＡＳＰサイト５００のメタデータ管理サーバ１２０とフィルタリング手段１５１をおいて、インターネット２００でクライアントサイト１００やＷｅｂ検索サイト３００やＷｅｂサイト４００と接続する。
また、メタデータ管理サーバ１２０をクライアントサイト１００に設置してもよいし、文書管理サーバ１３０をＡＳＰサイト５００に設置してもよい。さらに、文書ＵＩ手段１１１をＡＳＰサイト５００に置き、画面データをユーザＰＣ１１０に転送するように構成してもよい。
【０２０５】
第四の構成は、図３６に例示したように、Ｗｅｂ検索サイトを用いる構成であり、メタデータ管理サーバ１２０とフィルタリング手段１５１とをＷｅｂ検索サイト３００におく。
この構成は、Ｗｅｂ検索サイト３００でメタデータを取得できるので第三の構成よりも高いＣＴＲ(クリック率：Click Through Rate)が期待できる。
また、メタデータ管理サーバ１２０をクライアントサイト１００に設置してもよいし、文書管理サーバ１３０をＷｅｂ検索サイト３００に設置するようにしてもよい。
以下では、第一の構成を例にして説明するが、他の構成によっても同様に適用可能である。
【０２０６】
図３７のフローチャートを用いて、クライアントサイトでフィルタリングして関連文書リストを取得する処理を説明する。
ユーザＰｉは、文書ＵＩ手段１１１により、閲覧文書Ｄ３において単語等ｄ３の選択を行うと、サービスメニュー（上記の四分類あるいは二分類等）が表示される。
ユーザＰｉがメニューから上記いずれかの「リファレンス検索」を選択すると、文書ＵＩ手段１１１は、単語等ｄ３をキーワードとしてサーチエンジン手段１３１、３１０に転送するとともに、メタデータ管理手段１２１に閲覧文書Ｄ３のＩＤと選択されたサービスのＩＤと単語等ｄ３を転送する。
【０２０７】
サーチエンジン手段１３１、３１０では、文書ＵＩ手段１１１から受け取った単語等ｄ３をキーワードとして検索を行い、検索結果リストの文書ＩＤ（一般的にはＵＲＬ）をフィルタリング手段１５１に転送する。
メタデータ管理手段１２１は、文書ＵＩ手段１１１から「選択されたサービス」のＩＤと閲覧文書Ｄ３の文書ＩＤと単語等ｄ３を受け取ると、メタデータから特定される文書（選択されたサービスに対応した文書）の任意のまたは全ての文書概要情報または文書ＩＤを取得して検索対象文書リストＳＬ３を生成する。
この検索対象文書リストＳＬ３は、必要に応じて（Ｄ−３）で説明したものと同様のランキングを行うことができる。
メタデータ管理手段１２１は、検索対象文書リストＳＬ３をフィルタリング手段１５１に転送する。
【０２０８】
フィルタリング手段１５１は、サーチエンジン手段１３１、３１０から転送された検索結果リストの文書ＩＤ（一般的にはＵＲＬ）と、メタデータ管理手段１２１から転送された文書ＩＤ(一般的にはＵＲＬ)を比較し、前半部が一致するものを残す。例えば、http://www.○○○co.jp/まで一致するものを残し、それ以外を除外するフィルタリング処理を行う。
フィルタリング手段１５１は、検索結果リストのフィルタリング処理を行った結果を文書ＵＩ手段１１１に転送する。
【０２０９】
このように、フィルタリング手段１５１を用いることにより一般的なＷｅｂ検索サイトを利用可能にして、（Ｅ）の構成に用いられた複合検索手段がなくても、所望の文書を発見できる効率が高くなる。
【０２１０】
（Ｇ）プッシュキーワードの付加：
上記の（Ｂ−５）および（Ｂ−６）では、ハイパーテキストとして予め記述されたキーワードボタンを用いていたが、以下の説明では、コンテクストに基づいてその文書の理解に役立ちそうなキーワードをお薦めのプッシュキーワードとして付加するものであり、（Ｂ−５）および（Ｂ−６）の応用である。
【０２１１】
これらのキーワードボタンには、要求があってから、閲覧文書Ｄ３の単語等ｄｉのメタデータから検索キーワードボタンＫｉを生成する方式と、予めキーワードボタンを生成しておき、参照が行われる度にあるいは定期的に更新する方式がある。
【０２１２】
（Ｇ−１）オンデマンドにより共用プッシュキーワードの生成：
この場合には、キーワードをキーワードボタンＫ３の単語等ｄ３とし、検索対象を単語等ｄ３のメタデータに記録された文書の範囲とするものであり、閲覧文書を理解するのにその文書についての他人のコンテクストを活用するのに効果的である。
【０２１３】
図３８のフローチャートを用いて、オンデマンドに共用プッシュキーワードを生成・表示する処理手順を説明する。
文書ＵＩ手段１１１は、ユーザＰｉから指定された閲覧文書Ｄ３の内容を文書管理手段１３２あるいはＷｅｂコンテンツ４１０から取得し、表示装置へ表示させる。
文書ＵＩ手段１１１は、この閲覧文書Ｄ３のキーワードボタンＫｉ情報の要求をメタデータ管理手段１２１へ転送する。
【０２１４】
メタデータ管理手段１２１は、文書ＵＩ手段１１１から転送された閲覧文書Ｄ３のＩＤを取得し、「Ａ．文書Ｄ３のメタデータ（検索に使われた単語等ｄｉのＩＤが記録されている）」、および「Ｂ．文書Ｄ３の単語等ｄｉまたはキーワードボタンに表示されている単語等ｄｉのメタデータ」から特定される下記の任意のまたは全ての文書概要情報または文書ＩＤを取得して検索対象文書リストＳＬｉを生成する。
【０２１５】
Ｅ.閲覧文書Ｄ３の単語等ｄｉまたは閲覧文書Ｄ３のキーワードボタンＫｉに表示されている単語等ｄｉから推奨関係にある文書、
Ｇ.閲覧文書Ｄ３の単語等ｄｉまたは閲覧文書Ｄ３のキーワードボタンＫｉに表示されている単語等ｄｉから参照関係にある文書。
【０２１６】
メタデータ管理手段１２１は、キーワードボタンＫｉを生成し、単語等ｄｉを検索キーワードとして付加し、複合検索手段１４１に転送して検索を行うためのリンクを付加する。
メタデータ管理手段１２１は、上記のように生成された、キーワードボタンＫｉと検索対象文書リストＳＬｉを文書ＵＩ手段１１１へ転送する。
ここで、キーワードボタンＫｉすなわち単語等ｄｉが多数ある場合にはランキングを行う。このランキングには、第一の方法として、参照（検索）に用いられた回数によるランキング、第二の方法は推奨関係の方が参照関係より強い関係であるとして、Ｅ,Ｇの順にランキングする。第三の方法は、第一と第二の組み合せてポイントの計数を行う。「推奨関係」のポイントを「参照関係」の例えば５倍に設定して計数してランキングする方法である。
【０２１７】
次に、文書ＵＩ手段１１１は、メタデータ管理手段１２１から転送されたキーワードボタンＫｉを表示する。
この表示には、キーワードボタンＫｉを文書で表示されている単語等と一致させて表示する第一の方法と、表示装置の表示画面（例えば、アプリケーションウィンドウやデスクトップ等）の下端領域や右端領域に並べて表示するものがある。この第二の方法で、デスクトップに複数のウィンドウを表示する場合には、アクティブなウィンドウに表示されている文書のキーワードボタンを表示するようにする。
【０２１８】
上記のように表示されたキーワードボタンＫｉに対して、複合検索手段１４１を用いて参照文書を表示するには、図３９のフローチャートに基づいて処理される。
この場合には、文書ＵＩ手段１１１は、キーワードボタンＫｉのうち選択されたボタンＫ３に付加された単語等ｄ３と検索対象文書リストＳＬ３を複合検索手段１４１へ転送して、検索結果を取得して表示装置へ表示する。
ユーザはこの検索結果から所望の文書Ｄ４を選択し、文書ＵＩ手段１１１が所望の文書Ｄ４の文書ＩＤを文書管理手段１３２あるいはＷｅｂコンテンツ４１０に転送し、文書Ｄ４の内容を取得して表示する。
【０２１９】
また、フィルタリング手段１５１を用いて参照文書を表示するには、図４０のフローチャートに基づいて処理される。
この場合には、文書ＵＩ手段１１１は、キーワードボタンＫｉのうち選択されたボタンＫ３に付加された単語等ｄ３をサーチエンジン手段１３１、３１０へ転送し、サーチエンジン手段１３１、３１０が検索結果をフィルタリング手段１５１へ転送する。
また、文書ＵＩ手段１１１は、選択されたボタンＫ３に対する検索対象文書リストＳＬ３をフィルタリング手段１５１へ転送する。
フィルタリング手段１５１は、文書ＵＩ手段１１１から転送された検索対象文書リストＳＬ３を基に、サーチエンジン手段１３１、３１０から転送された検索結果をフィルタリングし、その結果を文書ＵＩ手段１１１へ転送する。
文書ＵＩ手段１１１では、フィルタリング手段１５１から取得たフィルタリング結果を表示装置へ表示する。ユーザはこの検索結果から所望の文書Ｄ４を選択して、文書内容を取得して表示する。
【０２２０】
（Ｇ−２）オンデマンドに個人用プッシュキーワードの生成：
上記（Ｇ−１）は、キーワードボタンをユーザ共有のメタデータから得ていたが、ここでは、ユーザ個人に限定したメタデータから得るようにし、自分が以前に参照した文書を再度閲覧したい場合に有効である。
【０２２１】
この場合には、（Ｇ−１）において、「Ａ.文書Ｄ３のメタデータ」および「Ｂ.文書Ｄ３の単語等ｄｉまたはキーワードボタンに表示されている単語等ｄｉのメタデータ」の代わりにユーザＰｉのメタデータである「ａ．ユーザＰｉによる文書Ｄｉのメタデータ」および「ｂ．ユーザＰｉによる文書Ｄｉの単語等ｄｉまたはキーワードボタンに表示されている単語等ｄｉのメタデータ」を利用する。また、これらのメタデータから特定される文書を「Ｅ.閲覧文書Ｄ３の単語等ｄｉまたは閲覧文書Ｄ３のキーワードボタンＫｉに表示されている単語等ｄｉから推奨関係にある文書」、「Ｇ.閲覧文書Ｄ３の単語等ｄｉまたは閲覧文書Ｄ３のキーワードボタンＫｉに表示されている単語等ｄｉから参照関係にある文書」の代わりに、「ｅ.ユーザＰｉによる閲覧文書Ｄ３の単語等ｄｉまたは閲覧文書Ｄ３のキーワードボタンＫｉに表示されている単語等ｄｉから推奨関係にある文書」、「ｇ.ユーザＰｉによる閲覧文書Ｄ３の単語等ｄｉまたは閲覧文書Ｄ３のキーワードボタンＫｉに表示されている単語等ｄｉから参照関係にある文書」に置き換えて処理する。
その他の処理は、上記（Ｇ−１）と同様である。
【０２２２】
（Ｇ−３）予め作成される共用プッシュキーワード：
上記（Ｇ−１）においては、ユーザの指定によりキーワードボタンを生成して表示していた。ここでは、予めユーザからキーワードボタンの要求がある前のタイミングで、全ての文書について全てのキーワードボタンを生成しておく。
この後で、ユーザが文書Ｄ３の閲覧要求を出すと、文書ＵＩ手段１１１は、文書管理手段１３２あるいはＷｅｂコンテンツ４１０から文書Ｄ３を取得するように要求を出すとともに、文書Ｄ３に関するキーワードボタンを転送するようにメタデータ管理手段１２１に予め要求する。文書ＵＩ手段１１１は、転送された閲覧文書Ｄ３の内容を表示するとともに、メタデータ管理手段１２１から転送されたキーワードボタンを閲覧文書Ｄ３の近傍に表示する。
【０２２３】
図４１のフローチャートを用いて、メタデータ管理手段１２１で共用プッシュキーワードを予めすべて生成する処理について説明する。
【０２２４】
文書の個数カウンタｊを１とする（ステップＳ１）。メタデータＤＢ１２２に記録された文書の数をｍ個とする。
メタデータＤＢ１２２に記録されたすべての文書が処理された場合（ステップＳ２／ＹＥＳ）、処理を終了する。
一方、まだ処理されていない文書がある場合（ステップＳ２／ＮＯ）、メタデータＤＢ１２２から文書ＤｊのＩＤを取得する（ステップＳ３）。
【０２２５】
文書Ｄｊの単語等の個数のカウンタｉを１に設定する（ステップＳ４）。ここで、単語の個数をｎとする。
文書Ｄｊのすべての単語等を処理した場合（ステップＳ５／ＹＥＳ）、文書カウンタｊを１つ進めて（ステップＳ１３）、ステップＳ２へ戻る。
【０２２６】
メタデータＤＢ１２２を参照して、文書Ｄｊのメタデータから単語等ｄｉのＩＤを取得し（ステップＳ６）、「Ｂ．文書Ｄｊの単語等ｄｉまたはキーワードボタンに表示されている単語等ｄｉ」のメタデータから文書（「Ｅ．閲覧文書Ｄｊの単語等ｄｉまたは閲覧文書ＤｊのキーワードボタンＫｉに表示されている単語等ｄｉから推奨関係にある文書」あるいは「Ｇ．閲覧文書Ｄｊの単語等ｄｉまたは閲覧文書ＤｊのキーワードボタンＫｉに表示されている単語等ｄｉから参照関係にある文書」）の中から任意のまたは全ての文書の文書ＩＤを取得する（ステップＳ７）。
取得した文書ＩＤから検索対象文書リストＳＬｉを生成する（ステップＳ８）。
単語等ｄｉに複合検索手段またはサーチエンジン手段に転送し検索を行うようにリンクを付加したキーワードボタンＫｉを生成し（ステップＳ９）、キーワードボタンＫｉに単語等ｄｉを検索キーワードとして付加し（ステップＳ１０）、キーワードボタンＫｉに検索対象文書リストＳＬｉを付加する（ステップＳ１１）。
単語等のカウンタｉを１つ進めて（ステップＳ１２）、ステップＳ５へ戻る。
【０２２７】
上記の説明では、すべての文書Ｄｊについて処理していたが、任意の文書Ｄｊについてのみ処理するとしてもよい。また、文書Ｄｊのすべての単語等ｄｉについて処理するようにしていたが、任意の単語等ｄｉのみ処理するようにしてもよい。
【０２２８】
また、個々の文書について、上記のようにして得られたキーワードボタンＫｉが多数ある場合にはランキングを行う。これは、参照（検索）に用いられた回数を計数し、推奨関係の重み付けを参照関係よりも重い重み付け（例えば、「推奨関係」の重み付けを「参照関係」の５倍に設定）とし、計数した回数との積をポイントとしてランキングをつける。
キーワードボタンＫｉの表示は、このポイントに対応した露出度で表示するようにする。ここで「露出度」とは、目に付く確率のことで表示される確率が高く、表示順が上位であるほど露出度が高くなる。
【０２２９】
上記のように表示されたキーワードボタンＫｉに対して、複合検索手段を用いて参照文書を表示するには、図４２のフローチャートに基づいて処理される。
この場合には、文書ＵＩ手段１１１は、ユーザから指定された閲覧文書Ｄ３の内容を文書管理手段１３２あるいはＷｅｂコンテンツ４１０から取得し、表示装置へ表示させる。
次に、文書ＵＩ手段１１１は、閲覧文書Ｄ３のキーワードボタンＫｉの情報をメタデータ管理手段１２１に要求し、転送されてきたキーワードボタンＫｉを閲覧文書Ｄ３の近傍等へ表示する。表示されたキーワードボタンＫｉのうち選択されたボタンＫ３に付加された単語等ｄ３と検索対象文書リストＳＬ３を複合検索手段１４１へ転送して、検索結果を取得して表示装置へ表示する。ユーザはこの検索結果から所望の文書Ｄ４を選択し、文書管理手段１３２あるいはＷｅｂコンテンツ４１０から文書Ｄ４の内容を取得して表示する。
【０２３０】
また、フィルタリング手段を用いて参照文書を表示するには、図４３のフローチャートに基づいて処理される。
この場合には、文書ＵＩ手段１１１は、ユーザから指定された閲覧文書Ｄ３の内容を文書管理手段１３２あるいはＷｅｂコンテンツ４１０から取得し、表示装置へ表示させる。
次に、文書ＵＩ手段１１１は、閲覧文書Ｄ３のキーワードボタンＫｉの情報をメタデータ管理手段１２１に要求し、転送されてきたキーワードボタンＫｉを閲覧文書Ｄ３の近傍等へ表示する。
次に、文書ＵＩ手段１１１は、ユーザから表示されたキーワードボタンＫｉのうち選択されたボタンＫ３に付加された単語等ｄ３をサーチエンジン手段１３１、３１０へ転送し、サーチエンジン手段１３１、３１０が検索結果をフィルタリング手段１５１へ転送する。
また、文書ＵＩ手段１１１は、選択されたボタンＫ３に対する検索対象文書リストＳＬ３をフィルタリング手段１５１へ転送する。
フィルタリング手段１５１は、文書ＵＩ手段１１１から転送された検索対象文書リストＳＬ３を基に、サーチエンジン手段１３１、３１０から転送された検索結果をフィルタリングし、その結果を文書ＵＩ手段１１１へ転送する。
文書ＵＩ手段１１１では、フィルタリング手段１５１から取得したフィルタリング結果を表示装置へ表示する。ユーザはこの検索結果から所望の文書Ｄ４を選択し、文書管理手段１３２あるいはＷｅｂコンテンツ４１０から文書Ｄ４の内容を取得して表示する。
【０２３１】
（Ｇ−４）予め作成される個人用プッシュキーワード：
上記（Ｇ−３）は、キーワードボタンをユーザ共用のメタデータから得ていたが、ここでは、ユーザ個人に限定したメタデータから得るようにし、自分が以前に参照した文書を再度閲覧したい場合に有効である。
【０２３２】
この場合には、（Ｇ−３）において、「Ａ.文書Ｄ３のメタデータ」および「Ｂ.文書Ｄ３の単語等ｄｉまたはキーワードボタンに表示されている単語等ｄｉのメタデータ」の代わりにユーザＰｉのメタデータである「ａ．ユーザＰｉによる文書Ｄｉのメタデータ」および「ｂ．ユーザＰｉによる文書Ｄｉの単語等ｄｉまたはキーワードボタンに表示されている単語等ｄｉのメタデータ」を利用する。また、これらのメタデータから特定される文書を「Ｅ.閲覧文書Ｄ３の単語等ｄｉまたは閲覧文書Ｄ３のキーワードボタンＫｉに表示されている単語等ｄｉから推奨関係にある文書」、「Ｇ.閲覧文書Ｄ３の単語等ｄｉまたは閲覧文書Ｄ３のキーワードボタンＫｉに表示されている単語等ｄｉから参照関係にある文書」の代わりに、「ｅ.ユーザＰｉによる閲覧文書Ｄ３の単語等ｄｉまたは閲覧文書Ｄ３のキーワードボタンＫｉに表示されている単語等ｄｉから推奨関係にある文書」、「ｇ.ユーザＰｉによる閲覧文書Ｄ３の単語等ｄｉまたは閲覧文書Ｄ３のキーワードボタンＫｉに表示されている単語等ｄｉから参照関係にある文書」に置き換えて処理する。
その他の処理は、上記（Ｇ−３）と同様である。
【０２３３】
上記で説明した（Ｄ）の「閲覧文書Ｄ１に関連文書リストＬ１を付加する方法」、（Ｅ）の「リファレンスボタンＢ１を付加する方法」、（Ｆ）「閲覧文書Ｄ１の単語等ｄ１を選択する方法」、（Ｇ）「文書Ｄ１のキーワードボタンＫ１を付加する方法」は、１つ以上の方法を任意に組み合わせて構成してもよい。
【０２３４】
例えば、図４４に例示したように、閲覧文書Ｄ１を表示すると、関連文書リストＬ１（お薦め情報）、キーワードボタンＫ１が表示される。
さらに、閲覧文書Ｄ１の単語等「図書館情報管理システム」を指定すると、管理文書検索のサービスメニューが表示され、その中から「Ｗｅｂ検索」を選択すると、検索対象メニューが表示される。
ユーザは、この検索対象メニューから「文書→共通リファレンス」を選択することによって、参照文書が検索される。
【０２３５】
（Ｈ）閲覧文書に広告コンテンツを付加：
上記では、閲覧文書に対して、いかに効率よく参照文書を指定するかについて説明してきた。ここでは、閲覧文書に対する関連文書リストを提供するときに、この関連文書に対応する広告コンテンツを提供するものである。
【０２３６】
本実施形態における情報提供システムの一般的構成は、必須要素として文書ＵＩ手段とメタデータ管理手段と広告コンテンツ管理手段、付随する要素として文書管理手段とサーチエンジン手段とＷｅｂコンテンツ等で構成される。ここで、広告コンテンツ管理手段以外の各手段やデータベースについては既述の機能を有するものであり、説明を省略する。
このシステム構成は、大きく分けて二つの構成方法がある。
【０２３７】
第一の構成方法は、図４５に例示したように、メタデータ管理サーバ１２０と広告管理サーバ３２０をＡＳＰサイト５００におく構成である。
この構成により、ＡＳＰサイト５００では、ユーザがインターネット２００上で閲覧したページ、参照したページ、推奨したページ、検索に用いたキーワードを取得管理するサービスを行い、それらのコンテクストを基に、従来の検索型広告サービスよりも質の高い広告、ＣＴＲ(クリック率：Click Through Rate)の高い広告サービスを提供することができる。
【０２３８】
第二の構成方法は、図４６に例示したように、メタデータ管理サーバ１２０と広告管理サーバ３２０をＷｅｂ検索サイト３００におく構成である。
この構成により、Ｗｅｂ検索サイト３００では、ユーザがインターネット２００上で閲覧したページ、参照したページ、推奨したページ、検索に用いたキーワードを取得管理するサービスを行い、それらのコンテクストを基に、従来の検索型広告サービスよりも質の高い広告、ＣＴＲ(クリック率：Click Through Rate)の高い広告サービスを提供することができる。
【０２３９】
図４５および図４６において、サーチエンジン手段の代わりに、複合検索手段を用いて構成してもよいし、サーチエンジン手段とフィルタリング手段とによって構成するようにしてもよい。
ここで、広告管理サーバ以外の各サーバ（および各手段）やデータベースについては既述の機能を有するものであり、説明を省略する。
広告管理サーバ３２０は、広告コンテンツを保持する広告コンテンツＤＢ３２２とその広告コンテンツＤＢ３２２を維持管理する広告コンテンツ管理手段３２１とから構成される。
【０２４０】
上述の２つの構成において、関連文書リストＬ３に対応した広告コンテンツを閲覧文書Ｄ３に付加する処理について、図４７のフローチャートを用いて説明する。
文書ＵＩ手段１１１は、文書管理サーバ１３０やＷｅｂサイト４００から所望の文書Ｄ３を取得して、表示装置へ表示する。
文書ＵＩ手段１１１は、所望の文書Ｄ３の要求と同時にメタデータ管理手段１２１に文書Ｄ３に関連する文書リストＬ３の転送を要求する。
メタデータ管理手段１２１は、文書ＵＩ手段１１１から閲覧文書Ｄ３の関連文書リストＬ３要求を受け取ると、文書Ｄ３のメタデータから文書Ｄ３の関連文書リストＬ３（共有関連文書リストＬａ３または自己関連文書リストＬｂ３）を生成または更新し、広告コンテンツ管理手段３２１に転送する。
広告コンテンツ管理手段３２１は、メタデータ管理手段１２１から転送された関連文書リストＬ３（共有関連文書リストＬａ３または自己関連文書リストＬｂ３）に対応した広告コンテンツを広告コンテンツＤＢ３２２から選択し、関連文書リストＬ３に付加して文書ＵＩ手段１１１に転送する。
文書ＵＩ手段１１１は、広告コンテンツ管理手段３２１から転送された関連文書リストＬ３と広告コンテンツを表示する。
【０２４１】
また、広告コンテンツは、キーワードボタンＫｉに対応させて閲覧文書Ｄ３に付加するようにしてもよい。この場合のシステム構成は、大きく分けて二つの構成方法がある。
第一の構成方法は、図４８に例示したように、メタデータ管理サーバ１２０、コンテクスト文書管理サーバ１４０と広告管理サーバ３２０をＡＳＰサイト５００におく構成である。
この構成により、ＡＳＰサイト５００では、ユーザがインターネット２００上で閲覧したページ、参照したページ、推奨したページ、検索に用いたキーワードを取得管理するサービスを行い、それらのコンテクストを基にユーザの関心に対応した広告やページに関連した広告を提供することができる。
【０２４２】
第二の構成方法は、図４９に例示したように、メタデータ管理サーバ１２０、コンテクスト文書管理サーバ１４０と広告管理サーバ３２０をＷｅｂ検索サイト３００におく構成である。
この構成により、Ｗｅｂ検索サイト３００では、メタデータ管理サーバ１２０を備えるようにして、ユーザがインターネット２００上で閲覧したページ、参照したページ、推奨したページ、検索に用いたキーワードを取得管理するサービスを行い、それらのコンテクストを基にユーザの関心に対応した広告やページに関連した広告を提供することができる。
【０２４３】
図４８および図４９において、コンテクスト文書管理サーバ１４０の代わりに、サーチエンジン手段とフィルタリング手段とによって構成するようにしてもよい。
ここで、各サーバ（および各手段）やデータベースについては既述の機能を有するものであり、説明を省略する。
【０２４４】
上述の２つの構成において、キーワードボタンＫｉに対応した広告コンテンツを閲覧文書Ｄ３に付加する処理について、図５０のフローチャートを用いて説明する。
文書ＵＩ手段１１１は、ユーザが閲覧を指示した文書Ｄ３を文書管理手段１３２あるいはＷｅｂコンテンツ４１０から取得して、表示装置に表示する。次に、ユーザが閲覧文書Ｄ３のキーワードボタンＫｉの取得要求をメタデータ管理手段１２１へ転送する。
メタデータ管理手段１２１は、文書ＵＩ手段１１１からキーワードボタンＫｉの要求を受け取ると、閲覧文書Ｄ３のＩＤを取得して、この文書ＩＤに合致する閲覧文書Ｄ３のメタデータから単語等ｄｉを取得する。さらに、この単語等ｄｉのメタデータから検索対象文書リストＳＬｉを作成してキーワードボタンＫｉを生成し、このキーワードボタンＫｉを広告コンテンツ管理手段３２１に転送する。
広告コンテンツ管理手段３２１は、メタデータ管理手段１２１から転送されたキーワードボタンＫｉに対応した広告コンテンツを広告コンテンツＤＢ３２２から選択し、キーワードボタンＫｉに付加して文書ＵＩ手段１１１に転送する。
文書ＵＩ手段１１１は、広告コンテンツ管理手段３２１から転送されたキーワードボタンＫｉおよび広告コンテンツを表示する。
【０２４５】
以上のように、上述した本発明の実施形態によれば、閲覧文書中の単語等をキーワードとして検索を行うので、閲覧文書が参照元文書であることが保証される。さらに、絞込みのために追加される補助キーワードも閲覧文書から自動的に抽出されるので、絞込み検索が必要な場合でも閲覧文書が参照元文書であることが保証される。
この保証の基に、情報検索システムを利用する不特定多数のユーザやユーザ自身が過去に参照した文書の閲覧ログを分析して、参照関係や推奨（より有効な参照）関係の活用により、閲覧文書に対する参照文書を適切に提供できる。
さらに、閲覧文書の類似文書の閲覧ログを活用により、少ない閲覧ログでも参照文書を適切に提供することができる。
【０２４６】
なお、本発明は、上述した実施形態のみに限定されたものではない。上述した実施形態を構成する各機能をそれぞれプログラム化して、予め記録媒体に書き込んでおき、この記録媒体に記録されたこれらのプログラムをコンピュータに備えられたメモリあるいは記憶装置に格納し、そのプログラムを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【０２４７】
また、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【０２４８】
また、本発明は、以下のようにして実施することもできる。
第１の実施態様は、Ｗｅｂコンテンツや文書管理装置で管理された文書を閲覧するときの入力や表示やコンテクストの取得を行う文書ユーザインタフェース装置（以下、文書ＵＩ装置という）と、前記文書ＵＩ装置で閲覧中の文書（閲覧文書）と、参照された文書（参照文書）との参照関係を示すコンテクストの記録と読み出しを行うメタデータ管理装置と、を備え、前記文書ＵＩ装置は、閲覧文書中の単語等をキーワードとして、Ｗｅｂコンテンツや文書管理装置で管理された文書の検索をサーチエンジン装置に行わせ、返信された検索結果の中から選択され、表示された参照文書を基に、「閲覧文書と参照文書との参照関係」、または、「検索時に指示した単語等と参照文書の参照関係」をコンテクストとして前記メタデータ管理装置に転送し、前記メタデータ管理装置は、前記コンテクストを基に、「閲覧文書と参照文書との参照関係」、または、「検索時に指示した単語等と参照文書の参照関係」、または両方の参照関係を整理加工して再利用可能なメタデータとして記録することを特徴とする情報提供システムである。
【０２４９】
第２の実施態様は、Ｗｅｂコンテンツや文書管理装置で管理された文書を閲覧するときの入力や表示やコンテンツの取得を行う文書ユーザインタフェース装置（以下、文書ＵＩ装置という）と、前記文書ＵＩ装置で閲覧中の文書（閲覧文書）と、参照された文書（参照文書）との参照関係を示すコンテクストの記録と読み出しを行うメタデータ管理装置と、を備え、前記文書ＵＩ装置は、閲覧文書中の単語等をキーワードとして、Ｗｅｂコンテンツや文書管理装置で管理された文書の検索をサーチエンジン装置に行わせ、返信された検索結果のうち、選択され、表示された参照文書が推奨関係と評価された場合、「閲覧文書と参照文書との推奨関係」、または、「検索時に指示した単語等と参照文書の推奨関係」をコンテクストとして前記メタデータ管理装置に転送し、前記メタデータ管理装置は、前記コンテクストを基に、「閲覧文書と参照文書との推奨関係」、または、「検索時に指示した単語等と参照文書の推奨関係」、または両方の参照関係を整理加工して再利用可能なメタデータとして記録することを特徴とする情報提供システムである。
【０２５０】
第３の実施態様は、Ｗｅｂコンテンツや文書管理装置で管理された文書を閲覧するときの入力や表示やコンテクストの取得を行う文書ユーザインタフェース装置（以下、文書ＵＩ装置という）と、前記文書ＵＩ装置で表示された閲覧文書と、該閲覧文書を閲覧中に選択された文書（参照文書）との参照関係を示すコンテクストの記録と読み出しを行うメタデータ管理装置と、を備え、前記文書ＵＩ装置は、閲覧文書に付加された関連文書リストの中から選択されて、表示された参照文書を基に、「閲覧文書と参照文書との参照関係」をコンテクストとして前記メタデータ管理装置に転送し、前記メタデータ管理装置は、前記コンテクストを基に「閲覧文書と参照文書との参照関係」を整理加工して再利用可能なメタデータとして記録することを特徴とする情報提供システムである。
【０２５１】
第４の実施態様は、Ｗｅｂコンテンツや文書管理装置で管理された文書を閲覧するときの入力や表示やコンテクストの取得を行う文書ユーザインタフェース装置（以下、文書ＵＩ装置という）と、前記文書ＵＩ装置で表示された閲覧文書と、該閲覧文書を閲覧中に選択された文書（参照文書）との参照関係を示すコンテクストの記録と読み出しを行うメタデータ管理装置と、を備え、前記文書ＵＩ装置は、閲覧文書に付加された関連文書リストの中から選択されて、表示された参照文書が推奨関係と評価された場合、「閲覧文書と参照文書との推奨関係」をコンテクストとして前記メタデータ管理装置に転送し、前記メタデータ管理装置は、前記コンテクストを基に「閲覧文書と参照文書との推奨関係」を整理加工して再利用可能なメタデータとして記録することを特徴とする情報提供システムである。
【０２５２】
第５の実施態様は、Ｗｅｂコンテンツや文書管理装置で管理された文書を閲覧するときの入力や表示やコンテンツの取得を行う文書ユーザインタフェース装置（以下、文書ＵＩ装置という）と、前記文書ＵＩ装置で閲覧中の文書（閲覧文書）と、参照された文書（参照文書）との参照関係を示すコンテクストの記録と読み出しを行うメタデータ管理装置と、を備え、前記文書ＵＩ装置は、閲覧文書に付加されたキーワードボタンが選択されると、該キーワードボタンに表示されている単語等をキーワードとして、Ｗｅｂコンテンツや文書管理手段で管理された文書の検索をサーチエンジン手段に行わせ、返信された検索結果から選択され、表示された参照文書を基に、「閲覧文書と参照文書との参照関係」、または、「検索時に指示した単語等と参照文書の参照関係」をコンテクストとしてメタデータ管理装置に転送し、前記メタデータ管理装置は、前記コンテクストを基に、「閲覧文書と参照文書との参照関係」、または、「検索時に指示した単語等と参照文書の参照関係」、または両方の参照関係を整理加工して再利用可能なメタデータとして記録することを特徴とする情報提供システムである。
【０２５３】
第６の実施態様は、Ｗｅｂコンテンツや文書管理装置で管理された文書を閲覧するときの入力や表示やコンテンツの取得を行う文書ユーザインタフェース装置（以下、文書ＵＩ装置という）と、前記文書ＵＩ装置で閲覧中の文書（閲覧文書）と、参照された文書（参照文書）との参照関係を示すコンテクストの記録と読み出しを行うメタデータ管理装置と、を備え、前記文書ＵＩ装置は、閲覧文書に付加されたキーワードボタンが選択されると、該キーワードボタンに表示されている単語等をキーワードとして、Ｗｅｂコンテンツや文書管理装置で管理された文書の検索をサーチエンジン装置に行わせ、返信された検索結果の中から選択され、表示された参照文書が推奨関係と評価された場合、「閲覧文書と参照文書との推奨関係」、または、「検索時に指示した単語等と参照文書の推奨関係」をコンテクストとして前記メタデータ管理装置に転送し、前記メタデータ管理装置は、前記コンテクストを基に「閲覧文書と参照文書との推奨関係」、または、「検索時に指示した単語等と参照文書の推奨関係」、または両方の参照関係を整理加工して再利用可能なメタデータとして記録することを特徴とする情報提供システムである。
【０２５４】
第７の実施態様は、第１乃至６のいずれかに記載の情報提供システムにおいて、前記文書ＵＩ装置は、コンテクストとともにユーザＩＤを前記メタデータ管理装置に転送し、前記メタデータ管理装置は、前記コンテクストを基に参照関係を整理加工して、ユーザが識別可能なメタデータとして記録することを特徴とする情報提供システムである。
【０２５５】
第８の実施態様は、第１乃至７のいずれかに記載の情報提供システムにおいて、前記メタデータ管理装置は、前記文書ＵＩ装置から転送されたコンテクストから、ユーザＩＤ、閲覧文書、単語等、キーワードボタン、キーワードボタンに表示されている単語等、参照文書、推奨関係にある参照文書（推奨文書）の情報から選択された情報を、「閲覧文書のメタデータ」あるいは必要に応じて「参照文書／推奨文書のメタデータ」として記録することを特徴とする情報提供システムである。
【０２５６】
第９の実施態様は、第１乃至７のいずれかに記載の情報提供システムにおいて、前記メタデータ管理装置は、前記文書ＵＩ装置から転送されたコンテクストから、ユーザＩＤ、閲覧文書、単語等、キーワードボタン、キーワードボタンに表示されている単語等、参照文書、推奨関係にある参照文書（推奨文書）の情報から選択された情報を、「文書の単語等またはキーワードボタンに表示されている単語等のメタデータ」、または、「文書に共通な単語等のメタデータ」、あるいは、必要に応じて、「参照文書／推奨文書のメタデータ」として記録することを特徴とする情報提供システムである。
【０２５７】
第１０の実施態様は、第１乃至７のいずれかに記載の情報提供システムにおいて、前記メタデータ管理装置は、前記文書ＵＩ装置から転送されたコンテクストから、ユーザＩＤ、閲覧文書、単語等、キーワードボタン、キーワードボタンに表示されている単語等、参照文書、推奨関係にある参照文書（推奨文書）の情報から選択された情報を、「閲覧文書の文書フォルダのメタデータ」、あるいは、必要に応じて「参照文書／推奨文書のメタデータ」として記録することを特徴とする情報提供システムである。
【０２５８】
第１１の実施態様は、第１乃至７のいずれかに記載の情報提供システムにおいて、前記メタデータ管理装置は、前記文書ＵＩ装置から転送されたコンテクストから、ユーザＩＤ、閲覧文書、単語等、キーワードボタン、キーワードボタンに表示されている単語等、参照文書、推奨関係にある参照文書（推奨文書）の情報から選択された情報を、「閲覧文書の文書フォルダのメタデータ」および「参照文書／推奨文書の文書フォルダのメタデータ」として記録することを特徴とする情報提供システムである。
【０２５９】
第１２の実施態様は、第１乃至７のいずれかに記載の情報提供システムにおいて、前記メタデータ管理装置は、前記文書ＵＩ装置から転送されたコンテクストから、ユーザＩＤ、閲覧文書、単語等、キーワードボタン、キーワードボタンに表示されている単語等、参照文書、推奨関係にある参照文書（推奨文書）の情報から選択された情報を、「閲覧文書のメタデータ」、「参照文書／推奨文書のメタデータ」、「閲覧文書の単語等または閲覧文書のキーワードボタンに表示されている単語等のメタデータ」、「文書に共通な単語等のメタデータ」、「閲覧文書の文書フォルダのメタデータ」、あるいは、「参照文書／推奨文書の文書フォルダのメタデータ」の任意の組み合わせとして記録することを特徴とする情報提供システムである。
【０２６０】
第１３の実施態様は、第１乃至７のいずれかに記載の情報提供システムにおいて、前記メタデータ管理装置は、前記文書ＵＩ装置から転送されたコンテクストから、ユーザＩＤ、閲覧文書、単語等、キーワードボタン、キーワードボタンに表示されている単語等、参照文書、推奨関係にある参照文書（推奨文書）の情報から選択された情報を、「統合コンテクストメタデータ」として記録することを特徴とする情報提供システムである。
【０２６１】
第１４の実施態様は、第１乃至１３のいずれかに記載の情報提供システムにおいて、前記文書ＵＩ装置は、閲覧文書の関連文書リストを前記メタデータ管理装置から取得して該閲覧文書に付加して表示し、該関連文書リストから所望の文書を選択して表示させ、前記メタデータ管理装置は、前記文書ＵＩ装置から閲覧文書の関連文書リストの転送要求があると、「閲覧文書のメタデータ」または「統合コンテクストメタデータ」から、「閲覧文書から方向性のある推奨関係にある文書」、「閲覧文書と推奨関係にある文書」、「閲覧文書から方向性のある参照関係にある文書」、あるいは、「閲覧文書と参照関係にある文書」の任意のまたは全ての文書概要情報または文書ＩＤを取得し、取得した文書の情報から閲覧文書の関連文書リストを生成または更新するとともに、該閲覧文書の関連文書リストを前記文書ＵＩ装置に転送することを特徴とする情報提供システムである。
【０２６２】
第１５の実施態様は、第１乃至１３のいずれかに記載の情報提供システムにおいて、前記文書ＵＩ装置は、閲覧文書のユーザによる関連文書リストを前記メタデータ管理装置から取得して該閲覧文書に付加して表示し、該関連文書リストから所望の文書を選択して表示させ、前記メタデータ管理装置は、前記文書ＵＩ装置から閲覧文書のユーザによる関連文書リストの転送要求があると、「閲覧文書のメタデータ」または「統合コンテクストメタデータ」から、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、あるいは、「前記ユーザによる閲覧文書と参照関係にある文書」の任意のまたは全ての文書概要情報または文書ＩＤを取得し、取得した文書の情報から閲覧文書の関連文書リストを生成または更新するとともに、該閲覧文書の関連文書リストを前記文書ＵＩ装置に転送することを特徴とする情報提供システムである。
【０２６３】
第１６の実施態様は、第１乃至１３のいずれかに記載の情報提供システムにおいて、前記文書ＵＩ装置は、閲覧文書の関連文書リストを前記メタデータ管理装置から取得して該閲覧文書に付加して表示し、該関連文書リストから所望の文書を選択して表示させ、前記メタデータ管理装置は、前記文書ＵＩ装置から閲覧文書の関連文書リストの転送要求があると、「閲覧文書の文書フォルダのメタデータ」または「統合コンテクストメタデータ」から、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書概要情報または文書ＩＤを取得し、取得した文書の情報から閲覧文書の関連文書リストを生成または更新するとともに、該文書の関連文書リストを前記文書ＵＩ装置に転送することを特徴とする情報提供システムである。
【０２６４】
第１７の実施態様は、第１乃至１３のいずれかに記載の情報提供システムにおいて、前記文書ＵＩ装置は、閲覧文書のユーザによる関連文書リストを前記メタデータ管理装置から取得して該閲覧文書に付加して表示し、該関連文書リストから所望の文書を選択して表示させ、前記メタデータ管理装置は、前記文書ＵＩ装置から閲覧文書のユーザによる関連文書リストの転送要求があると、「閲覧文書の文書フォルダのメタデータ」または「統合コンテクストメタデータ」から、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書概要情報または文書ＩＤを取得し、取得した文書の情報から閲覧文書の関連文書リストを生成または更新するとともに、該閲覧文書の関連文書リストを前記文書ＵＩ装置に転送することを特徴とする情報提供システムである。
【０２６５】
第１８の実施態様は、第１４乃至１７のいずれかに記載の情報提供システムにおいて、前記文書ＵＩ装置は、閲覧文書に付加したリファレンスボタンが選択されると、該閲覧文書の関連文書リストを表示して所望の文書を選択させて表示することを特徴とする情報提供システムである。
【０２６６】
第１９の実施態様は、第１乃至１３のいずれかに記載の情報提供システムにおいて、前記文書ＵＩ装置は、前記メタデータ管理装置から閲覧文書のリファレンスボタンと関連文書リストを取得し、「共有リファレンスボタン」と「自己リファレンスボタン」のいずれかのリファレンスボタンが選択されると、「共有リファレンスボタン」が選択された場合には共有関連文書リストを、あるいは、「自己リファレンスボタン」が選択された場合には自己関連文書リストを表示し、表示された共有関連文書リストまたは自己関連文書リストから所望の文書を選択させ、前記メタデータ管理装置は、前記文書ＵＩ装置から閲覧文書のリファレンスボタンと関連文書リストの転送要求があると、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書概要情報または文書ＩＤを取得し、取得した文書の情報から閲覧文書の共有関連文書リストを生成または更新し、さらに、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、「前記ユーザによる閲覧文書と参照関係にある文書」、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書概要情報または文書ＩＤを取得し、取得した文書の情報から閲覧文書の自己関連文書リストを生成または更新し、「共有関連文書リスト」と「自己関連文書リスト」を前記文書ＵＩ装置に転送することを特徴とする情報提供システムである。
【０２６７】
第２０の実施態様は、第１乃至１３のいずれかに記載の情報提供システムにおいて、単語等と前記メタデータ管理装置から転送された文書ＩＤにより検索を行って、検索結果を前記文書ＵＩ装置へ返信する複合検索装置を備え、前記文書ＵＩ装置は、閲覧文書の単語等が選択されて、「共有リファレンス検索」が選択されると、閲覧文書ＩＤと「共有リファレンス検索ＩＤ」と単語等を前記メタデータ管理装置に転送し、前記メタデータ管理装置は、前記文書ＵＩ装置から閲覧文書ＩＤと「共有リファレンス検索ＩＤ」と単語等が転送されると、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書ＩＤを取得し、取得した文書ＩＤと単語等を前記複合検索装置に転送することを特徴とする情報提供システムである。
【０２６８】
第２１の実施態様は、第１乃至１３のいずれかに記載の情報提供システムにおいて、単語等と前記メタデータ管理装置から転送された文書ＩＤにより検索を行って、検索結果を前記文書ＵＩ装置へ返信する複合検索装置を備え、前記文書ＵＩ装置は、閲覧文書の単語等が選択され、「自己リファレンス検索」が選択されると、ユーザＩＤと閲覧文書ＩＤと「自己リファレンス検索ＩＤ」と単語等を前記メタデータ管理装置に転送し、前記メタデータ管理装置は、前記文書ＵＩ装置からユーザＩＤと閲覧文書ＩＤと「自己リファレンス検索ＩＤ」と単語等が転送されると、「閲覧文書のメタデータ」、「閲覧文書の文書フォルダのメタデータ」または「統合コンテクストメタデータ」から、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、「閲覧文書と参照関係にある文書」、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書ＩＤを取得し、取得した文書ＩＤと単語等を前記複合検索装置に転送することを特徴とする情報提供システムである。
【０２６９】
第２２の実施態様は、第１乃至１３のいずれかに記載の情報提供システムにおいて、単語等と前記メタデータ管理装置から転送された文書ＩＤにより検索を行って、検索結果を前記文書ＵＩ装置へ返信する複合検索装置を備え、前記文書ＵＩ装置は、閲覧文書の単語等が選択され、「単語等からの共有リファレンス検索」が選択されると、「単語等からの共有リファレンス検索ＩＤ」と単語等を前記メタデータ管理装置に転送し、前記メタデータ管理装置は、前記文書ＵＩ装置から「単語等からの共有リファレンス検索ＩＤ」と単語等が転送されると、「閲覧文書の単語等またはキーワードボタンに表示されている単語等のメタデータ」、「文書に共通な単語等のメタデータ」または「統合コンテクストメタデータ」から、「閲覧文書の単語等または閲覧文書のキーワードボタンに表示されている単語等から推奨関係にある文書」、「単語等(文書に共通)から推奨関係にある文書」、「閲覧文書の単語等または閲覧文書のキーワードボタンに表示されている単語等から参照関係にある文書」、あるいは、「単語等(文書に共通)から参照関係にある文書」の任意のまたは全ての文書ＩＤを取得し、取得した文書ＩＤと単語等を前記複合検索装置に転送することを特徴とする情報提供システムである。
【０２７０】
第２３の実施態様は、第１乃至１３のいずれかに記載の情報提供システムにおいて、単語等と前記メタデータ管理装置から転送された文書ＩＤにより検索を行って、検索結果を前記文書ＵＩ装置へ返信する複合検索装置を備え、前記文書ＵＩ装置は、閲覧文書の単語等が選択され、「単語等からの自己リファレンス検索」が選択されると、ユーザＩＤと閲覧文書ＩＤと「単語等からの自己リファレンス検索ＩＤ」と単語等を前記メタデータ管理装置に転送し、前記メタデータ管理装置は、前記文書ＵＩ装置からユーザＩＤと「単語等からの自己リファレンス検索ＩＤ」と単語等が転送されると、「閲覧文書の単語等またはキーワードボタンに表示されている単語等のメタデータ」、「文書に共通な単語等のメタデータ」または「統合コンテクストメタデータ」から、「前記ユーザによる閲覧文書の単語等または閲覧文書のキーワードボタンに表示されている単語等から推奨関係にある文書」、「前記ユーザによる単語等から推奨関係にある文書、「前記ユーザによる閲覧文書の単語等または閲覧文書のキーワードボタンに表示されている単語等から参照関係にある文書」、あるいは、「前記ユーザによる単語等から参照関係にある文書」の任意のまたは全ての文書ＩＤを取得し、取得した文書ＩＤと単語等を前記複合検索装置に転送することを特徴とする情報提供システムである。
【０２７１】
第２４の実施態様は、第１乃至１３のいずれかに記載の情報提供システムにおいて、単語等と前記メタデータ管理装置から転送された文書ＩＤにより検索を行って、検索結果を前記文書ＵＩ装置へ返信する複合検索装置を備え、前記文書ＵＩ装置は、閲覧文書の単語等が選択され、「共有リファレンス検索」、「単語等からの共有リファレンス検索」、「自己リファレンス検索」、あるいは、「単語等からの自己リファレンス検索」の任意の組み合わせのサービスメニューからサービスが選択されると、選択されたサービスに応じて、サービスの区別と、ユーザＩＤ、閲覧文書ＩＤ、単語等から必要な情報を前記メタデータ管理装置に転送し、前記メタデータ管理装置は、前記文書ＵＩ装置からサービスの区別と、ユーザＩＤ、閲覧文書ＩＤ、単語等のうち該区分に応じた必要な情報が転送されると、「閲覧文書の単語等またはキーワードボタンに表示されている単語等のメタデータ」、「文書に共通な単語等のメタデータ」、または「統合コンテクストメタデータ」から、「閲覧文書の単語等または閲覧文書のキーワードボタンに表示されている単語等から推奨関係にある文書」、「単語等(文書に共通)から推奨関係にある文書」、「閲覧文書の単語等または閲覧文書のキーワードボタンに表示されている単語等から参照関係にある文書」、「単語等(文書に共通)から参照関係にある文書」、「前記ユーザによる閲覧文書の単語等または閲覧文書のキーワードボタンに表示されている単語等から推奨関係にある文書」、「前記ユーザによる単語等から推奨関係にある文書」、「前記ユーザによる閲覧文書の単語等または閲覧文書のキーワードボタンに表示されている単語等から参照関係にある文書」、「前記ユーザによる単語等から参照関係にある文書」の任意のまたは全ての文書ＩＤを取得し、さらに、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、「閲覧文書の文書フォルダの文書と参照関係にある文書」、「ユーザによる閲覧文書から方向性のある推奨関係にある文書」、「ユーザによる閲覧文書と推奨関係にある文書」、「ユーザによる閲覧文書から方向性のある参照関係にある文書」、「ユーザによる閲覧文書と参照関係にある文書」、「ユーザによる閲覧文書の単語等または閲覧文書のキーワードボタンに表示されている単語等から推奨関係にある文書」、「ユーザによる単語等から推奨関係にある文書」、「ユーザによる閲覧文書の単語等または閲覧文書のキーワードボタンに表示されている単語等から参照関係にある文書」、「ユーザによる単語等から参照関係にある文書」の任意のまたは全ての文書ＩＤを取得し、取得した文書ＩＤと単語等を前記複合検索装置に転送することを特徴とする情報提供システムである。
【０２７２】
第２５の実施態様は、第１乃至１３のいずれかに記載の情報提供システムにおいて、閲覧文書中の単語等をキーワードとして、Ｗｅｂコンテンツや文書管理装置で管理された文書を検索した検索結果をサーチエンジン装置から転送を受け、該検索結果を前記メタデータ管理装置から転送された文書ＩＤにより絞り込みを行って、該絞込み結果を前記文書ＵＩ装置へ返信するフィルタリング装置を備え、前記文書ＵＩ装置は、閲覧文書の単語等が選択され、「共有リファレンス検索」が選択されると、選択された単語等をサーチエンジン装置に転送するとともに、閲覧文書ＩＤと「共有リファレンス検索ＩＤ」を前記メタデータ管理装置に転送し、前記フィルタリング装置から絞り込まれた検索結果が転送されると、該検索結果を表示し、前記メタデータ管理装置は、前記文書ＵＩ装置から閲覧文書ＩＤと「共有リファレンス検索ＩＤ」が転送されると、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、あるいは、「閲覧文書の文書フォルダの文書と参照関係にある文書」の任意のまたは全ての文書ＩＤを取得し、取得した文書ＩＤを前記フィルタリング装置に転送し、前記フィルタリング装置は、前記サーチエンジン装置から転送された検索結果の文書ＩＤと前記メタデータ管理装置から転送された文書ＩＤを比較し、一致した文書ＩＤのみの検索結果を前記文書ＵＩ装置に転送することを特徴とする情報提供システムである。
【０２７３】
第２６の実施態様は、第１乃至１３のいずれかに記載の情報提供システムにおいて、閲覧文書中の単語等をキーワードとして、Ｗｅｂコンテンツや文書管理装置で管理された文書を検索した検索結果をサーチエンジン装置から転送を受け、該検索結果を前記メタデータ管理装置から転送された文書ＩＤにより絞り込みを行って、該絞込み結果を前記文書ＵＩ装置へ返信するフィルタリング装置を備え、前記文書ＵＩ装置は、閲覧文書の単語等が選択され、「自己リファレンス検索」が選択されると、選択された単語等を前記サーチエンジン装置に転送するとともに、ユーザＩＤと閲覧文書ＩＤと「自己リファレンス検索ＩＤ」と単語等を前記メタデータ管理装置に転送し、前記フィルタリング装置から検索結果が転送されると、該検索結果を表示し、前記メタデータ管理装置は、前記文書ＵＩ装置からユーザＩＤと閲覧文書ＩＤと「自己リファレンス検索ＩＤ」と単語等が転送されると、「閲覧文書のメタデータ」、「閲覧文書の文書フォルダのメタデータ」または「統合コンテクストメタデータ」から、「前記ユーザによる閲覧文書から方向性のある推奨関係にある文書」、「前記ユーザによる閲覧文書と推奨関係にある文書」、「前記ユーザによる閲覧文書から方向性のある参照関係にある文書」、「前記ユーザによる閲覧文書と参照関係にある文書」、「前記ユーザによる閲覧文書の文書フォルダの文書から方向性のある推奨関係にある文書」、「前記ユーザによる閲覧文書の文書フォルダの文書と推奨関係にある文書」、「前記ユーザによる閲覧文書の文書フォルダの文書から方向性のある参照関係にある文書」、あるいは、「前記ユーザによる閲覧文書の文書フォルダの文書と参照関係にある文書」の任意のまたは全ての文書ＩＤを取得し、取得した文書ＩＤを前記フィルタリング装置に転送し、前記フィルタリング装置は、前記サーチエンジン装置から転送された検索結果の文書ＩＤと前記メタデータ管理装置から転送された文書ＩＤを比較し、一致した文書ＩＤのみの検索結果を前記文書ＵＩ装置に転送することを特徴とする情報提供システムである。
【０２７４】
第２７の実施態様は、第１乃至１３のいずれかに記載の情報提供システムにおいて、閲覧文書中の単語等をキーワードとして、Ｗｅｂコンテンツや文書管理装置で管理された文書を検索した検索結果をサーチエンジン装置から転送を受け、該検索結果を前記メタデータ管理装置から転送された文書ＩＤにより絞り込みを行って、該絞込み結果を前記文書ＵＩ装置へ返信するフィルタリング装置を備え、前記文書ＵＩ装置は、閲覧文書の単語等が選択され、「単語等からの共有リファレンス検索」が選択されると、選択された単語等を前記サーチエンジン装置に転送するとともに、選択された単語等と「単語等からの共有リファレンス検索ＩＤ」を前記メタデータ管理装置に転送し、前記フィルタリング装置から検索結果が転送されると、該検索結果を表示し、前記メタデータ管理装置は、前記文書ＵＩ装置から「単語等からの共有リファレンス検索ＩＤ」と単語等が転送されると、「文書の単語等またはキーワードボタンに表示されている単語等のメタデータ」、「文書に共通な単語等のメタデータ」または「統合コンテクストメタデータ」から、「閲覧文書の単語等または閲覧文書のキーワードボタンに表示されている単語等から推奨関係にある文書」、「単語等(文書に共通)から推奨関係にある文書」、「閲覧文書の単語等または閲覧文書のキーワードボタンに表示されている単語等から参照関係にある文書」、あるいは、「単語等(文書に共通)から参照関係にある文書」の任意のまたは全ての文書ＩＤを取得し、取得した文書ＩＤを前記フィルタリング装置に転送し、前記フィルタリング装置は、前記サーチエンジン装置から転送された検索結果の文書ＩＤと前記メタデータ管理装置から転送された文書ＩＤを比較し、一致した文書ＩＤのみの検索結果を前記文書ＵＩ装置に転送することを特徴とする情報提供システムである。
【０２７５】
第２８の実施態様は、第１乃至１３のいずれかに記載の情報提供システムにおいて、閲覧文書中の単語等をキーワードとして、Ｗｅｂコンテンツや文書管理装置で管理された文書を検索した検索結果をサーチエンジン装置から転送を受け、該検索結果を前記メタデータ管理装置から転送された文書ＩＤにより絞り込みを行って、該絞込み結果を前記文書ＵＩ装置へ返信するフィルタリング装置を備え、前記文書ＵＩ装置は、閲覧文書の単語等が選択され、「単語等からの自己リファレンス検索」が選択されると、選択された単語等を前記サーチエンジン装置に転送するとともに、ユーザＩＤと閲覧文書ＩＤと「単語等からの自己リファレンス検索ＩＤ」と単語等を前記メタデータ管理装置に転送し、前記フィルタリング装置から検索結果が転送されると、該検索結果を表示し、前記メタデータ管理装置は、前記文書ＵＩ装置からユーザＩＤと閲覧文書ＩＤと「単語等からの自己リファレンス検索ＩＤ」と単語等が転送されると、「文書の単語等またはキーワードボタンに表示されている単語等のメタデータ」、「文書に共通な単語等のメタデータ」または「統合コンテクストメタデータ」から、「前記ユーザによる閲覧文書の単語等または閲覧文書のキーワードボタンに表示されている単語等から推奨関係にある文書」、「前記ユーザによる単語等から推奨関係にある文書」、「前記ユーザによる閲覧文書の単語等または閲覧文書のキーワードボタンに表示されている単語等から参照関係にある文書」、あるいは、「前記ユーザによる単語等から参照関係にある文書」の任意のまたは全ての文書ＩＤを取得し、取得した文書ＩＤを前記フィルタリング装置に転送し、前記フィルタリング装置は、前記サーチエンジン装置から転送された検索結果の文書ＩＤと前記メタデータ管理装置から転送された文書ＩＤを比較し、一致した文書ＩＤのみの検索結果を前記文書ＵＩ装置に転送することを特徴とする情報提供システムである。
【０２７６】
第２９の実施態様は、第１乃至１３のいずれかに記載の情報提供システムにおいて、閲覧文書中の単語等をキーワードとして、Ｗｅｂコンテンツや文書管理装置で管理された文書を検索した検索結果をサーチエンジン装置から転送を受け、該検索結果を前記メタデータ管理装置から転送された文書ＩＤにより絞り込みを行って、該絞込み結果を前記文書ＵＩ装置へ返信するフィルタリング装置を備え、前記文書ＵＩ装置は、閲覧文書の単語等が選択され、「共有リファレンス検索」、「単語等からの共有リファレンス検索」、「自己リファレンス検索」、あるいは、「単語等からの自己リファレンス検索」の任意の組み合わせのサービスメニューからサービスが選択されると、選択されたサービスに応じて、サービスの区別、ユーザＩＤ、閲覧文書ＩＤ、単語等から必要な情報を前記メタデータ管理装置に転送するとともに、単語等を前記サーチエンジン装置に転送し、前記メタデータ管理装置は、前記文書ＵＩ装置からサービスの区別と、ユーザＩＤ、閲覧文書ＩＤ、単語等のうち該区分に応じた必要な情報が転送されると、「閲覧文書の単語等またはキーワードボタンに表示されている単語等のメタデータ」、「文書に共通な単語等のメタデータ」、または「統合コンテクストメタデータ」から、「閲覧文書の単語等または閲覧文書のキーワードボタンに表示されている単語等から推奨関係にある文書」、「単語等(文書に共通)から推奨関係にある文書」、「閲覧文書の単語等または閲覧文書のキーワードボタンに表示されている単語等から参照関係にある文書」、「単語等(文書に共通)から参照関係にある文書」、「前記ユーザによる閲覧文書の単語等または閲覧文書のキーワードボタンに表示されている単語等から推奨関係にある文書」、「前記ユーザによる単語等から推奨関係にある文書」、「前記ユーザによる閲覧文書の単語等または閲覧文書のキーワードボタンに表示されている単語等から参照関係にある文書」、「前記ユーザによる単語等から参照関係にある文書」の任意のまたは全ての文書ＩＤを取得し、さらに、「閲覧文書のメタデータ」、「閲覧文書の文書フォルダのメタデータ」または「統合コンテクストメタデータ」から、「閲覧文書から方向性のある推奨関係にある文書」、「閲覧文書と推奨関係にある文書」、「閲覧文書から方向性のある参照関係にある文書」、「閲覧文書と参照関係にある文書」、「閲覧文書の文書フォルダの文書から方向性のある推奨関係にある文書」、「閲覧文書の文書フォルダの文書と推奨関係にある文書」、「閲覧文書の文書フォルダの文書から方向性のある参照関係にある文書」、「閲覧文書の文書フォルダの文書と参照関係にある文書」、「ユーザによる閲覧文書から方向性のある推奨関係にある文書」、「ユーザによる閲覧文書と推奨関係にある文書」、「ユーザによる閲覧文書から方向性のある参照関係にある文書」、「ユーザによる閲覧文書と参照関係にある文書」、「ユーザによる閲覧文書の単語等または閲覧文書のキーワードボタンに表示されている単語等から推奨関係にある文書」、「ユーザによる単語等から推奨関係にある文書」、「ユーザによる閲覧文書の単語等または閲覧文書のキーワードボタンに表示されている単語等から参照関係にある文書」��「ユーザによる単語等から参照関係にある文書」の任意のまたは全ての文書ＩＤを取得し、取得した文書ＩＤを前記フィルタリング装置へ転送し、前記フィルタリング装置は、前記サーチエンジン装置から転送された検索結果の文書ＩＤと前記メタデータ管理装置から転送された文書ＩＤを比較し、一致した文書ＩＤのみの検索結果を前記文書ＵＩ装置に転送することを特徴とする情報提供システムである。
【０２７７】
第３０の実施態様は、第１乃至１３のいずれかに記載の情報提供システムにおいて、前記文書ＵＩ装置は、指定された閲覧文書を表示するときに、前記メタデータ管理装置に該閲覧文書のキーワードボタンを要求して、返信されたキーワードボタンを前記閲覧文書の近傍に表示し、該キーワードボタンから選択されたボタンに表示されている単語等と該キーワードボタンにより特定される文書ＩＤとを前記複合検索装置または前記サーチエンジン装置に転送して検索させ、前記メタデータ管理装置は、「閲覧文書の単語等または閲覧文書のキーワードボタンに表示されている単語等から推奨関係にある文書」あるいは「閲覧文書の単語等または閲覧文書のキーワードボタンに表示されている単語等から参照関係にある文書」のメタデータから任意のまたは全てのキーワードボタンのために単語等とそれによって特定される文書の文書ＩＤを取得し、表示するための単語等と該単語等のメタデータからキーワードボタンを、キーワードボタンが指定されたときに、「単語等を検索キーワードとして前記複合検索装置または前記サーチエンジン装置に転送する」または「単語等のメタデータから特定される文書の文書ＩＤを検索対象として前記複合検索装または前記サーチエンジン装置に転送する」のいずれかの動作を行うように設定し、該キーワードボタンを前記文書ＵＩ装置に転送することを特徴とする情報提供システムである。
【０２７８】
第３１の実施態様は、第１乃至１３のいずれかに記載の情報提供システムにおいて、前記文書ＵＩ装置は、指定した閲覧文書を表示するときに、前記メタデータ管理装置にユーザＩＤと該閲覧文書のキーワードボタンの要求とを転送し、返信されたキーワードボタンを閲覧文書の近傍に表示し、該キーワードボタンから選択されたボタンに表示された単語等と該キーワードボタンにより特定される文書ＩＤとを前記複合検索装置または前記サーチエンジン装置に転送して検索させ、前記メタデータ管理装置は、「指定されたユーザによる閲覧文書の単語等または閲覧文書のキーワードボタンに表示されている単語等から推奨関係にある文書」あるいは「指定されたユーザによる閲覧文書の単語等または閲覧文書のキーワードボタンに表示されている単語等から参照関係にある文書」のメタデータから任意のまたは全てのキーワードボタンのための単語等と特定される文書の文書ＩＤを取得し、表示するための単語等と該単語等のメタデータからキーワードボタンを、該キーワードボタンが指定されたときに、「単語等を検索キーワードとして前記サーチエンジン装置に転送する」あるいは「単語等のメタデータから特定される文書の文書ＩＤを検索対象として前記複合検索装置または前記サーチエンジン装置に転送する」のいずれかの動作を行うように設定し、該キーワードボタンを前記文書ＵＩ装置に転送することを特徴とする情報提供システムである。
【０２７９】
第３２の実施態様は、第１乃至１３のいずれかに記載の情報提供システムにおいて、前記文書ＵＩ装置は、指定された閲覧文書を表示するときに、予め作成されているキーワードボタンの中から該閲覧文書のキーワードボタンを前記メタデータ管理装置に要求し、返信されたキーワードボタンを前記閲覧文書の近傍に表示し、選択されたキーワードボタンに表示されている単語等と該キーワードボタンにより特定される文書ＩＤとを前記複合検索装置または前記サーチエンジン装置に転送して検索させ、前記メタデータ管理装置は、文書の単語等またはキーワードボタンに表示されている単語等のメタデータから、「閲覧文書の単語等または閲覧文書のキーワードボタンに表示されている単語等から推奨関係にある文書」あるいは「閲覧文書の単語等または閲覧文書のキーワードボタンに表示されている単語等から参照関係にある文書」の任意のまたは全ての文書を取得し、取得した文書のＩＤと単語等をキーワードボタンのメタデータに記録し、該キーワードボタンが指定されたときに、「単語等を検索キーワードとして前記複合検索装置または前記サーチエンジン装置に転送する」または「単語等のメタデータから特定される文書の文書ＩＤを検索対象として複合検索装置または前記サーチエンジン装置に転送する」のいずれかの動作を行うように設定することを特徴とする情報提供システムである。
【０２８０】
第３３の実施態様は、第１乃至１３のいずれかに記載の情報提供システムにおいて、前記文書ＵＩ装置は、指定された閲覧文書を表示するときに、予め作成されているユーザ毎のキーワードボタンの中から該閲覧文書のキーワードボタンを前記メタデータ管理装置に要求し、返信されたキーワードボタンを前記閲覧文書の近傍に表示し、該キーワードボタンから選択されたボタンに表示されている単語等と該キーワードボタンにより特定される文書ＩＤとを複合検索装置またはサーチエンジン装置に転送して検索させ、前記メタデータ管理装置は、文書のメタデータから単語等を取得し、キーワードボタンのメタデータに記録し、文書の単語等またはキーワードボタンに表示されている単語等のメタデータから、「指定されたユーザによる閲覧文書の単語等または閲覧文書のキーワードボタンに表示されている単語等から推奨関係にある文書」あるいは「指定されたユーザによる閲覧文書の単語等または閲覧文書のキーワードボタンに表示されている単語等から参照関係にある文書」の任意のまたは全ての文書を取得し、取得した文書の文書ＩＤをキーワードボタンのメタデータに記録し、該キーワードボタンは、該キーワードボタンが指定されたときに、「キーワードボタンのメタデータに記録されている単語等を検索キーワードとして複合検索装置または前記サーチエンジン装置に転送する」または「キーワードボタンのメタデータに記録されている文書を検索対象として複合検索装置または前記サーチエンジン装置に転送する」のいずれかの動作を行うように設定することを特徴とする情報提供システムである。
【０２８１】
第３４の実施態様は、第１乃至１３のいずれかに記載の情報提供システムにおいて、前記文書ＵＩ装置は、指定された閲覧文書に関連文書リストまたはリファレンスボタンまたはキーワードボタンを付加して表示し、ユーザの選択状況により、下記のいずれかの動作を行うことを特徴とする情報提供システムである。
（Ａ）閲覧文書の単語等が選択されると、選択された単語等を前記サーチエンジン装置に転送し、返信された検索結果からユーザに所望の文書を選択させる。
（Ｂ）閲覧文書に付加された関連文書リストから所望の文書を選択させる。
（Ｃ）閲覧文書に付加されたリファレンスボタンが選択されると、選択されたリファレンスボタンに対応する関連文書リストを表示し、表示された関連文書リストからユーザに所望の文書を選択させる。
（Ｄ）閲覧文書に付加されたキーワードボタンが選択されると、該キーワードボタンに表示されている単語等を前記複合検索装置または前記サーチエンジン装置に転送し、返信された検索結果リストからユーザに所望の文書を選択させる。
【０２８２】
第３５の実施態様は、第１４乃至１９のいずれかに記載の情報提供システムにおいて、前記メタデータ管理装置から転送された関連文書リストに対応した広告コンテンツを選択、付加して前記文書ＵＩ装置へ転送する広告コンテンツ管理装置を備え、前記メタデータ管理装置は、閲覧文書の共有関連文書リストまたは自己関連文書リストを生成または更新するとともに、該共有関連文書リストまたは該自己関連文書リストを前記広告コンテンツ管理装置に転送し、前記広告コンテンツ管理装置は、前記メタデータ管理装置から転送された共有関連文書リストまたは自己関連文書リストに対応した広告コンテンツを選択し、共有関連文書リストまたは自己関連文書リストに付加して前記文書ＵＩ装置に転送し、前記文書ＵＩ装置は、前記広告コンテンツ管理装置から転送された該閲覧文書に関する共有関連文書リストまたは自己関連文書リストと広告コンテンツを表示することを特徴とする情報提供システムである。
【０２８３】
第３６の実施態様は、  第３０乃至３４のいずれかに記載の情報提供システムにおいて、前記メタデータ管理装置から転送されたキーワードボタンに対応した広告コンテンツを選択、付加して前記文書ＵＩ装置へ転送する広告コンテンツ管理装置を備え、前記メタデータ管理装置は、閲覧文書のキーワードボタンを生成または更新するとともに、該キーワードボタンを前記広告コンテンツ管理装置に転送し、前記広告コンテンツ管理装置は、前記メタデータ管理装置から転送されたキーワードボタンに対応した広告コンテンツを選択し、該キーワードボタンに付加して、前記文書ＵＩ装置に転送し、前記文書ＵＩ装置は、前記広告コンテンツ管理装置から転送された該閲覧文書に関するキーワードボタンと広告コンテンツを表示することを特徴とする情報提供システムである。
【０２８４】
第３７の実施態様は、Ｗｅｂコンテンツや文書管理手段で管理された文書を閲覧するときの入力や表示やコンテクストの取得を行う文書ユーザインタフェース手段（以下、文書ＵＩ手段という）と、前記文書ＵＩ手段で閲覧中の文書（閲覧文書）と、参照された文書（参照文書）との参照関係を示すコンテクストの記録と読み出しを行うメタデータ管理手段と、を備え、前記文書ＵＩ手段は、閲覧文書中の単語等をキーワードとして、Ｗｅｂコンテンツや文書管理手段で管理された文書の検索をサーチエンジン手段に行わせ、返信された検索結果の中から選択され、表示された参照文書を基に、「閲覧文書と参照文書との参照関係」、または、「検索時に指示した単語等と参照文書の参照関係」をコンテクストとして前記メタデータ管理手段に転送し、前記メタデータ管理手段は、前記コンテクストを基に、「閲覧文書と参照文書との参照関係」、または、「検索時に指示した単語等と参照文書の参照関係」、または両方の参照関係を整理加工して再利用可能なメタデータとして記録することを特徴とする情報提供装置である。
【０２８５】
第３８の実施態様は、Ｗｅｂコンテンツや文書管理手段で管理された文書を閲覧するときの入力や表示やコンテンツの取得を行う文書ユーザインタフェース手段（以下、文書ＵＩ手段という）と、前記文書ＵＩ手段で閲覧中の文書（閲覧文書）と、参照された文書（参照文書）との参照関係を示すコンテクストの記録と読み出しを行うメタデータ管理手段と、を備え、前記文書ＵＩ手段は、閲覧文書中の単語等をキーワードとして、Ｗｅｂコンテンツや文書管理手段で管理された文書の検索をサーチエンジン手段に行わせ、返信された検索結果のうち、選択され、表示された参照文書が推奨関係と評価された場合、「閲覧文書と参照文書との推奨関係」、または、「検索時に指示した単語等と参照文書の推奨関係」をコンテクストとして前記メタデータ管理手段に転送し、前記メタデータ管理手段は、前記コンテクストを基に、「閲覧文書と参照文書との推奨関係」、または、「検索時に指示した単語等と参照文書の推奨関係」、または両方の参照関係を整理加工して再利用可能なメタデータとして記録することを特徴とする情報提供装置である。
【０２８６】
第３９の実施態様は、Ｗｅｂコンテンツや文書管理手段で管理された文書を閲覧するときの入力や表示やコンテクストの取得を行う文書ユーザインタフェース手段（以下、文書ＵＩ手段という）と、前記文書ＵＩ手段で表示された閲覧文書と、該閲覧文書を閲覧中に選択された文書（参照文書）との参照関係を示すコンテクストの記録と読み出しを行うメタデータ管理手段と、を備え、前記文書ＵＩ手段は、閲覧文書に付加された関連文書リストの中から選択されて、表示された参照文書を基に、「閲覧文書と参照文書との参照関係」をコンテクストとして前記メタデータ管理手段に転送し、前記メタデータ管理手段は、前記コンテクストを基に「閲覧文書と参照文書との参照関係」を整理加工して再利用可能なメタデータとして記録することを特徴とする情報提供装置である。
【０２８７】
第４０の実施態様は、Ｗｅｂコンテンツや文書管理手段で管理された文書を閲覧するときの入力や表示やコンテクストの取得を行う文書ユーザインタフェース手段（以下、文書ＵＩ手段という）と、前記文書ＵＩ手段で表示された閲覧文書と、該閲覧文書を閲覧中に選択された文書（参照文書）との参照関係を示すコンテクストの記録と読み出しを行うメタデータ管理手段と、を備え、前記文書ＵＩ手段は、閲覧文書に付加された関連文書リストの中から選択されて、表示された参照文書が推奨関係と評価された場合、「閲覧文書と参照文書との推奨関係」をコンテクストとして前記メタデータ管理手段に転送し、前記メタデータ管理手段は、前記コンテクストを基に「閲覧文書と参照文書との推奨関係」を整理加工して再利用可能なメタデータとして記録することを特徴とする情報提供装置である。
【０２８８】
第４１の実施態様は、Ｗｅｂコンテンツや文書管理手段で管理された文書を閲覧するときの入力や表示やコンテンツの取得を行う文書ユーザインタフェース手段（以下、文書ＵＩ手段という）と、前記文書ＵＩ手段で閲覧中の文書（閲覧文書）と、参照された文書（参照文書）との参照関係を示すコンテクストの記録と読み出しを行うメタデータ管理手段と、を備え、前記文書ＵＩ手段は、閲覧文書に付加されたキーワードボタンが選択されると、該キーワードボタンに表示されている単語等をキーワードとして、Ｗｅｂコンテンツや文書管理手段で管理された文書の検索をサーチエンジン手段に行わせ、返信された検索結果から選択され、表示された参照文書を基に、「閲覧文書と参照文書との参照関係」、または、「検索時に指示した単語等と参照文書の参照関係」をコンテクストとしてメタデータ管理手段に転送し、前記メタデータ管理手段は、前記コンテクストを基に、「閲覧文書と参照文書との参照関係」、または、「検索時に指示した単語等と参照文書の参照関係」、または両方の参照関係を整理加工して再利用可能なメタデータとして記録することを特徴とする情報提供装置である。
【０２８９】
第４２の実施態様は、Ｗｅｂコンテンツや文書管理手段で管理された文書を閲覧するときの入力や表示やコンテンツの取得を行う文書ユーザインタフェース手段（以下、文書ＵＩ手段という）と、前記文書ＵＩ手段で閲覧中の文書（閲覧文書）と、参照された文書（参照文書）との参照関係を示すコンテクストの記録と読み出しを行うメタデータ管理手段と、を備え、前記文書ＵＩ手段は、閲覧文書に付加されたキーワードボタンが選択されると、該キーワードボタンに表示されている単語等をキーワードとして、Ｗｅｂコンテンツや文書管理手段で管理された文書の検索をサーチエンジン手段に行わせ、返信された検索結果の中から選択され、表示された参照文書が推奨関係と評価された場合、「閲覧文書と参照文書との推奨関係」、または、「検索時に指示した単語等と参照文書の推奨関係」をコンテクストとして前記メタデータ管理手段に転送し、前記メタデータ管理手段は、前記コンテクストを基に「閲覧文書と参照文書との推奨関係」、または、「検索時に指示した単語等と参照文書の推奨関係」、または両方の参照関係を整理加工して再利用可能なメタデータとして記録することを特徴とする情報提供装置である。
【０２９０】
第４３の実施態様は、第３７乃至４２のいずれかに記載の情報提供装置において、前記文書ＵＩ手段は、コンテクストとともにユーザＩＤを前記メタデータ管理手段に転送し、前記メタデータ管理手段は、前記コンテクストを基に参照関係を整理加工して、ユーザが識別可能なメタデータとして記録することを特徴とする情報提供装置である。
【０２９１】
第４４の実施態様は、Ｗｅｂコンテンツや文書管理手段で管理された文書を閲覧するときの入力や表示を行う文書ユーザインタフェース装置において、閲覧中の文書（閲覧文書）中の単語等をキーワードとして、Ｗｅｂコンテンツや文書管理手段で管理された文書を検索した検索結果の中から選択され、表示された文書（参照文書）を基に生成された「閲覧文書と参照文書との参照関係」、または、「検索時に指示した単語等と参照文書の参照関係」のコンテクストを、該コンテクストからメタデータを生成して記録するメタデータ管理装置に転送することを特徴とする文書ユーザインタフェース装置である。
【０２９２】
第４５の実施態様は、Ｗｅｂコンテンツや文書管理手段で管理された文書を閲覧するときの入力や表示を行う文書ユーザインタフェース装置において、閲覧中の文書（閲覧文書）中の単語等をキーワードとして、Ｗｅｂコンテンツや文書管理手段で管理された文書を検索した検索結果の中から選択され、表示された文書（参照文書）が推奨関係と評価された場合、「閲覧文書と参照文書との推奨関係」、または、「検索時に指示した単語等と参照文書の推奨関係」のコンテクストを、該コンテクストからメタデータを生成して記録するメタデータ管理装置に転送することを特徴とする文書ユーザインタフェース装置である。
【０２９３】
第４６の実施態様は、Ｗｅｂコンテンツや文書管理手段で管理された文書を閲覧するときの入力や表示を行う文書ユーザインタフェース装置において、閲覧中の文書（閲覧文書）に付加された関連文書リストの中から選択されて、表示された文書（参照文書）を基に、「閲覧文書と参照文書との参照関係」のコンテクストを、該コンテクストからメタデータを生成して記録するメタデータ管理装置に転送することを特徴とする文書ユーザインタフェース装置である。
【０２９４】
第４７の実施態様は、Ｗｅｂコンテンツや文書管理手段で管理された文書を閲覧するときの入力や表示を行う文書ユーザインタフェース装置において、閲覧中の文書（閲覧文書）に付加された関連文書リストの中から選択されて、表示された文書（参照文書）が推奨関係と評価された場合、「閲覧文書と参照文書との推奨関係」のコンテクストを、該コンテクストからメタデータを生成して記録するメタデータ管理装置に転送することを特徴とする文書ユーザインタフェース装置である。
【０２９５】
第４８の実施態様は、Ｗｅｂコンテンツや文書管理手段で管理された文書を閲覧するときの入力や表示を行う文書ユーザインタフェース装置において、閲覧中の文書（閲覧文書）に付加されたキーワードボタンが選択されると、該キーワードボタンに表示されている単語等をキーワードとして、Ｗｅｂコンテンツや文書管理手段で管理された文書を検索した検索結果の中から選択され、表示された文書（参照文書）を基に、「閲覧文書と参照文書との参照関係」、または、「検索時に指示した単語等と参照文書の参照関係」のコンテクストを、該コンテクストからメタデータを生成して記録するメタデータ管理装置に転送することを特徴とする文書ユーザインタフェース装置である。
【０２９６】
第４９の実施態様は、Ｗｅｂコンテンツや文書管理手段で管理された文書を閲覧するときの入力や表示を行う文書ユーザインタフェース装置において、閲覧中の文書（閲覧文書）に付加されたキーワードボタンが選択されると、該キーワードボタンに表示されている単語等をキーワードとして、Ｗｅｂコンテンツや文書管理手段で管理された文書を検索した検索結果の中から選択され、表示された文書（参照文書）が推奨関係と評価された場合、「閲覧文書と参照文書との推奨関係」、または、「検索時に指示した単語等と参照文書の推奨関係」のコンテクストを、該コンテクストからメタデータを生成して記録するメタデータ管理装置に転送することを特徴とする文書ユーザインタフェース装置である。
【０２９７】
第５０の実施態様は、第４４乃至４９のいずれかに記載の文書ユーザインタフェース装置において、コンテクストとともにユーザＩＤを前記メタデータ管理手段に転送し、メタデータをユーザＩＤごとに記録させることを特徴とする文書ユーザインタフェース装置である。
【０２９８】
第５１の実施態様は、閲覧中の文書（閲覧文書）と、この閲覧文書中の単語等をキーワードとして、Ｗｅｂコンテンツや文書管理手段で管理された文書の検索結果の中から選択され、表示された文書（参照文書）との参照関係を基に、「閲覧文書と参照文書との参照関係」、または、「検索時に指示した単語等と参照文書の参照関係」、または両方の参照関係を整理加工して再利用可能なメタデータとして記録することを特徴とするメタデータ管理装置である。
【０２９９】
第５２の実施態様は、閲覧中の文書（閲覧文書）と、この閲覧文書中の単語等をキーワードとして、Ｗｅｂコンテンツや文書管理手段で管理された文書の検索結果の中から選択され、表示された文書（参照文書）との参照関係が推奨関係と評価された場合、「閲覧文書と参照文書との推奨関係」、または、「検索時に指示した単語等と参照文書の推奨関係」、または両方の参照関係を整理加工して再利用可能なメタデータとして記録することを特徴とするメタデータ管理装置である。
【０３００】
第５３の実施態様は、閲覧中の文書（閲覧文書）に付加された関連文書リストの中から選択されて、表示された文書（参照文書）との参照関係を基に、「閲覧文書と参照文書との参照関係」を整理加工して再利用可能なメタデータとして記録することを特徴とするメタデータ管理装置である。
【０３０１】
第５４の実施態様は、閲覧中の文書（閲覧文書）に付加された関連文書リストの中から選択されて、表示された文書（参照文書）との参照関係が推奨関係と評価された場合、「閲覧文書と参照文書との推奨関係」を整理加工して再利用可能なメタデータとして記録することを特徴とするメタデータ管理装置である。
【０３０２】
第５５の実施態様は、閲覧中の文書（閲覧文書）に付加されたキーワードボタンが選択されると、該キーワードボタンに表示されている単語等をキーワードとして、Ｗｅｂコンテンツや文書管理手段で管理された文書の検索結果の中から選択され、表示された文書（参照文書）との参照関係を基に、「閲覧文書と参照文書との参照関係」、または、「検索時に指示した単語等と参照文書の参照関係」、または両方の参照関係を整理加工して再利用可能なメタデータとして記録することを特徴とするメタデータ管理装置である。
【０３０３】
第５６の実施態様は、閲覧中の文書（閲覧文書）に付加されたキーワードボタンが選択されると、該キーワードボタンに表示されている単語等をキーワードとして、Ｗｅｂコンテンツや文書管理手段で管理された文書の検索結果の中から選択され、表示された文書（参照文書）が推奨関係と評価された場合、「閲覧文書と参照文書との推奨関係」、または、「検索時に指示した単語等と参照文書の推奨関係」、または両方の参照関係を整理加工して再利用可能なメタデータとして記録することを特徴とするメタデータ管理装置である。
【０３０４】
第５７の実施態様は、第５１乃至５６のいずれかに記載のメタデータ管理装置において、メタデータを記録するときに、ユーザが識別可能なメタデータとして記録することを特徴とするメタデータ管理装置である。
【０３０５】
第５８の実施態様は、第５１乃至５７のいずれかに記載のメタデータ管理装置において、前記コンテクストから、ユーザＩＤ、閲覧文書、単語等、キーワードボタン、キーワードボタンに表示されている単語等、参照文書、推奨関係にある参照文書（推奨文書）の情報から選択された情報を、「閲覧文書のメタデータ」あるいは必要に応じて「参照文書／推奨文書のメタデータ」として記録することを特徴とするメタデータ管理装置である。
【０３０６】
第５９の実施態様は、第５１乃至５７のいずれかに記載のメタデータ管理装置において、前記コンテクストから、ユーザＩＤ、閲覧文書、単語等、キーワードボタン、キーワードボタンに表示されている単語等、参照文書、推奨関係にある参照文書（推奨文書）の情報から選択された情報を、「文書の単語等またはキーワードボタンに表示されている単語等のメタデータ」、または、「文書に共通な単語等のメタデータ」、あるいは、必要に応じて、「参照文書／推奨文書のメタデータ」として記録することを特徴とするメタデータ管理装置である。
【０３０７】
第６０の実施態様は、第５１乃至５７のいずれかに記載のメタデータ管理装置において、前記コンテクストから、ユーザＩＤ、閲覧文書、単語等、キーワードボタン、キーワードボタンに表示されている単語等、参照文書、推奨関係にある参照文書（推奨文書）の情報から選択された情報を、「閲覧文書の文書フォルダのメタデータ」、あるいは、必要に応じて「参照文書／推奨文書のメタデータ」として記録することを特徴とするメタデータ管理装置である。
【０３０８】
第６１の実施態様は、第５１乃至５７のいずれかに記載のメタデータ管理装置において、前記コンテクストから、ユーザＩＤ、閲覧文書、単語等、キーワードボタン、キーワードボタンに表示されている単語等、参照文書、推奨関係にある参照文書（推奨文書）の情報から選択された情報を、「閲覧文書の文書フォルダのメタデータ」および「参照文書／推奨文書の文書フォルダのメタデータ」として記録することを特徴とするメタデータ管理装置である。
【０３０９】
第６２の実施態様は、第５１乃至５７のいずれかに記載のメタデータ管理装置において、前記コンテクストから、ユーザＩＤ、閲覧文書、単語等、キーワードボタン、キーワードボタンに表示されている単語等、参照文書、推奨関係にある参照文書（推奨文書）の情報から選択された情報を、「閲覧文書のメタデータ」、「参照文書／推奨文書のメタデータ」、「閲覧文書の単語等または閲覧文書のキーワードボタンに表示されている単語等のメタデータ」、「文書に共通な単語等のメタデータ」、「閲覧文書の文書フォルダのメタデータ」、あるいは、「参照文書／推奨文書の文書フォルダのメタデータ」の任意の組み合わせとして記録することを特徴とするメタデータ管理装置である。
【０３１０】
第６３の実施態様は、第５１乃至５７のいずれかに記載のメタデータ管理装置において、前記コンテクストから、ユーザＩＤ、閲覧文書、単語等、キーワードボタン、キーワードボタンに表示されている単語等、参照文書、推奨関係にある参照文書（推奨文書）の情報から選択された情報を、「統合コンテクストメタデータ」として記録することを特徴とするメタデータ管理装置である。
【０３１１】
第６４の実施態様は、コンピュータに、第１乃至３６のいずれかに記載の情報提供システムの機能、または、第３７乃至４３のいずれかに記載の情報提供装置の機能、または、第４４乃至５０のいずれかに記載の文書ユーザインタフェース装置の機能、または、第５１乃至６３のいずれかに記載のメタデータ管理装置の機能を実現させるプログラムである。
第６５の実施態様は、コンピュータが読み取り可能な記録媒体であって、第６４に記載のプログラムを記録したことを特徴とする記録媒体である。
【符号の説明】
【０３１２】
１００    クライアントサイト
１１０    ユーザＰＣ
１１１    文書ＵＩ手段
１２０    メタデータ管理サーバ
１２１    メタデータ管理手段
１２２    メタデータＤＢ
１３０    文書管理サーバ
１３１    サーチエンジン手段
１３２    文書管理手段
１４０    コンテクスト文書管理サーバ
１４１    複合検索手段
１４２    インデックス／文書ＩＤ
１５１    フィルタリング手段
２００    インターネット
３００    Ｗｅｂ検索サイト
３１０    サーチエンジン手段
３２０    広告管理サーバ
３２１    広告コンテンツ管理手段
３２２    広告コンテンツＤＢ
４００    Ｗｅｂサイト
４１０    Ｗｅｂコンテンツ
５００    ＡＳＰサイト
【先行技術文献】
【特許文献】
【０３１３】
【特許文献１】特開２００５−１４８８４３号公報
【図１】
0005447484.tif 000002
【図２】
0005447484.tif 000003
【図３】
0005447484.tif 000004
【図４】
0005447484.tif 000005
【図５】
0005447484.tif 000006
【図６】
0005447484.tif 000007
【図７】
0005447484.tif 000008
【図８】
0005447484.tif 000009
【図９】
0005447484.tif 000010
【図１０】
0005447484.tif 000011
【図１１】
0005447484.tif 000012
【図１２】
0005447484.tif 000013
【図１３】
0005447484.tif 000014
【図１４】
0005447484.tif 000015
【図１５】
0005447484.tif 000016
【図１６】
0005447484.tif 000017
【図１７】
0005447484.tif 000018
【図１８】
0005447484.tif 000019
【図１９】
0005447484.tif 000020
【図２０】
0005447484.tif 000021
【図２１】
0005447484.tif 000022
【図２２】
0005447484.tif 000023
【図２３】
0005447484.tif 000024
【図２４】
0005447484.tif 000025
【図２５】
0005447484.tif 000026
【図２６】
0005447484.tif 000027
【図２７】
0005447484.tif 000028
【図２８】
0005447484.tif 000029
【図２９】
0005447484.tif 000030
【図３０】
0005447484.tif 000031
【図３１】
0005447484.tif 000032
【図３２】
0005447484.tif 000033
【図３３】
0005447484.tif 000034
【図３４】
0005447484.tif 000035
【図３５】
0005447484.tif 000036
【図３６】
0005447484.tif 000037
【図３７】
0005447484.tif 000038
【図３８】
0005447484.tif 000039
【図３９】
0005447484.tif 000040
【図４０】
0005447484.tif 000041
【図４１】
0005447484.tif 000042
【図４２】
0005447484.tif 000043
【図４３】
0005447484.tif 000044
【図４４】
0005447484.tif 000045
【図４５】
0005447484.tif 000046
【図４６】
0005447484.tif 000047
【図４７】
0005447484.tif 000048
【図４８】
0005447484.tif 000049
【図４９】
0005447484.tif 000050
【図５０】
0005447484.tif 000051
【図５１】
0005447484.tif 000052
【図５２】
0005447484.tif 000053
【図５３】
0005447484.tif 000054